(57)【要約】ローカルＩＰアクセス（ＬＩＰＡ）は、フェムトセルを介して接続されたＩＰ対応ユーザ機器（ＵＥ）が、ローカルＩＰネットワーク内の他のＩＰ対応デバイスへ直接アクセスすることを可能にする。選択されたＩＰトラフィックオフロード（ＳＩＰＴＯ）は、アクセスネットワークへのＵＥのアタッチ点に近い規定のＩＰネットワークに向けて選択された種類のＩＰトラフィックをオフロードするために使用される。ＬＩＰＡ  ＰＤＮ接続性は、フェムトセルサブシステムのローカルＩＰネットワーク内に位置するサービスへのアクセスを与える、ＰＤＰ  コンテキストまたはＰＤＮ接続を示す。ＳＩＰＴＯ  ＰＤＮ接続性は、アクセスネットワークへのＵＥのアタッチ点に近い規定のＩＰネットワークに向けて選択された種類のＩＰトラフィックのオフロードを可能にする、ＰＤＰコンテキストまたはＰＤＮ接続を示す。
2013516932.tif 000002
【特許請求の範囲】
【請求項１】
ユーザ機器（ＵＥ）において使用する方法であって、
電気通信セルにおいて利用可能な接続性の種類の指示を受信することを含み、
前記利用可能な接続性の種類の指示は、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上の利用可能性を示す、方法。
【請求項２】
ＬＩＰＡ接続性が利用可能であるという指示を受信すると、前記ＵＥは、前記接続性が利用可能であるという指示を上層に提供する、請求項１に記載の方法。
【請求項３】
前記電気通信セルにおいて利用可能な接続性の種類の指示を受信することは、
ＧＥＲＡＮ／ＵＴＲＡＮフェムトセル、
ＧＥＲＡＮ／ＵＴＲＡＮマクロセル、
ＧＥＲＡＮ／ＵＴＲＡＮ  ＣＳＧセル、
Ｅ−ＵＴＲＡＮフェムトセル、
Ｅ−ＵＴＲＡＮマクロセル、
Ｅ−ＵＴＲＡＮ  ＣＳＧセル、
ＷＬＡＮセル、または
非３ＧＰＰセル
のうちの任意の１つにおいて利用可能な接続性の種類の指示を受信することを含む、
請求項１または２に記載の方法。
【請求項４】
前記指示を受信することは、
特定の種類の接続性が利用可能であるかどうかの指示、または
特定の種類の接続性が利用可能ではないかどうかの指示
のうちの少なくとも１つを受信することを含む、
請求項１から３のうちのいずれか１項に記載の方法。
【請求項５】
前記利用可能な接続性の種類の指示を受信することは、
ＬＩＰＡ接続性がサポートされているという指示、
ＬＩＰＡ接続性サポートされていないという指示、
ＳＩＰＴＯ接続性がサポートされているという指示、
ＳＩＰＴＯ接続性サポートされていないという指示、
遠隔接続性がサポートされているという指示、または
遠隔接続性サポートされていないという指示
のうちの少なくとも１つを受信することを含む、
請求項１から４のうちのいずれか１項に記載の方法。
【請求項６】
前記利用可能な接続性の種類の指示を受信することは、非アクセス階層（ＮＡＳ）機能層内で起こる、請求項１から５のうちのいずれか１項に記載の方法。
【請求項７】
前記指示を上層に提供することをさらに含む、請求項６に記載の方法。
【請求項８】
前記接続性の種類の指示を受信することは、アタッチ中、付加的なパケットデータプロトコル（ＰＤＰ）コンテキストを要求する場合、またはパケットデータネットワーク（ＰＤＮ）接続を要求する場合のうちの１つにおいて起こる、請求項６に記載の方法。
【請求項９】
前記接続性の種類の指示を受信することは、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動拒絶（ＡＣＴＩＶＡＴＥ  ＰＤＰ  ＣＯＮＴＥＸＴ  ＲＥＪＥＣＴ）メッセージ、ＰＤＰコンテキスト起動容認（ＡＣＴＩＶＡＴＥ  ＰＤＰ  ＣＯＮＴＥＸＴ  ＡＣＣＥＰＴ）メッセージ、ＰＤＮ接続性容認（ＰＤＮ  ＣＯＮＮＥＣＴＩＶＩＴＹ  ＡＣＣＥＰＴ）メッセージ、ＰＤＮ接続性拒絶（ＰＤＮ  ＣＯＮＮＥＣＴＩＶＩＴＹ  ＲＥＪＥＣＴ）メッセージ、ルーティング領域更新容認（ＲＯＵＴＩＮＧ  ＡＲＥＡ  ＵＰＤＡＴＥ  ＡＣＣＥＰＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つであるメッセージを受信することを含む、請求項６に記載の方法。
【請求項１０】
前記接続性の種類の指示を受信することは、ＰＤＰコンテキスト起動容認（ＡＣＴＩＶＡＴＥ  ＰＤＰ  ＣＯＮＴＥＸＴ  ＡＣＣＥＰＴ）メッセージ、ルーティング領域更新容認（ＲＯＵＴＩＮＧ  ＡＲＥＡ  ＵＰＤＡＴＥ  ＡＣＣＥＰＴ）メッセージ、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動拒絶（ＡＣＴＩＶＡＴＥ  ＰＤＰ  ＣＯＮＴＥＸＴ  ＲＥＪＥＣＴ）メッセージ、ＰＤＮ接続性容認（ＰＤＮ  ＣＯＮＮＥＣＴＩＶＩＴＹ  ＡＣＣＥＰＴ）メッセージ、ＰＤＮ接続性拒絶（ＰＤＮ  ＣＯＮＮＥＣＴＩＶＩＴＹ  ＲＥＪＥＣＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つにおいてサポートされた接続性種類情報要素を受信することを含む、請求項６に記載の方法。
【請求項１１】
デフォルトＥＰＳベアラコンテキスト、またはデフォルトＰＤＰコンテキストが、それに対してＬＩＰＡを使用することを承認されたＡＰＮを用いて起動された接続に接続することをさらに含む、請求項１に記載の方法。
【請求項１２】
前記利用可能な接続性の種類の指示を受信することは、アクセス階層（ＡＳ）機能層において起こる、請求項１に記載の方法。
【請求項１３】
前記指示を上層に提供することをさらに含む、請求項１２に記載の方法。
【請求項１４】
前記接続性の種類の指示を受信することは、ネットワークへの初期アタッチ、マクロセルからフェムトセルまたは閉鎖加入者グループ（ＣＳＧ）セルへの前記ＵＥのハンドオーバ、マクロセルからフェムトセルまたはＣＳＧセルへの前記ＵＥのアイドルモビリティ、３ＧＰＰマクロセル、３ＧＰＰフェムトセルまたは３ＧＰＰ  ＣＳＧセルから非３ＧＰＰアクセスへの前記ＵＥのハンドオーバ、または、非３ＧＰＰアクセスから３ＧＰＰフェムトセルまたは３ＧＰＰ  ＣＳＧセルへの前記ＵＥのハンドオーバのうちの１つ以上の間に起こる、請求項１２に記載の方法。
【請求項１５】
前記利用可能な接続性の種類の指示を受信することは、無線チャネル上で放送されるサポートされた接続性種類指示を受信することを含む、請求項１２に記載の方法。
【請求項１６】
前記利用可能な接続性の種類の指示を受信すると、ＬＩＰＡを使用してＰＤＮ接続を確立するか否かを決定することをさらに含む、請求項１２に記載の方法。
【請求項１７】
ネットワーク要素で使用する方法であって、
電気通信セルにおいて利用可能な接続性の種類の指示を提供することを含み、
前記利用可能な接続性の種類の指示は、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上を示す、方法。
【請求項１８】
前記ネットワーク要素は、閉鎖加入者グループ（ＣＳＧ）セル、ＨｅＮＢ、またはＨＮＢのうちの１つである、請求項１７に記載の方法。
【請求項１９】
前記利用可能な接続性の種類の指示を提供することは、無線チャネル上でサポートされた接続性種類指示を放送することを含む、請求項１７または１８に記載の方法。
【請求項２０】
前記ネットワーク要素は、モビリティ管理エンティティ（ＭＭＥ）またはサービングＧＰＲＳサポートノード（ＳＧＳＮ）のうちの１つである、請求項１７から１９のうちのいずれか１項に記載の方法。
【請求項２１】
前記指示を提供することは、前記ＵＥがＣＳＧセルにアタッチしている場合に前記指示を提供することを含む、請求項１７に記載の方法。
【請求項２２】
前記電気通信セルにおいて利用可能な接続性の種類の指示を提供することは、
ＧＥＲＡＮ／ＵＴＲＡＮフェムトセル、
ＧＥＲＡＮ／ＵＴＲＡＮマクロセル、
ＧＥＲＡＮ／ＵＴＲＡＮ  ＣＳＧセル、
Ｅ−ＵＴＲＡＮフェムトセル、
Ｅ−ＵＴＲＡＮマクロセル、
Ｅ−ＵＴＲＡＮ  ＣＳＧセル、
ＷＬＡＮセル、または
非３ＧＰＰセル
のうちの任意の１つにおいて利用可能な接続性の種類の指示を提供することを含む、
請求項１７から２０のうちのいずれか１項に記載の方法。
【請求項２３】
前記指示を提供することは、
特定の種類の接続性が利用可能であるかどうかの指示、または
特定の種類の接続性が利用可能ではないかどうかの指示
のうちの少なくとも１つを提供することを含む、
請求項１７から２０のうちのいずれか１項に記載の方法。
【請求項２４】
前記利用可能な接続性の種類の指示を提供することは、
ＬＩＰＡ接続性がサポートされているという指示、
ＬＩＰＡ接続性がサポートされていないという指示、
ＳＩＰＴＯ接続性がサポートされているという指示、
ＳＩＰＴＯ接続性がサポートされていないという指示、
遠隔接続性がサポートされているという指示、または
遠隔接続性がサポートされていないという指示
のうちの少なくとも１つを提供することを含む、
請求項１７から２０のうちのいずれか１項に記載の方法。
【請求項２５】
前記利用可能な接続性の種類の指示を提供することは、非アクセス階層（ＮＡＳ）機能層において起こる、請求項１７から２４のうちのいずれか１項に記載の方法。
【請求項２６】
前記指示を上層に提供することをさらに含む、請求項２５に記載の方法。
【請求項２７】
前記接続性の種類の指示を受信することは、アタッチ中、付加的なパケットデータプロトコル（ＰＤＰ）コンテキストを要求する場合、またはパケットデータネットワーク（ＰＤＮ）接続を要求する場合のうちの１つにおいて起こる、請求項２５に記載の方法。
【請求項２８】
前記接続性の種類の指示を提供することは、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動拒絶（ＡＣＴＩＶＡＴＥ  ＰＤＰ  ＣＯＮＴＥＸＴ  ＲＥＪＥＣＴ）メッセージ、ＰＤＰコンテキスト起動容認（ＡＣＴＩＶＡＴＥ  ＰＤＰ  ＣＯＮＴＥＸＴ  ＡＣＣＥＰＴ）メッセージ、ＰＤＮ接続性容認（ＰＤＮ  ＣＯＮＮＥＣＴＩＶＩＴＹ  ＡＣＣＥＰＴ）メッセージ、ＰＤＮ接続性拒絶（ＰＤＮ  ＣＯＮＮＥＣＴＩＶＩＴＹ  ＲＥＪＥＣＴ）メッセージ、ルーティング領域更新容認（ＲＯＵＴＩＮＧ  ＡＲＥＡ  ＵＰＤＡＴＥ  ＡＣＣＥＰＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つを送信することを含む、請求項２５に記載の方法。
【請求項２９】
前記接続性の種類の指示を提供することは、ＰＤＰコンテキスト起動容認（ＡＣＴＩＶＡＴＥ  ＰＤＰ  ＣＯＮＴＥＸＴ  ＡＣＣＥＰＴ）メッセージ、ルーティング領域更新容認（ＲＯＵＴＩＮＧ  ＡＲＥＡ  ＵＰＤＡＴＥ  ＡＣＣＥＰＴ  メッセージ）、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動拒絶（ＡＣＴＩＶＡＴＥ  ＰＤＰ  ＣＯＮＴＥＸＴ  ＲＥＪＥＣＴ）メッセージ、ＰＤＮ接続性容認（ＰＤＮ  ＣＯＮＮＥＣＴＩＶＩＴＹ  ＡＣＣＥＰＴ）メッセージ、ＰＤＮ接続性拒絶（ＰＤＮ  ＣＯＮＮＥＣＴＩＶＩＴＹ  ＲＥＪＥＣＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つにおいてサポートされた接続性種類情報要素を提供することを含む、請求項２５に記載の方法。
【請求項３０】
ユーザ機器（ＵＥ）において使用する方法であって、
非アクセス階層（ＮＡＳ）層より上側の機能層内でアプリケーション接続性方針を受信することと、
前記ＮＡＳ層より下側の機能層から前記ＮＡＳ層より上側の機能層内で少なくとも１つのモビリティイベントの指示を受信することと、
前記アプリケーション接続性方針および前記少なくとも１つのモビリティイベントの指示に基づいて、特定の種類の接続性が利用可能であるかどうかを決定することと
を含む、方法。
【請求項３１】
前記アプリケーション接続性方針を受信することは、
特定のアクセスが他のアクセスに対してアプリケーションに好ましいかどうかを規定する方針、
特定のアクセスがアプリケーションに禁止されているかどうかを規定する方針、
前記ＵＥが閉鎖加入者グループ（ＣＳＧ）セルに接続された場合に、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上がアプリケーションに好ましいかどうかを規定する方針、
前記ＵＥがＣＳＧセルに接続された場合に、ＬＩＰＡ接続性、ＳＩＰＴＯ接続性、または遠隔接続性のうちの１つ以上がアプリケーションに禁止されているかどうかを規定する方針、
前記ＵＥがＣＳＧセルに接続された場合に、ＬＩＰＡ接続性、ＳＩＰＴＯ接続性、または遠隔接続性のうちの１つ以上が、アプリケーションが使用することができる唯一の種類の接続性であるかどうかを規定する方針、
アプリケーションが特定のＣＳＧセルまたは一式のＣＳＧセルにおいて、一定の種類の接続性を使用することができるかどうかを規定する方針、または
ＬＩＰＡ接続性が利用可能である場合に、アプリケーションがＬＩＰＡ接続性と遠隔接続性とを同時に要求するべきかどうかを規定する方針
のうちの１つ以上を受信することをさらに含む、
請求項３０に記載の方法。
【請求項３２】
前記少なくとも１つのモビリティイベントの指示を受信することは、閉鎖加入者グループ（ＣＳＧ）セルへの能動ハンドオーバ、ＣＳＧセルからの能動ハンドオーバ、ＣＳＧセルにおける追跡領域更新（ＴＡＵ）／ルーティング領域更新（ＲＡＵ）、または異なる無線アクセス技術（ＲＡＴ）への能動ハンドオーバのうちの１つ以上の指示を受信することを含む、請求項３１に記載の方法。
【請求項３３】
ＣＳＧセルへ、または、ＣＧＳから能動ハンドオーバの指示を受信することを含み、前記受信することは、
前記ＣＳＧセルの閉鎖加入者グループ識別子（ＣＳＧ  ＩＤ）を受信すること、または
前記ＣＳＧセルで利用可能な接続性の種類の指示を受信すること
のうちの少なくとも１つを含む、
請求項３２に記載の方法。
【請求項３４】
特定の種類の接続性が利用可能であるかどうかを決定することが、前記接続性の種類が、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上であるかどうかを決定することを含む、請求項３０に記載の方法。
【請求項３５】
特定の種類の接続性が利用可能であるかどうかを決定することが、
利用可能ではないと決定された接続性の種類を要求する少なくとも１つのアプリケーションの動作を一時停止することと、
利用可能であると決定された接続性の種類を要求する少なくとも１つのアプリケーションの動作を起動することと
のうちの少なくとも１つをさらに含む
請求項３０から３４のうちのいずれか１項に記載の方法。
【請求項３６】
前記少なくとも１つのアプリケーションの動作を一時停止することが、前記少なくとも１つのアプリケーションのうちの１つ以上を、前記１つ以上のアプリケーションが動作中のままであるが、データを交換しない休止状態にすることを含むこと、または
前記少なくとも１つのアプリケーションの動作を起動することが、休止状態である前記少なくとも１つのアプリケーションのうちの１つ以上を再起動することを含むこと
のうちの少なくとも１つをさらに含む、
請求項３５に記載の方法。
【請求項３７】
ネットワーク要素において使用する方法であって、
電気通信セルにおけるＵＥに対して選択される接続性の種類の指示を提供することを含み、
前記ＵＥに対して選択される前記接続性の種類の指示は、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上を示す、方法。
【請求項３８】
前記接続性の種類の指示を提供することは、接続性の要求を受信することに応答して行われる、請求項３７に記載の方法。
【請求項３９】
前記接続性の種類の指示を提供することは、
前記電気通信セルにおいて利用可能なサポートされた接続性の種類の指示と、
前記電気通信セルにおいて利用可能であり、要求されたもの以外の接続性の種類の指示と、
要求された接続性の種類が電気通信セルにおいて利用可能ではないという指示と
を提供することを含む、
請求項３７または３８に記載の方法。
【請求項４０】
前記接続性の種類の指示を提供することは、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動拒絶（ＡＣＴＩＶＡＴＥ  ＰＤＰ  ＣＯＮＴＥＸＴ  ＲＥＪＥＣＴ）メッセージ、ＰＤＰコンテキスト起動容認（ＡＣＴＩＶＡＴＥ  ＰＤＰ  ＣＯＮＴＥＸＴ  ＡＣＣＥＰＴ）メッセージ、ＰＤＮ接続性容認（ＰＤＮ  ＣＯＮＮＥＣＴＩＶＩＴＹ  ＡＣＣＥＰＴ）メッセージ、ルーティング領域更新容認（ＲＯＵＴＩＮＧ  ＡＲＥＡ  ＵＰＤＡＴＥ  ＡＣＣＥＰＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つを提供することを含む、請求項３７から３９のうちのいずれか１項に記載の方法。
【請求項４１】
ユーザ機器（ＵＥ）において使用する方法であって、
電気通信セルにおけるＵＥに対して選択される接続性の種類の指示を受信することを含み、
前記ＵＥに対して選択される前記接続性の種類の指示は、ローカルインターネットプロトコルアクセス（ＬＩＰＡ）接続性、選択されたインターネットプロトコルトラフィックオフロード（ＳＩＰＴＯ）接続性、または遠隔接続性のうちの１つ以上を示す、方法。
【請求項４２】
ＬＩＰＡ接続性が前記ＵＥに対して選択されたという指示を受信すると、前記ＵＥは、前記接続性がＬＩＰＡによって提供されているという指示を上層に提供する、請求項４１に記載の方法。
【請求項４３】
前記利用可能な接続性の種類の指示を受信することは、非アクセス階層（ＮＡＳ）機能層において起こる、請求項４１に記載の方法。
【請求項４４】
前記ＵＥに対して選択される前記接続性の種類の指示を受信することは、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージ、追跡領域更新容認（ＴＲＡＣＫＩＮＧ  ＡＲＥＡ  ＵＰＤＡＴＥ  ＡＣＣＥＰＴ）メッセージ、ＰＤＰコンテキスト起動容認（ＡＣＴＩＶＡＴＥ  ＰＤＰ  ＣＯＮＴＥＸＴ  ＡＣＣＥＰＴ）メッセージ、ＰＤＮ接続性容認（ＰＤＮ  ＣＯＮＮＥＣＴＩＶＩＴＹ  ＡＣＣＥＰＴ）メッセージ、ルーティング領域更新容認（ＲＯＵＴＩＮＧ  ＡＲＥＡ  ＵＰＤＡＴＥ  ＡＣＣＥＰＴ）メッセージ、またはルーティング領域更新拒絶（ＲＯＵＴＩＮＧ  ＡＲＥＡ  ＵＰＤＡＴＥ  ＲＥＪＥＣＴ）メッセージのうちの少なくとも１つであるメッセージを受信すると起こる、請求項４１から４３のうちのいずれか１項に記載の方法。
【請求項４５】
前記ＵＥに対して選択される前記接続性の種類の指示を受信することは、ＰＤＰコンテキスト起動容認（ＡＣＴＩＶＡＴＥ  ＰＤＰ  ＣＯＮＴＥＸＴ  ＡＣＣＥＰＴ）メッセージ、またはルーティング領域更新容認（ＲＯＵＴＩＮＧ  ＡＲＥＡ  ＵＰＤＡＴＥ  ＡＣＣＥＰＴ）メッセージのうちの１つにおいてサポートされた接続性種類情報要素を提供することを含む、請求項４１から４３のうちのいずれか１項に記載の方法。
【請求項４６】
前記接続性の種類の指示を受信することは、接続性の要求を受信することに応答して起こる、請求項４１から４５のうちのいずれか１項に記載の方法。
【発明の詳細な説明】
【技術分野】
【０００１】
（関連出願）
本願は、米国特許出願第１２／６８５，６５１号（２０１０年１月１１日出願）の利益を主張する。該出願は、その全体が参照により本明細書に援用される。
【０００２】
（技術分野）
本願は、ローカルセルラー受信可能範囲でのローカルサービス利用可能性の発見を可能にすることに関する。
【背景技術】
【０００３】
ホームノードＢ（ＨＮＢ）、ホームｅＮＢ（ＨｅＮＢ）、およびフェムトセルは、ＵＭＴＳおよびＬＴＥ（Ｅ−ＵＴＲＡＮ）が、屋内およびマイクロセル受信可能範囲を向上させるため、ならびに「ホーム」への有線帰路を活用するために導入される概念である。「フェムト」セルは、非常に小さい受信可能範囲を伴う任意のセルを意味するために３ＧＰＰの外側で広く使用され、典型的には、私的構内（私的または企業あるいは住居／企業）に設置される。ホームノードＢ（ＨＮＢ）、ホームｅＮＢ（ＨｅＮＢ）、およびフェムトセルは、住居または企業ＩＰネットワークを有することができる。ＨｅＮＢ／ＨＮＢという用語は、特定の意味とともに３ＧＰＰで使用され、すなわち、セルは閉鎖加入者グループ（ＣＳＧ）である。ＣＳＧは、公衆陸上移動ネットワーク（ＰＬＭＮ）の１つ以上のセルにアクセスすることが許可されるが、制限されたアクセスを有する、オペレータの加入者を識別する。Ｈ（ｅ）ＮＢサブシステムは、同じ住居ＩＰネットワークまたは企業ＩＰネットワーク内の他のＩＰ対応エンティティにＨ（ｅ）ＮＢサブシステムを介して（すなわち、Ｈ（ｅ）ＮＢ無線アクセスを使用して）接続された、ＩＰ対応ＵＥに対するアクセスを提供するために、ローカルＩＰアクセスをサポートする。
【０００４】
「マクロ」セルという用語は、３ＧＰＰ仕様で重要性を持たないが、ＣＳＧセル以外のセルを意味するために広く使用される。
【０００５】
ＨｅＮＢ／ＨＮＢ機能性の重要な側面は、特定のユーザへのアクセスを制限する能力である。例えば、現場でＨｅＮＢが配備されている会社の従業員へ、特定のコーヒーショップチェーンの顧客へ、または（個人宅で配備されたＨｅＮＢの場合）個人へのアクセスである。
【０００６】
この機能性を達成するために、３ＧＰＰは、ＣＳＧの概念を定義している。ＣＳＧセルは、（システム情報で放送される１ビットを用いて）それがＣＳＧセルであると示し、（同様にシステム情報で）ＣＳＧ  ＩＤを放送するものである。セルは、１つ（またはゼロ）のＣＳＧ  ＩＤを示すことしかできないが、複数のセルがＣＳＧ  ＩＤを共有し得る。ユーザ機器（ＵＥ）デバイスが、複数のＣＳＧに契約され得る。ＵＥは、携帯電話、携帯用情報端末（ＰＤＡ）、または無線使用可能コンピュータ等であるが、それらに限定されない、携帯端末であり得る。契約は、本質的に一時的であり得る（例えば、コーヒーショップがそのＣＳＧへの１時間のアクセスを顧客に許可する）。
【０００７】
３ＧＰＰはまた、以下で紹介される、選択的ＩＰトラフィックオフローディングの概念も導入している。
【０００８】
ローカルＩＰアクセス（ＬＩＰＡ）は、のフェムトセルを介して接続されたＩＰ対応ＵＥが、ローカル住居／企業ＩＰネットワーク内の他のＩＰ対応デバイスへ直接アクセスことを可能にする。
【０００９】
選択されたＩＰトラフィックオフロード（ＳＩＰＴＯ）は、アクセスネットワークへのＵＥのアタッチ点に近い規定のＩＰネットワークに向かって、選択された種類のＩＰトラフィック（例えば、インターネットトラフィック）をオフロードするために使用される。ＳＩＰＴＯは、マクロセルラーアクセスネットワークに対する、およびフェムトセルサブシステムに対するトラフィックオフロードに適用可能である。
【００１０】
ＬＩＰＡ  ＰＤＮ接続性は、フェムトセルサブシステムのローカル住居／企業ＩＰネットワーク内に位置するサービスへのアクセスを与える、ＰＤＰコンテキスト（ＧＰＲＳコアネットワークに接続されたＧＥＲＡＮまたはＵＴＲＡＮフェムトセルの場合）またはＰＤＮ接続（ＧＰＲＳコアネットワークに接続されたＥ−ＵＴＲＡＮフェムトセルの場合）を示す。
【００１１】
ＳＩＰＴＯ  ＰＤＮ接続性は、アクセスネットワークへのＵＥのアタッチ点に近い規定のＩＰネットワークに向かって、選択された種類のＩＰトラフィック（例えば、インターネットトラフィック）のオフロードを可能にする、ＰＤＰコンテキストまたはＰＤＮ接続を示す。ＳＩＰＴＯは、マクロセルラーアクセスネットワークに対する、およびフェムトセルサブシステムに対するトラフィックオフロードに適用可能である。
【００１２】
遠隔ＰＤＮ接続性は、ＬＩＰＡ  ＰＤＮ接続性にもＳＩＰＴＯ  ＰＤＮ接続性にも従わずに確立される、通常のＰＤＰコンテキストまたはＰＤＮ接続を示す。
【発明の概要】
【課題を解決するための手段】
【００１３】
サンプル実施形態の以下の詳細な説明では、その一部を形成し、例証として具体的なサンプル実施形態が示される、添付図面を参照する。これらの実施形態は、当業者が実施形態を実践することを可能にするように十分詳細に説明されており、他の実施形態が利用されてもよく、本願で説明されていることの範囲から逸脱することなく、論理的、機械的、電気的、および他の変更が行われ得ることを理解されたい。したがって、以下の詳細な説明は、限定的な意味で解釈されるものではなく、範囲は、添付の請求項によって定義される。
【００１４】
本願の側面によれば、電気通信セルにおいて利用可能な接続性の種類の指示を受信することを含み、利用可能な接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である、ユーザ機器（ＵＥ）において使用する方法が提供される。
【００１５】
いくつかの実施形態では、電気通信セルにおいて利用可能な接続性の種類の指示を受信することは、ＧＥＲＡＮ／ＵＴＲＡＮフェムトセル、ＧＥＲＡＮ／ＵＴＲＡＮマクロセル、Ｅ−ＵＴＲＡＮフェムトセル、Ｅ−ＵＴＲＡＮマクロセル、ＷＬＡＮセル、および非３ＧＰＰセルのうちの任意の１つにおいて利用可能な接続性の種類の指示を受信することを含む。
【００１６】
いくつかの実施形態では、指示を受信することは、特定の種類の接続性が利用可能であるかどうかの指示、および特定の種類の接続性が利用可能ではないかどうかの指示のうちの少なくとも１つを受信することを含む。
【００１７】
いくつかの実施形態では、利用可能性の指示を受信することは、ＬＩＰＡ接続性がサポートされている、ＬＩＰＡ接続性がサポートされていない、ＳＩＰＴＯ接続性がサポートされている、ＳＩＰＴＯ接続性がサポートされていない、遠隔接続性がサポートされている、および遠隔接続性がサポートされていないのうちの少なくとも１つを受信することを含む。
【００１８】
いくつかの実施形態では、利用可能な接続性の種類の指示を受信することは、非アクセス階層（ＮＡＳ）機能層内で起こる。
【００１９】
いくつかの実施形態では、接続性の種類の指示を受信することは、アタッチ中、付加的なパケットデータプロトコル（ＰＤＰ）コンテキストを要求する場合、パケットデータネットワーク（ＰＤＮ）接続時のうちの１つにおいて起こる。
【００２０】
いくつかの実施形態では、接続性の種類の指示を受信することは、アタッチ要求（ＡＴＴＡＣＨ  ＲＥＱＵＥＳＴ）メッセージ、ＰＤＰコンテキスト作成要求（ＣＲＥＡＴＥ  ＰＤＰ  ＣＯＮＴＥＸＴ  ＲＥＱＵＥＳＴ）メッセージ、およびＰＤＮ  ＣＯＮＮＥＣＴＩＶＩＴＹ  ＲＥＱＵＥＳＴ（ＰＤＮ接続性要求）メッセージのうちの１つの中で起こる。
【００２１】
いくつかの実施形態では、接続性の種類を要求することは、アタッチ要求（ＡＴＴＡＣＨ  ＲＥＱＵＥＳＴ）メッセージ、ＰＤＰコンテキスト作成要求（ＣＲＥＡＴＥ  ＰＤＰ  ＣＯＮＴＥＸＴ  ＲＥＱＵＥＳＴ）メッセージ、およびＰＤＮ  ＣＯＮＮＥＣＴＩＶＩＴＹ  ＲＥＱＵＥＳＴ（ＰＤＮ接続性要求）メッセージのうちの１つの中で起こる。
【００２２】
いくつかの実施形態では、方法はさらに、電気通信セルにおいて利用可能である接続性の種類が望ましくないという指示が受信された時、または接続性が望ましい特定の接続を切断することを含む。
【００２３】
いくつかの実施形態では、第１の電気通信セルから第２の電気通信セルへのハンドオーバまたはセル再選択のうちの１つが発生した場合、利用可能な接続性の種類が変化する。
【００２４】
いくつかの実施形態では、ＵＥは、第２の電気通信セルにおいて利用可能な接続性の種類の指示を受信すること、第２の電気通信セルのＣＳＧ識別子がない第２の電気通信セルの特性を決定すること、第２の電気通信セルのセル識別子情報のうちの１つにより、接続性の種類の該変化に応答して、指示を上層に提供する。
【００２５】
本願の別の側面によれば、電気通信セルでの接続性の種類を要求することを含み、接続性の種類は、ローカルインターネットプロトコルアクセス（ＬＩＰＡ）接続性、および遠隔接続性のうちの１つ以上を備える、ユーザ機器（ＵＥ）において使用する方法が提供される。
【００２６】
いくつかの実施形態では、電気通信セルでの接続性の種類を要求することは、アクセスポイント名（ＡＰＮ）ベースで行われる。
【００２７】
いくつかの実施形態では、方法はさらに、接続性の種類の要求に応答して、電気通信セルにおいて利用可能な要求された接続性の種類の指示、電気通信セルにおいて利用可能であり、要求されたもの以外の接続性の種類の指示、および要求された接続性の種類が電気通信セルにおいて利用可能ではないという指示のうちの１つを受信することを含む。
【００２８】
いくつかの実施形態では、電気通信セルでの接続性の種類を要求することは、アタッチ、付加的なパケットデータプロトコル（ＰＤＰ）コンテキストを要求する場合、パケットデータネットワーク（ＰＤＮ）接続時のうちの１つの間に行われる。
【００２９】
いくつかの実施形態では、接続性の種類の指示を受信することは、アタッチ要求（ＡＴＴＡＣＨ  ＲＥＱＵＥＳＴ）メッセージ、ＰＤＰコンテキスト作成要求（ＣＲＥＡＴＥ  ＰＤＰ  ＣＯＮＴＥＸＴ  ＲＥＱＵＥＳＴ）メッセージ、ＰＤＮ  ＣＯＮＮＥＣＴＩＶＩＴＹ  ＲＥＱＵＥＳＴ（ＰＤＮ接続性要求）メッセージ、のうちの１つの内部で起こる。
【００３０】
いくつかの実施形態では、方法はさらに、接続性の種類の要求に応答して、電気通信セルにおいて利用可能なサポートされた接続性の種類の指示、電気通信セルにおいて利用可能な要求された接続性の種類の指示、電気通信セルにおいて利用可能であり、要求されたもの以外の接続性の種類の指示、および要求された接続性の種類が電気通信セルにおいて利用可能ではないという指示のうちの１つを受信することを含む。
【００３１】
いくつかの実施形態では、方法はさらに、接続性の種類に対する利用可能性の制限が、現在の電気通信セルのみに適用されるか、または同じ閉鎖加入者グループ識別（ＣＳＧ  ＩＤ）を伴う全ての電気通信セルに適用されるかという指示を受信することを含む。
【００３２】
いくつかの実施形態では、方法はさらに、電気通信セルにおいて利用可能である接続性の種類が、要求されたもの以外であるという指示が受信された時、または要求された接続性の種類が利用可能ではないという指示である場合に、それに対して接続性の種類が要求された特定の接続を切断することを含む。
【００３３】
本願のさらに別の側面によれば、ネットワーク内の第２のノードから接続性の種類の要求を受信することと、第２のノードに関する第１のノードに記憶された要求および情報に基づいて、要求を認定することとを含む、ネットワークの第１のノードで使用する方法が提供される。
【００３４】
いくつかの実施形態では、ＧＰＲＳは、汎用パケット無線サービス（ＧＰＲＳ）ＧＥＲＡＮ、ＧＰＲＳ  ＵＴＲＡＮ、進化型パケットシステム（ＥＰＳ）ＧＥＲＡＮ、ＥＰＳ  ＵＴＲＡＮ、ＥＰＳ  Ｅ−ＵＴＲＡＮ、ＥＰＳ  ＷＬＡＮ、および他の非３ＧＰＰシステムのうちの１つ以上を含む。
【００３５】
本願のさらなる側面によれば、非アクセス階層（ＮＡＳ）層より上側の機能層内でアプリケーション接続性方針を受信することと、ＮＡＳ層より下側の機能層からＮＡＳ層より上側の機能層内で少なくとも１つのモビリティイベントの指示を受信することと、アプリケーション接続性方針および少なくとも１つのモビリティイベントの指示に基づいて、特定の種類の接続性が利用可能であるかどうかを決定することとを含む、ユーザ機器（ＵＥ）において使用する方法が提供される。
【００３６】
いくつかの実施形態では、アプリケーション接続性方針を受信することは、特定のアクセスが他のアクセスに対してアプリケーションに好ましいかどうか、特定のアクセスがアプリケーションに禁止されているかどうか、ＵＥが閉鎖加入者グループ（ＣＳＧ）セルに接続された場合に、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上がアプリケーションに好ましいかどうか、ＵＥがＣＳＧセルに接続された場合に、ＬＩＰＡ接続性、ＳＩＰＴＯ接続性、および遠隔接続性のうちの１つ以上がアプリケーションに禁止されているかどうか、ＵＥがＣＳＧセルに接続された場合に、ＬＩＰＡ接続性、ＳＩＰＴＯ接続性、および遠隔接続性のうちの１つ以上が、アプリケーションが使用することができる唯一の種類の接続性であるかどうか、アプリケーションが特定のＣＳＧセルまたは一式のＣＳＧセルにおいて、一定の種類の接続性を使用することができるかどうか、ＬＩＰＡ接続性が利用可能である場合に、アプリケーションがＬＩＰＡ接続性と遠隔接続性とを同時に要求するべきかどうかのうちの１つ以上を定義する方針を受信することを含む。
【００３７】
いくつかの実施形態では、少なくとも１つのモビリティイベントの指示を提供することは、閉鎖加入者グループ（ＣＳＧ）セルへの能動ハンドオーバ、ＣＳＧセルからの能動ハンドオーバ、ＣＳＧセル内の追跡領域更新（ＴＡＵ）／ルーティング領域更新（ＲＡＵ）、異なる無線アクセス技術（ＲＡＴ）への能動ハンドオーバのうちの１つ以上の指示を提供することを含む。
【００３８】
いくつかの実施形態では、方法は、ＣＳＧセルへ、または、ＣＧＳから能動ハンドオーバの指示を提供することを含み、提供することは、ＣＳＧセルの閉鎖加入者グループ識別子（ＣＳＧ  ＩＤ）を提供すること、およびＣＳＧセルで前記利用可能な接続性の種類の指示を提供することのうちの１つをさらに含む。
【００３９】
いくつかの実施形態では、特定の種類の接続性が利用可能であるかどうかを決定することは、接続性の種類が、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上であるかどうかを決定することを含む。
【００４０】
いくつかの実施形態では、特定の種類の接続性が利用可能であるかどうかを決定することはさらに、利用可能ではないと決定された接続性の種類を要求する少なくとも１つのアプリケーションの動作を一時停止すること、利用可能であると決定された接続性の種類を要求する少なくとも１つのアプリケーションの動作を起動することのうちの少なくとも１つを含む。
【００４１】
いくつかの実施形態では、方法はさらに、少なくとも１つのアプリケーションの動作を一時停止することが、少なくとも１つのアプリケーションのうちの１つ以上を、１つ以上のアプリケーションが動作中のままであるが、データを交換しない休止状態にすることを含むこと、および少なくとも１つのアプリケーションの動作を起動することが、休止状態である少なくとも１つのアプリケーションのうちの１つ以上を再起動することを含むことのうちの少なくとも１つを含む。
【００４２】
本願のさらなる側面によれば、電気通信セルでの接続性の種類の指示を提供することを含み、接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である、方法が提供される。
【００４３】
いくつかの実施形態では、接続性の種類の指示を提供することは、接続性の種類の要求の受信に応答して行われる。
【００４４】
いくつかの実施形態では、接続性の種類の指示を提供することは、ＰＤＰコンテキスト起動要求（ＰＤＰ  ＣＯＮＴＥＸＴ  ＡＣＴＩＶＡＴＩＯＮ  ＲＥＱＵＥＳＴ）メッセージおよびＰＤＮ接続要求（ＰＤＮ  ＣＯＮＮＥＣＴＩＯＮ  ＲＥＱＵＥＳＴ）メッセージのうちの１つの受信に応答して行われる。
【００４５】
いくつかの実施形態では、接続性の種類の指示を提供することは、接続性の要求の受信に応答して行われる。
【００４６】
いくつかの実施形態では、接続性の種類の要求を受信することは、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上の要求を受信することを含む。
【００４７】
いくつかの実施形態では、接続性の種類の指示を提供することは、電気通信セルにおいて利用可能なサポートされた接続性の種類の指示と、電気通信セルにおいて利用可能であり、要求されたもの以外の接続性の種類の指示と、要求された接続性の種類が電気通信セルにおいて利用可能ではないという指示とを提供することを含む。
【００４８】
本願の別の側面によれば、マクロセルでの接続性の種類の指示を提供することを含み、接続性の種類の指示は、ローカルインターネットプロトコルアクセス（ＬＩＰＡ）接続性および遠隔接続性のうちの１つ以上である、方法が提供される。
【００４９】
いくつかの実施形態では、接続性の種類の指示を提供することは、ＰＤＰコンテキスト起動要求（ＰＤＰ  ＣＯＮＴＥＸＴ  ＡＣＴＩＶＡＴＩＯＮ  ＲＥＱＵＥＳＴ）メッセージ、Ｅ−ＵＴＲＡＮにおけるアタッチ要求（ＡＴＴＡＣＨ  ＲＥＱＵＥＳＴ）メッセージ、およびＰＤＮ接続要求（ＰＤＮ  ＣＯＮＮＥＣＴＩＯＮ  ＲＥＱＵＥＳＴ）メッセージのうちの１つの受信に応答して行われる。
【００５０】
いくつかの実施形態では、接続性の種類の指示を提供することは、マクロセルで利用可能な要求された接続性の種類の指示と、マクロセルで利用可能であり、要求されたもの以外の接続性の種類の指示と、要求された接続性の種類がマクロセルで利用可能ではないという指示とを提供することを含む。
【００５１】
本願のなおも別の側面によれば、上記または下記で説明されるような方法を実装するように構成される、ユーザ機器が提供される。
【００５２】
本願のなおもさらに別の側面によれば、上記または下記で説明されるような方法を実装するように構成される、ユーザ機器が提供される。
【００５３】
本願の別の側面によれば、上記または下記で説明されるような方法を実装するように構成される、ユーザ機器が提供される。
【００５４】
本願のさらに別の側面によれば、上記または下記で説明されるような方法を実装するように構成される、モビリティ管理エンティティが提供される。
【００５５】
本願のさらなる側面によれば、上記または下記で説明されるような方法を実装するように構成される、モビリティ管理エンティティが提供される。
【図面の簡単な説明】
【００５６】
ここで、添付図面を参照して、アプリケーションの実施形態を説明する。
【図１】図１は、本願の側面が実装され得る、ＨＮＢセルで使用するための論理アーキテクチャ例の概略図である。
【図２】図２は、本願の側面が実装され得る、ＨｅＮＢセルで使用するための論理アーキテクチャ例の概略図である。
【図３】図３は、本願の側面が実装され得る、ＨｅＮＢセルで使用するための別の論理アーキテクチャ例の概略図である。
【図４】図４は、本願の側面が実装され得る、ＨｅＮＢセルで使用するためのさらなる論理アーキテクチャ例の概略図である。
【図５】図５は、本願の実施形態によるローカルＩＰ接続性を図示する、図１の論理アーキテクチャ例の概略図である。
【図６】図６は、本願の実施形態によるローカルＩＰ接続性を図示する、図２の論理アーキテクチャ例の概略図である。
【図７Ａ】図７Ａおよび７Ｂは、本願の実施形態による、複合ＧＰＲＳ／ＩＭＳＩアタッチ手順の信号フロー図である。
【図７Ｂ】図７Ａおよび７Ｂは、本願の実施形態による、複合ＧＰＲＳ／ＩＭＳＩアタッチ手順の信号フロー図である。
【図８Ａ】図８Ａおよび８Ｂは、本願の実施形態による、Ｅ−ＵＴＲＡＮ初期アタッチ手順の信号フロー図である。
【図８Ｂ】図８Ａおよび８Ｂは、本願の実施形態による、Ｅ−ＵＴＲＡＮ初期アタッチ手順の信号フロー図である。
【図９】図９は、本願の実施形態による、ＬＩＰＡ／ＳＩＰＴＯ  ＰＤＮ接続確立の信号フロー図である。
【図１０】図１０は、本願の実施形態による、ＨｅＮＢサブシステムにおけるトラフィックフローの概略図である。
【図１１】図１１は、ＵＥがＨｅＢＮ受信可能範囲外に位置している間のローカルＩＰネットワークへの遠隔アクセスを図示する、概略図である。
【図１２】図１２は、本願の実施形態による、サービングゲートウェイハンドオーバを伴わないＨｅＮＢからｅＮＢへのハンドオーバの信号フロー図である。
【図１３】図１３は、本願の実施形態による、サービングゲートウェイハンドオーバを伴うＨｅＮＢからｅＮＢへのハンドオーバの信号フロー図である。
【図１４】図１４は、本願の実施形態による、マクロｅＮＢからＨｅＮＢへのハンドオーバの信号フロー図である。
【図１５】図１５は、本願の実施形態による、ＵＥが２つのＳ−ＧＷによってサービス提供されている場合の無線間アクセス技術（ＩＲＡＴ）ハンドオーバの準備の信号フロー図である。
【図１６】図１６は、本願の実施形態による、Ａ／Ｇｂモードのためのパケットデータプロトコル（ＰＤＰ）コンテキスト起動手順の信号フロー図である。
【図１７】図１７は、本願の実施形態による、ＩｕモードのためのＰＤＰコンテキスト起動手順の信号フロー図である。
【図１８】図１８は、本願の実施形態による、接続性種類情報要素（ＩＥ）の概略図である。
【図１９】図１９は、本願の実施形態による、パケットデータネットワーク接続性のユーザ機器（ＵＥ）要求の信号フロー図である。
【図２０】図２０は、本明細書で説明される実装による、モバイルデバイス例の概略図である。
【図２１】図２１は、本願の側面が実装され得る、非３ＧＰＰネットワークを含む、進化型パケットシステム（ＥＰＳ）における論理アーキテクチャ例の概略図である。
【図２２】図２２は、本願の側面が実装され得る、非３ＧＰＰネットワークを含む、ＥＰＳにおける別の論理アーキテクチャ例の概略図である。
【図２３】図２３は、本明細書で説明される実施形態による方法の実施例を図示する、フローチャートである。
【図２４】図２４は、明細書で説明される実施形態による方法の別の実施例を図示する、フローチャートである。
【図２５】図２５は、明細書で説明される実施形態による方法のさらなる実施例を図示する、フローチャートである。
【図２６】図２６は、明細書で説明される実施形態による方法のさらに別の実施例を図示する、フローチャートである。
【図２７】図２７は、明細書で説明される実施形態による方法のなおもさらなる実施例を図示する、フローチャートである。
【図２８】図２８は、明細書で説明される実施形態による方法の別の実施例を図示する、フローチャートである。
【図２９】図２９は、明細書で説明される実施形態による方法のさらなる実施例を図示する、フローチャートである。
【発明を実施するための形態】
【００５７】
以下の説明では、フェムトセルという用語は、非常に小さい受信可能範囲を伴うセルを定義することを目的としており、典型的には、私的構内（私的または企業あるいは住居／企業）に設置される。フェムトセルは、３ＧＰＰシステムで使用するためのＨＮＢ、ＨｅＮＢ、またはＣＳＧセル等のセルを含み得る。フェムトセルはまた、非３ＧＰＰシステム用のセル、およびＷＬＡＮセル、すなわち、ＷＬＡＮアクセスポイントを含み得る。
【００５８】
また、以下の説明では、ＰＤＮ接続が、無線ＬＡＮ等の非３ＧＰＰシステムのＥ−ＵＴＲＡＮまたはアクセスにおける接続を説明するために使用され得る。
【００５９】
図１から６を参照して以下で説明されるアーキテクチャでは、ネットワーク要素の多くは、他のネットワークノードと「通信している」と表される。「通信している」という用語は、ネットワークノードが常に通信していること、または通信が同時に起こっていることを表すことを目的としていない。適切な時に信号伝達がネットワークノード間で起こる方式で、ネットワークノードが構成されると意味することを目的としている。
【００６０】
ここで、図１を参照してホームノードＢアクセスネットワークのアーキテクチャモデルを説明する。
【００６１】
図１では、２つのＣＳＧ対応ＵＥ１７０が、参照点Ｕｕ１７５上でＨＮＢ１１０と通信している。ＵＥ１７０は、例えば、携帯電話、携帯用情報端末（ＰＤＡ）、または無線使用可能コンピュータ等であるが、それらに限定されない携帯端末であり得る。ＨＮＢ１１０は、参照点Ｉｕｈ１１５上でＨＮＢゲートウェイ（ＨＮＢ  ＧＷ）１２０と通信している。ＨＮＢ  ＧＷ１２０は、参照点Ｉｕ−ＣＳ１２４上でモバイル交換センター／ビジターロケーションセンター（ＭＳＣ／ＶＬＲ）１３０と通信している。ＨＮＢ  ＧＷ１２０は、参照点Ｉｕ−ＰＳ１２６上でサービングＧＰＲＳサポートノード（ＳＧＳＮ）１４０と通信している。ＣＳＧリストサーバ（ＣＳＧリストＳｒｖ）１５０および家庭用ロケーションレジスタ／家庭用加入者サーバ（ＨＬＲ／ＨＳＳ）１６０は、家庭用公衆陸上移動ネットワーク（ＨＰＬＭＮ）１９０の一部である。その上でＵＥが動作し得る、ＨＰＬＭＮ１９０ではないネットワークは、訪問した公衆陸上移動ネットワーク（ＶＰＬＭＮ）１８０である。ＭＳＣ／ＶＬＲ１３０およびＳＧＳＮ１４０はそれぞれ、それぞれの参照点Ｄ１３５およびＧＲｓ６ｄ１４５上でＨＬＲ／ＨＳＳ１６０と通信している。ＣＳＧ使用可能ＵＥ１７０のうちの１つは、参照点Ｃ１  １８５上でＣＳＧＬｉｓｔ  Ｓｒｖ１５０と通信している。図１の要素および通信参照点のより詳細な説明が以下で提供される。
【００６２】
ＨＮＢ１１０：ＨＮＢ１１０は、Ｉｕｈ１１５インターフェースを使用してＲＡＮ接続性を提供し、ＮｏｄｅＢおよび無線ネットワークコントローラ（ＲＮＣ）機能の大部分をサポートし、また、Ｉｕｈ１１５上でＨＮＢ認証、ＨＮＢ−ＧＷ発見、ＨＮＢ登録、およびＵＥ登録もサポートする。ＨＮＢ１１０は、ＳｅＧＷへ／からの通信を確保する。
【００６３】
ＨＮＢ  ＧＷ１２０：ＨＮＢ  ＧＷ１２０は、それ自身をコアネットワーク（ＣＮ）に対してＨＮＢ接続の集線装置として提示するＲＮＣの目的を果たし、すなわち、ＨＮＢ  ＧＷ１２０は、制御プレーンに対する集中機能を提供し、かつユーザプレーンに対する集中機能を提供する。ＨＮＢ  ＧＷ１２０は、非アクセス階層（ＮＡＳ）ノード選択機能（ＮＮＳＦ）をサポートする。
【００６４】
Ｕｕ１７５：ＵＥ１７０とＨＮＢ１１０との間の標準Ｕｕインターフェース。
【００６５】
Ｉｕｈ１１５：ＨＮＢ１１０とＨＮＢ  ＧＷ１２０との間のインターフェース。制御プレーンについては、Ｉｕｈ１１５は、ＨＮＢ登録、ＵＥ登録、およびエラー処理機能をサポートするためにＨＮＢＡＰプロトコルを使用する。ユーザプレーンについては、Ｉｕｈは、ユーザプレーン輸送ベアラ処理をサポートする。
【００６６】
Ｉｕ−ＣＳ１２４：ＨＮＢ  ＧＷ１２０と回路交換（ＣＳ）コアネットワークとの間の標準Ｉｕ−ＣＳインターフェース。
【００６７】
Ｉｕ−ＰＳ１２６：ＨＮＢ  ＧＷ１２０とパケット交換（ＰＳ）コアネットワークとの間の標準Ｉｕ−ＰＳインターフェース。
【００６８】
Ｄ１３５：モバイル交換センター／ビジターロケーションセンター（ＭＳＣ／ＶＬＲ）１３０と家庭用ロケーションレジスタ／家庭用加入者サーバ（ＨＬＲ／ＨＳＳ）１６０との間の標準Ｄインターフェース。
【００６９】
Ｇｒ１４５：サービングＧＰＲＳサポートノード（ＳＧＳＮ）１４０とＨＬＲ／ＨＳＳ１６０との間の標準Ｇｒインターフェース。
【００７０】
Ｃ１  １８５：ＣＳＧリストサーバ（ＣＳＧリストＳｒｖ）１５０とＣＳＧ対応ＵＥとの間の随意的なインターフェース。無線（ＯＴＡ）信号伝達が、Ｒｅｌ−８汎用加入者識別モジュール（ＵＳＩＭ）を伴うＵＥ１７０についての許容ＣＳＧリストを更新するために使用される。いくつかの実施形態では、オープンモバイルアライアンスデバイス管理（ＯＭＡ  ＤＭ）が、Ｒｅｌ−８以前のＵＳＩＭを伴うＵＥ１７０についての許容ＣＳＧリストを更新するために使用される。
【００７１】
３ＧＰＰ規格のリリース８（Ｒｅｌ−８）機能性をサポートすることが可能であるＵＥは、ＣＳＧ機能性をサポートし、許容ＣＳＧ識別のリストを維持し得る。このリストは、ＵＥがいずれのＣＳＧにも属さない場合には空であり得る。
【００７２】
ＨｅＮＢの各セルは、最大でも１つのＣＳＧに属し得る。ＨｅＮＢのセルが異なるＣＳＧに属し、よって、異なるＣＳＧ  ＩＤを有することが可能である。
【００７３】
許容ＣＳＧリストは、ＣＳＧ加入者の契約データの一部としてＭＭＥに提供される。
【００７４】
許容ＣＳＧリストは、アタッチ手順の結果、ＴＡＵ（追跡領域更新）手順、サービス要求、およびデタッチ手順に従って、またはＯＭＡ  ＤＭ手順等のアプリケーションレベル機構によって、ＵＥにおいて更新することができる。
【００７５】
ＭＭＥは、アタッチ、複合アタッチ、デタッチ、サービス要求、およびＴＡＵ手順中に、ＣＳＧセルを通してアクセスするＵＥに対してアクセス制御を行う。
【００７６】
ＵＥは、ＵＥがＣＳＧセルにアクセスすることを許可されない場合、ネットワークによる拒絶の原因を通知される。
【００７７】
ＵＥの許容ＣＳＧリストに含まれていないＣＳＧ  ＩＤがユーザによって手動で選択されると、ＭＭＥがＣＳＧアクセス制御を行うことを可能にするように、選択されたＣＳＧセルを介したＴＡＵ手順が、ＵＥによって即時にトリガされ得る。
【００７８】
ここで、図２、図３、および図４を参照して、ＨｅＮＢ  ＣＳＧセルのいくつかのアーキテクチャを説明する。
【００７９】
図２を参照すると、単一のＵＥ２７０が、参照点ＬＴＥ−Ｕｕ２７５上でＨｅＮＢ２１０と通信している。ＨｅＮＢ２１０は、参照点Ｓ１  ２１５上でＨｅＮＢゲートウェイ（ＨｅＮＢ  ＧＷ）２２０と通信している。ＨｅＮＢ  ＧＷ２２０は、参照点Ｓ１−ＭＭＥ２２４上でモビリティ管理エンティティ（ＭＭＥ）２３０と通信している。ＨｅＮＢ  ＧＷ２２０は、参照点Ｓ１−Ｕ２２６上でサービングゲートウェイ（Ｓ−ＧＷ）２４０と通信している。ＣＳＧリストサーバ（ＣＳＧリストＳｒｖ）２５０および家庭用加入者サーバ（ＨＳＳ）２６０は、家庭用公衆陸上移動ネットワーク（ＨＰＬＭＮ）２９０の一部である。その上でＵＥが動作し得る、ＨＰＬＭＮ２９０ではないネットワークは、訪問した公衆陸上移動ネットワーク（ＶＰＬＭＮ）２８０である。ＭＭＥ２３０は、参照点Ｓ６ａ２３５上でＨＳＳ２６０と通信している。Ｓ−ＧＷ２４０は、参照点Ｓ１１  ２４５上でＭＭＥ２３０と通信している。ＵＥ２７０は、参照点Ｃ１  ２８５上でＣＳＧリストＳｒｖ２５０と通信している。図２の要素および通信参照点のより詳細な説明が以下で提供される。
【００８０】
ＨｅＮＢ２１０：ＨｅＮＢ２１０によってサポートされる機能は、（非アクセス階層（ＮＡＳ）ノード選択機能（ＮＮＳＦ）の可能性を除いて）ｅＮＢによってサポートされるものと同じであり、ＨｅＮＢと進化型パケットコア（ＥＰＣ）との間で実行される手順は、ｅＮＢとＥＰＣとの間のものと同じであり得る。ＨｅＮＢ２１０は、ＳｅＧＷ２４０へ／からの通信を確保する。
【００８１】
ＨｅＮＢ  ＧＷ２２０：ＨｅＮＢ  ＧＷ２２０は、制御プレーン（Ｃプレーン）、特に、Ｓ１−ＭＭＥインターフェース２２４用の集線装置としての機能を果たす。ＨｅＮＢ  ＧＷは、随意で、ＨｅＮＢ２１０に向かって、およびＳ−ＧＷ２４０に向かって、ユーザプレーンを終了させ、ＨｅＮＢ２１０とＳ−ＧＷ２４０との間でユーザプレーンデータを中継するための中継機能を提供し得る。いくつかの実施形態では、ＨｅＮＢ  ＧＷ２２０は、ＮＮＳＦをサポートする。
【００８２】
セキュリティゲートウェイは、別個の物理的エンティティとして、または既存のエンティティと同一場所に位置して実装され得る、論理機能である。ＳｅＧＷは、ＨｅＮＢ２１０へ／からの通信を確保する。
【００８３】
ＬＴＥ−Ｕｕ２７５：ＵＥ２７０とＨｅＮＢ２１０との間の標準ＬＴＥ−Ｕｕインターフェース。
【００８４】
Ｓ１−ＭＭＥ２２４：ＨｅＮＢ  ＧＷ２２０が使用されない場合、Ｓ１−ＭＭＥ２２４インターフェースがＨｅＮＢ２１０とＭＭＥ２３０との間に規定される。図４のＨｅＮＢ  ＧＷ４２０のように、ＨｅＮＢ  ＧＷ２２０が存在する場合、ＨｅＮＢおよびＭＭＥの両方に向かってＳ１−ＭＭＥインターフェースを使用し得る。
【００８５】
Ｓ１−Ｕ２２６：Ｓ１−Ｕデータプレーンは、ネットワーク要素の配置に応じて、ＨｅＮＢ２１０、ＨｅＮＢ  ＧＷ２２０、およびサービングゲートウェイ（Ｓ−ＧＷ）２４０の間に規定される。ＨｅＮＢ２１０からのＳ１−Ｕ２２６インターフェースは、ＨｅＮＢ  ＧＷ２２０で終了させられ得、または、ＨｅＮＢとＳ−ＧＷとの間の直接論理Ｕプレーン接続が使用され得る。
【００８６】
Ｓ１１  ２４５：ＭＭＥ２３０とＳ−ＧＷ２４０との間の標準インターフェース。
【００８７】
Ｓ６ａ２３５：ＭＭＥ２３０とＨＳＳ２６０との間の標準インターフェース。
【００８８】
Ｃ１  ２８５：ＣＳＧリストＳｒｖ２５０とＣＳＧ対応ＵＥ２７０との間の随意的なインターフェース。ＯＴＡが、Ｒｅｌ−８  ＵＳＩＭを伴うＵＥ２７０上の許容ＣＳＧリストを更新するために使用される。ＯＭＡ  ＤＭが、Ｒｅｌ−８以前のＵＳＩＭを伴うＵＥ上の許容ＣＳＧリストを更新するために使用される。
【００８９】
図３を参照すると、単一のＵＥ３７０が、参照点ＬＴＥ−Ｕｕ３７５上でＨｅＮＢ３１０と通信している。ＨｅＮＢ３１０は、参照点Ｓ１−Ｕ３２６上でＳ−ＧＷ３４０と通信している。ＨｅＮＢ３１０は、参照点Ｓ１−ＭＭＥ３２４上でＭＭＥ３３０と通信している。ＣＳＧリストＳｒｖ３５０およびＨＳＳ３６０は、ＨＰＬＭＮ３９０の一部である。その上でＵＥが動作し得る、ＨＰＬＭＮ３９０ではないネットワークは、ＶＰＬＭＮ３８０である。ＭＭＥ３３０は、参照点Ｓ６ａ３３５上でＨＳＳ３６０と通信している。Ｓ−ＧＷ３４０は、参照点Ｓ１１  ３４５上でＭＭＥ３３０と通信している。ＵＥ３７０は、参照点Ｃ１  ３８５上でＣＳＧリストＳｒｖ３５０と通信している。
【００９０】
図４を参照すると、単一のＵＥ４７０が、参照点ＬＴＥ−Ｕｕ４７５上でＨｅＮＢ４１０と通信している。ＨｅＮＢ４１０は、参照点Ｓ１−Ｕ４２６上でＳ−ＧＷ４４０と通信している。ＨｅＮＢ４１０は、参照点Ｓ１−ＭＭＥ４２２上でＨｅＮＢ−ＧＷ４２０と通信している。ＨｅＮＢ−ＧＷ４２０は、参照点Ｓ１−ＭＭＥ４２４上でＭＭＥ４３０と通信している。ＣＳＧリストＳｒｖ４５０およびＨＳＳ４６０は、ＨＰＬＭＮ４９０の一部である。その上でＵＥが動作し得る、ＨＰＬＭＮ４９０ではないネットワークは、ＶＰＬＭＮ４８０である。ＭＭＥ４３０は、参照点Ｓ６ａ４３５上でＨＳＳ４６０と通信している。Ｓ−ＧＷ４４０は、参照点Ｓ１１  ４４５上でＭＭＥ４３０と通信している。ＵＥ４７０は、参照点Ｃ１  ４８５上でＣＳＧリストＳｒｖ４５０と通信している。
【００９１】
従来、ＵＥは、遠隔接続を通してサービスに接続する（２Ｇ／３Ｇの場合は、コナネットワーク内のＧＧＳＮに向かったＰＤＰコンテキスト、および進化型パケットシステム（ＥＰＳ）ではＰＧＷへのＰＤＮ接続）。
【００９２】
ＨＮＢ／ＨｅＮＢは、家庭または企業環境に位置することができる。以下の説明のうちのいくらかは、ホームネットワークにあるＨＮＢ／ＨｅＮＢを参照するが、これは、本願の発明を限定することを目的としていない。
【００９３】
ＵＥがＨＮＢに接続する場合、あるシナリオでは、ＵＥが、ローカル接続性、すなわち、ＨＮＢにとってローカルであるＩＰネットワーク（すなわち、ＨＮＢ「家庭」構内での（住居または企業）ＩＰネットワーク）を通した接続性を取得することから利益を得ることが予測される。このシナリオの例は、ＵＥの中の所与のアプリケーションが、ローカルプリンタで印刷する必要がある場合、またはアプリケーションがローカルメディアプレーヤから更新された音楽プレイリストをダウンロードする必要がある場合である。
【００９４】
ここで、図２１および２２を参照して、非３ＧＰＰのいくつかのアーキテクチャを説明する。
【００９５】
図２１を参照すると、ＨＰＬＭＮ２２１０は、参照点ＳＷｘ２２２２上で３ＧＰＰ  ＡＡＡサーバ２２２０と通信するＨＳＳ２２１５を含む。３ＧＰＰ  ＡＡＡサーバ２２２０は、参照点Ｓ６ｂ２２２７を介してＰＤＮゲートウェイ２２２５と通信している。ＰＤＮゲートウェイ２２２５は、参照点Ｇｘ２２３５上でｈＰＣＲＲ２２３０と通信している。ＰＤＮゲートウェイ２２２５は、参照点ＳＧｉ２２４５上でオペレータのＩＰサービス２２４０と通信している。ｈＰＣＲＲ２２３０は、参照点Ｒｘ２２３８上でオペレータのＩＰサービス２２４０と通信している。
【００９６】
ＶＰＬＭＮは、サービングゲートウェイ２２６０を有する３ＧＰＰアクセス２２５５を含む。サービングゲートウェイ２２６０は、参照点Ｇｘｃ２２６２上でｖＰＣＲＦ２２６５と通信している。ｖＰＣＲＦ２２６５は、参照点Ｇｘｂ２２６８上でｅＰＤＧ２２７０と通信している。ｅＰＤＧ２２７０は、参照点ＳＷｍ２２７２上で３ＧＰＰ  ＡＡＡプロキシ２２７５と通信している。
【００９７】
サービングゲートウェイ２２６０は、参照点Ｓ８  ２２６４上でＰＤＮゲートウェイ２２２５と通信している。３ＧＰＰアクセス２２５５は、参照点Ｓ６ａ２２５２上でＨＳＳ２２１５と通信している。ｅＰＤＧ２２７０は、参照点Ｓ２ｂ２２７１上でＰＤＮゲートウェイ２２２５と通信している。３ＧＰＰ  ＡＡＡサーバは、参照点ＳＷｄ２２７８上で３ＧＰＰ  ＡＡＡプロキシ２２７５と通信している。ｈＰＣＲＦ２２３０は、参照点２２３２上でｖＰＣＲＦ２２６５と通信している。
【００９８】
非３ＧＰＰネットワーク２２７９は、信頼できる非３ＧＰＰ  ＩＰアクセス２２８０と、信頼できない非３ＧＰＰ  ＩＰアクセス２２８５とを含む。信頼できる、および信頼できない非３ＧＰＰアクセスネットワークは、仕様が３ＧＰＰの範囲外であるアクセス技術を使用する、ＩＰアクセスネットワークである。
【００９９】
信頼できる非３ＧＰＰ  ＩＰアクセス２２８０は、参照点ＳＴａ２２８２上で３ＧＰＰ  ＡＡＡプロキシ２２７５と通信し、参照点Ｇｘａ２２８３上でｖＰＣＲＦ２２６５と通信し、参照点Ｓ２ａ２２８４上でＰＤＮゲートウェイ２２２５と通信している。
【０１００】
信頼できない非３ＧＰＰ  ＩＰアクセス２２８５は、参照点ＳＷａ２２８７上で３ＧＰＰ  ＡＡＡプロキシ２２７５と通信し、ｅＰＤＧ２２７０と通信している。
【０１０１】
図２２を参照すると、ＨＰＬＭＮ２２１０、ＶＰＬＭＮ２２５０、および非３ＧＰＰネットワーク２２７９内のネットワーク要素は、図２１と同じであるが、要素のうちのいくつかの間の接続性が異なる。
【０１０２】
信頼できる非３ＧＰＰ  ＩＰアクセス２２８０について、図２１の場合のようなＰＤＮゲートウェイ２２２５に直接対する参照点の代わりに、信頼できる非３ＧＰＰ  ＩＰアクセス２２８０からサービングゲートウェイ２２６０への参照点Ｓ２ａ−ＰＭＩＰ２２９２、およびサービングゲートウェイ２２６０からＰＤＮゲートウェイ２２２５への既存の参照点２２６４がある。また、サービングゲートウェイ２２６０とｅＰＤＧ２２７０との間に追加の参照点２２９４があることも示されている。
【０１０３】
信頼できない非３ＧＰＰ  ＩＰアクセス２２８５について、ｅＰＤＧ２２７０に対する参照点ＳＷｎ２２８８は、新しい参照点Ｗｎ２２９０と置換されている。
【０１０４】
Ｓ２ａ２２８４は、ユーザプレーンに、信頼できる非３ＧＰＰ  ＩＰアクセス２２８０とＰＤＮゲートウェイ２２２５との間の関連制御およびモビリティサポートを提供する。
【０１０５】
Ｓ２ｂ２２７１は、ユーザプレーンに、ｅＰＤＧ２２７０とＰＤＮゲートウェイ２２２５との間の関連制御およびモビリティサポートを提供する。
【０１０６】
Ｓ８  ２２６４は、ユーザプレーンに、サービングＧＷ２２６０とＰＤＮ  ＧＷ２２２５との間のトンネリングおよびトンネル管理を提供する。それは、ＵＥモビリティによるサービングＧＷ再配置、およびサービングＧＷが必要とされるＰＤＮ接続性のために配置されていないＰＤＮ  ＧＷに接続する必要がある場合のサービングＧＷ再配置に使用される。
【０１０７】
Ｓ６ａ２２５２は、認証および承認のためにＭＭＥとＨＳＳ２２１５との間で規定される。
【０１０８】
Ｓ６ｂ２２２７は、必要な場合、モビリティ関連認証のためのＰＤＮゲートウェイ２２２５と３ＧＰＰ  ＡＡＡサーバ／プロキシ２２２０との間の参照点である。この参照点はまた、モビリティパラメータの記憶を読み出し、要求するために使用され得る。この参照点はまた、動的ＰＣＣがサポートされていない場合に、非３ＧＰＰアクセス用のＵＥの静的ＱｏＳプロファイルを読み出すために使用され得る。
【０１０９】
Ｇｘ２２３５は、ＰＣＲＦ２２３０からＰＤＮ  ＧＷ２２２５内の方針および課金実施機能（ＰＣＥＦ）への（ＱｏＳ）方針および課金ルールの転送を提供する。
【０１１０】
Ｇｘａ２２８３は、ＰＣＲＦ２２６５から信頼できる非３ＧＰＰ  ＩＰアクセス２２８０への（ＱｏＳ）方針情報の転送を提供する。
【０１１１】
Ｇｘｃ２２６２は、ＰＣＲＦ２２６５からサービングゲートウェイ２２６０への（ＱｏＳ）方針情報の転送を提供する。
【０１１２】
Ｓ９  ２２３２は、ローカルブレイクアウト機能をサポートするために、家庭用ＰＣＲＦ２２３０および訪問したＰＣＲＦ２２６５との間で（ＱｏＳ）方針および課金制御情報の転送を提供する。全ての他のローミングシナリオで、Ｓ９は、ＨＰＬＭＮ２２１０から動的ＱｏＳ制御方針を提供する機能性を有する。
【０１１３】
ＳＧｉ２２４５は、ＰＤＮゲートウェイ２２２５とパケットデータネットワークとの間の参照点である。パケットデータネットワークは、例えば、ＩＭＳサービスの提供のための、オペレータ外部公衆または私的パケットデータネットワークあるいはオペレータ内パケットデータネットワークであり得る。この参照点は、ＧｉおよびＷｉ機能性に対応し、あらゆる３ＧＰＰおよび非３ＧＰＰアクセスシステムをサポートする。
【０１１４】
ＳＷａ２２８７は、信頼できない非３ＧＰＰ  ＩＰアクセス２２８５を３ＧＰＰ  ＡＡＡサーバ／プロキシ２２７５と接続し、確実な方式でアクセス認証、承認、および課金関連情報を輸送する。
【０１１５】
ＳＴａ２２８２は、信頼できる非３ＧＰＰ  ＩＰアクセス２２８０を３ＧＰＰ  ＡＡＡサーバ／プロキシ２２７５と接続し、確実な方式でアクセス認証、承認、モビリティパラメータ、および課金関連情報を輸送する。
【０１１６】
ＳＷｄ２２７８は、おそらく中間ネットワークを介して、３ＧＰＰ  ＡＡＡプロキシ２２７５を３ＧＰＰ  ＡＡＡサーバ２２２０に接続する。
【０１１７】
ＳＷｍ２２７２は、３ＧＰＰ  ＡＡＡサーバ／プロキシ２２７５とｅＰＤＧ２２７０との間に位置し、ＡＡＡ信号伝達（モビリティパラメータ、トンネル認証、および承認データの輸送）に使用される。
【０１１８】
ＳＷｎ２２８８は、信頼できない非３ＧＰＰ  ＩＰアクセス２２８５とｅＰＤＧ２２７０との間の参照点である。ＵＥ開始トンネルに対するこのインターフェース上のトラフィックは、ｅＰＤＧに向かって押し進められる必要がある。この参照点は、Ｗｎと同じ機能性を有する。
【０１１９】
ＳＷｕは、ＵＥとｅＰＤＧ２２７０との間の参照点であり、ＩＰＳｅｃトンネルの処理をサポートする。ＳＷｕの機能性は、ＵＥ開始トンネル確立、ＩＰＳｅｃトンネル内のユーザデータパケット伝送、ならびに２つの信頼できない非３ＧＰＰ  ＩＰアクセス間のハンドオーバ中のトンネルの解体およびＩＰＳｅｃトンネルの高速更新へのサポートを含む。
【０１２０】
ＳＷｘ２２２２は、３ＧＰＰ  ＡＡＡサーバとＨＳＳとの間に位置し、認証、契約、およびＤＮ接続関連データの輸送に使用される。
【０１２１】
ＬＩＰＡを図５および６に関してさらに詳細に説明する。
【０１２２】
図５を参照すると、図示されているネットワークは、ＳＧＳＮ１４０に接続されたＧＧＳＮ１９６およびＧＧＳＮ１９６に接続されたＰＤＮ１９８、ならびに雲形によって規定される図示されたサービスエリアを有するホームネットワーク１０４の付加を伴って、図１と実質的に同じである。ＬＩＰＡ  ＰＤＮ接続性は、鎖線１０８を介して、ＵＥ１７０からＨＮＢ１１０を通ってローカルサービス１０６まで図示されている。コアネットワーク（ＨＮＢ  ＧＷ１２０、ＳＧＳＮ１４０、およびＧＧＳＮ１９６）を介した通常ＰＤＮ接続性は、実線１０５を介して、ＵＥ１７０からＰＤＮ１９８まで図示されている。
【０１２３】
図６を参照すると、図示されているネットワークは、Ｓ−ＧＷ２４０に接続されたＰＧＷ２９６およびＰＧＷ２９６に接続されたＰＤＮ２９８、ならびに雲形によって規定される図示されたサービスエリアを有するホームネットワーク２０４の付加を伴って、図２と実質的に同じである。ＬＩＰＡ  ＰＤＮ接続性は、鎖線２０８を介して、ＵＥ２７０からＨｅＮＢ２１０を通ってローカルサービス２０６まで図示されている。コアネットワーク（ＨｅＢＮ２１０、ＨｅＮＢ  ＧＷ２２０、Ｓ−ＧＷ２４０、およびＰＧＷ２９６）を介した通常ＰＤＮ接続性は、実線２０５を介して、ＵＥ２７０からＰＤＮ２９８まで図示されている。
【０１２４】
いくつかの実装では、ＵＥは、ＵＥが特定の閉鎖加入者グループ（ＣＳＧ）に属するという知識を有する結果として、所与のＨＮＢにアクセスできるかどうかを決定する。ＨＮＢのオペレータ／所有者は、ＣＳＧのリストを作成し、どのＨＮＢに接続することができるかをＵＥが分かるように、ＣＳＧリストをＵＥを使えるように設定する。したがって、マクロ受信可能範囲内（すなわち、ＣＳＧ／ＨＮＢに属しないセルラーセル内）で移動しているＵＥは、ＣＳＧ／ＨＮＢセルに遭遇し得る。ＵＥは、そのようなＨＮＢへの接続を試行するか否かを決定するためにＣＳＧ情報を使用し得る。ＣＳＧ情報は、オペレータによってＵＥにおいて構成され、例えば、オープンモバイルアライアンスデバイス管理（ＯＭＡ−ＤＭ）を使用して、動的に修正され得る。ＬＩＰＡをサポートする汎用加入者識別モジュール（ＵＳＩＭ）情報も予測される。いくつかの実装では、この情報は、ＨｅＮＢホスティングパーティによって管理され得る。
【０１２５】
以下の論議では、明示的に示されない限り、ＬＩＰＡ接続性が論議される場合、課題および概念は、ＳＩＰＴＯ接続性にも適用される。
【０１２６】
（利用可能な接続性の種類の発見）
ＵＥが、以降で概してセルと呼ばれる、ＣＳＧの中のフェムトセル、またはＷＬＡＮ  ＡＰ、または非３ＧＰＰ無線技術におけるセルあるいはフェムトセル（例えば、３ＧＰＰ２セル）に接続する場合、ＵＥは、セルがＬＩＰＡ接続性を提供するかどうか、またはセルがコアネットワーク内の遠隔ＩＰ固着点（例えば、ＧＧＳＮまたはＰＤＮ  ＧＷ）への遠隔接続性のみを提供するかどうかが分からない場合がある。
【０１２７】
典型的には、ＵＥが要求するＰＤＮのうちの１つ以上に対する接続性を提供するかどうかという決定は、ＣＳＧセルのオペレータおよび／または所有者によって行われる。
【０１２８】
ＵＥにおけるユーザまたはアプリケーションがＬＩＰＡ接続性を使用して接続することを所望する場合、ユーザおよびアプリケーションは、そのような接続性の利用可能性を認識する必要がある。いくつかの実装では、レガシーＵＥ、すなわち、リリース９以前であるＵＥもまた、ＬＩＰＡ接続性を利用し得る。
【０１２９】
いくつかの実施形態では、ＣＳＧセルは、無線チャネル上で放送することによって、ＬＩＰＡ接続性が利用可能であるかどうかというサポートされた接続性種類の指示をＵＥに提供する。いくつかの実装では、フェムトセルは、ＬＩＰＡがサポートされているか否かという単純な指示を提供する。いくつかの実施形態では、フェムトセルは、「サポートされている」を示す値および「サポートされていない」を示す値とともに、「ＬＩＰＡがサポートされている」指示を提供する。いくつかの実施形態では、フェムトセルは、ＬＩＰＡがサポートされている場合のみ、「ＬＩＰＡがサポートされている」指示を提供する。ＵＥがフェムトセルに接続している場合、ＵＥは、サポートされた接続性種類の指示を検出し、サポートされた接続性種類の値に基づいて、ＬＩＰＡを使用して現在または将来のＰＤＮ接続を確立するか否かを決定する。ＵＥがフェムトセルに接続し、ＬＩＰＡ接続性がサポートされているかどうかを発見することは、ＵＥによるネットワークへの初期アタッチ、マクロセルからフェムトセルへのＵＥのハンドオーバ、マクロセルからフェムトセルへのＵＥのアイドルモビリティ、３ＧＰＰマクロセルまたは３ＧＰＰフェムトセルから非３ＧＰアクセスへのＵＥのハンドオーバ、および非３ＧＰＰアクセスから３ＧＰＰフェムトセルへのＵＥのハンドオーバ等であるが、それらに限定されないイベント中に起こり得る。ＵＥがフェムトセルに接続し、ＳＩＰＴＯ接続性がサポートされているかどうかを発見することは、ＵＥによるネットワークへの初期アタッチ、マクロセルからフェムトセルへ、またはフェムトセルからマクロセルへのＵＥのハンドオーバ、フェムトセルからマクロセルへのＵＥのアイドルモビリティ、３ＧＰＰマクロセルまたは３ＧＰＰフェムトセルから非３ＧＰアクセスへのＵＥのハンドオーバ、非３ＧＰＰアクセスから３ＧＰＰマクロセルまたはフェムトセルへのＵＥのハンドオーバ等であるが、それらに限定されないイベント中に起こり得る。
【０１３０】
いくつかの実施形態では、セルは、無線チャネル上で、セルで利用可能な接続性の種類の指示をＵＥに提供する。いくつかの実施形態では、セルは、ＬＩＰＡ接続性、ＳＩＰＴＯ接続性、および遠隔接続性のうちの１つ以上がサポートされているかどうかという単純な指示を提供する。
【０１３１】
いくつかの実装では、セルは、接続性の各種類に１つずつ、複数のフィールドまたはビットを使用して指示を提供し、それらのそれぞれは、特定の種類の接続性、例えば、ＬＩＰＡ接続性、ＳＩＰＴＯ接続性、および／または遠隔接続性がサポートされているかどうかを示す。いくつかの実装では、セルは、サポートされている接続性の各種類に１つずつ、複数の別個の指示を使用して指示を提供する。いくつかの実施形態では、１つまたは複数の指示は、接続性の種類がサポートされていない場合に「サポートされていない」値とともに含まれ得る。いくつかの実施形態では、１つまたは複数の指示は、接続性の種類がサポートされていない場合に省略され得る。ＵＥがセルに接続している場合、ＵＥは、サポートされた接続性種類の指示を検出し、サポートされた接続性種類の値に基づいて、ＬＩＰＡを使用して現在または将来のＰＤＮ接続を確立するか否かを決定する。
【０１３２】
上記の実施形態の実施例は、「ＬＩＰＡ接続性がサポートされている」または「ＬＩＰＡ接続性がサポートされていない」のいずれか一方を示す単一の指標またはビット、「ＬＩＰＡ接続性がサポートされている」または「ＬＩＰＡ接続性がサポートされていない」、「ＳＩＰＴＯ接続性がサポートされている」または「ＳＩＰＴＯ接続性がサポートされていない」、「遠隔接続性がサポートされている」または「遠隔接続性がサポートされていない」を示す複数の指標またはビットのうちの１つを含む、サポートされた接続性種類情報要素をＵＥに提供するという理念に基づき得る。
【０１３３】
いくつかの実施形態では、上記の実施形態で説明されるものと同様の指示は、例えば、ＵＥが最初にセルにアタッチする場合、またはＵＥがセルへのハンドオーバを行う場合、またはセルへのアイドルモビリティ後の接続性を確立する場合に（例えば、Ｅ−ＵＴＲＡＮにおける追跡領域更新またはＧＥＲＡＮ／ＵＴＲＡＮにおけるロケーション領域更新を行う場合に）、ネットワーキング層（例えば、ＧＥＲＡＮ、ＵＴＲＡＮ、またはＥ−ＵＴＲＡＮにおけるＮＡＳレベル、非３ＧＰＰアクセスのためのＩＰ層、またはＩＫＥｖ２信号伝達あるいはＤＳＭＩＰｖ６信号伝達）においてＵＥに提供される。
【０１３４】
そのような実装の実施例は、ＧＥＲＡＮ／ＵＴＲＡＮおよびＥ−ＵＴＲＡＮの両方におけるアタッチ容認メッセージの中、Ｅ−ＵＴＲＡＮにおける追跡領域更新メッセージの中、ＧＥＲＡＮ／ＵＴＲＡＮにおけるルーティング領域更新メッセージの中、ＧＥＲＡＮ／ＵＴＲＡＮにおける能動ＰＤＰコンテキスト容認の中、ＧＥＲＡＮ／ＵＴＲＡＮにおける能動ＰＤＰコンテキスト拒絶の中、およびＥ−ＵＴＲＡＮにおける能動デフォルトＥＰＳベアラコンテキスト要求メッセージの中で、サポートされた接続性種類情報要素をＵＥに提供するという理念に基づく。そのような実装の別の実施例は、進化型パケットデータゲートウェイ（ｅＰＤＧ）とのＷＬＡＮの接続性を確立する場合にＵＥによって使用されるＩＫＥｖ２信号伝達メッセージの中で、サポートされた接続性種類情報要素（ＩＥ）をＵＥに提供するという理念に基づく。そのような実装のさらなる実施例は、ＵＥがＷＬＡＮセルまたは別の非３ＧＰＰセル上で接続性を確立している場合の、例えば、３ＧＰＰ２セルの中、またはデュアルスタックモバイルＩＰｖ６（ＤＳＭＩＰｖ６）の中の非３ＧＰＰアクセス特有のネットワーキング層メッセージに基づく。
【０１３５】
いくつかの実施形態では、サポートされた接続性種類情報要素は、「ＬＩＰＡ接続性がサポートされている」または「ＬＩＰＡ接続性がサポートされていない」のいずれか一方を示す単一のビット、「ＬＩＰＡ接続性がサポートされている」または「ＬＩＰＡ接続性がサポートされていない」を示す複数のビット、「ＳＩＰＴＯ接続性がサポートされている」または「ＳＩＰＴＯ接続性がサポートされていない」、「遠隔接続性がサポートされている」または「遠隔接続性がサポートされていない」のうちの１つを含む。
【０１３６】
図２３を参照して、ユーザ機器（ＵＥ）において使用する方法を説明する。方法は、電気通信セルにおいて利用可能な接続性の種類の指示を受信するステップ２３−１を伴う。いくつかの実施形態では、利用可能な接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である。
【０１３７】
図２４に示されるように、いくつかの実施形態では、電気通信セルにおいて利用可能な接続性の種類の指示を受信するステップ２４−２は、ステップ２４−１でＵＥが電気通信セルにおいて利用可能な接続性の種類を要求することに応答して行われる。
【０１３８】
図２６を参照して、モビリティ管理エンティティで使用する方法を説明する。方法は、電気通信セルにおいて利用可能な接続性の種類の指示を提供するステップ２６−１を伴う。いくつかの実施形態では、利用可能な接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である。
【０１３９】
上記の実施形態を利用する、ＧＥＲＡＮ／ＵＴＲＡＮおよびＥＵＴＲＡＮシステムおよび非３ＧＰＰシステム用の初期アタッチのための手順の実施例が、以下でさらに詳細に提供される。
【０１４０】
（ＧＥＲＡＮ／ＵＴＲＡＮの実施形態例）
以下は、図７Ａおよび７Ｂを参照して上記で説明される実施形態を利用した、複合ＧＰＲＳ／ＩＭＳＩアタッチ手順の実施例である。上記で説明される解決法に特に関連するステップが詳細に説明される。本明細書で説明される解決法の影響を特に受けず、既知の手順を有し得る、ネットワークアタッチ手順のステップは、詳細に説明しない。
【０１４１】
信号フロー７−１において、Ａ／Ｇｂモードでは、ＭＳは、ＳＧＳＮへのアタッチ要求（ＩＭＳＩまたはＰ−ＴＭＳＩおよび旧ＲＡＩ、ＭＳ無線アクセス能力、ＭＳネットワーク能力、ＣＫＳＮ、アタッチ種類、ＤＲＸパラメータ、旧Ｐ−ＴＭＳＩ署名、付加的なＰ−ＴＭＳＩ）メッセージの伝送によって、アタッチ手順を開始する。
【０１４２】
信号フロー７−７において、ＳＧＳＮ番号がＧＰＲＳデタッチ以来変化している場合、または全く最初のアタッチである場合、または自動デバイス検出（ＡＤＤ）機能がサポートされ、ＩＭＥＩＳＶが変化している場合、またはＭＳがＩＭＳＩを提供するか、あるいはＭＳがＳＧＳＮにおける有効コンテキストを指し示さない旧Ｐ−ＴＭＳＩ／ＲＡＩを提供する場合には、ＳＧＳＮがＨＬＲに知らせる。
【０１４３】
信号フロー７−７ｆにおいて、ＨＬＲは、加入者データを挿入する（ＩＭＳＩ、契約データ、ＰＬＭＮに対するＣＳＧ契約データ）を新しいＳＧＳＮに送信する。Ｓ６ｄインターフェースがＳ４−ＳＧＳＮとＨＳＳとの間で使用される場合、「加入者データを挿入する」というメッセージは使用されない。代わりに、契約データが、メッセージ「ロケーション更新Ａｃｋ」の中でＨＳＳによって送信される（信号フロー７−７ｈ）。
【０１４４】
契約データは、ＵＥにサポートされたＣＳＧ接続性の種類を含む。
【０１４５】
信号フロー７−９において、ＧＰＲＳアタッチ要求がネットワークによって容認された場合、アタッチ容認（ＡＴＴＡＣＨ  ＡＣＣＥＰＴ）メッセージがＵＥに送信される。ＳＧＳＮは、アタッチ容認メッセージをＭＳに送信する。
【０１４６】
ネットワークは、現在のＣＳＧセルによってサポートされている接続性の種類（例えば、ＬＩＰＡ、ＳＩＰＴＯ等）を示すために、ＵＥがＣＳＧセルにアタッチしている場合、サポートされる接続性種類を含む。ＳＧＳＮは、選択された接続性種類またはサポートされた接続性種類、あるいは両方における指示が、現在のＣＳＧセルのみに適用される場合、または現在のＣＳＧ  ＩＤに適用される場合に、ＣＳＧ適用性指示を含む。
【０１４７】
ネットワークは、現在のＣＳＧセルによってサポートされている接続性の種類（例えば、ＬＩＰＡ、ＳＩＰＴＯ等）を示すために、ＵＥがＣＳＧセルにアタッチしている場合、サポートされる接続性の種類をＵＥに知らせる。ネットワークは、サポートされる接続性の種類が現在のＣＳＧセルのみに適用されるか、または現在のＣＳＧ  ＩＤに適用されるかの指示を含む。
【０１４８】
ＵＥにおいて、サポートされる接続性の種類は、上層に提供され得る。
【０１４９】
ＵＥがＣＳＧセルの中にあり、アタッチ容認（ＡＴＴＡＣＨ  ＡＣＣＥＰＴ）メッセージを受信し、ネットワークが、サポートされる接続性の種類等の特定の特徴のサポートについてＵＥに知らせる場合、サポートされる接続性の種類は、上層に提供され得る。
【０１５０】
ここで表１を参照して、アタッチ容認（ＡＴＴＡＣＨ  ＡＣＣＥＰＴ）メッセージの実施例を説明する。メッセージは、対応するアタッチ要求が容認されていることを示すように、ネットワークによってＭＳに送信される。メッセージは、ネットワークからＵＥへの方向に使用され得る。
【０１５１】
【表１】
2013516932.tif 000003
（サポートされた接続性種類）
ネットワークは、現在のＣＳＧセルによってサポートされる接続性の種類を示すために、ＵＥがＣＳＧセルにアタッチしている場合に、このＩＥを含み得る。
【０１５２】
（ＣＳＧ  ＩＤ）
ネットワークは、ＵＥがＣＳＧセルにアタッチしている場合、およびネットワークがサポートされた接続性種類を含む場合に、このＩＥを含み得る。ネットワークが、ＣＳＧ  ＩＤが含まれているという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれていないという指示を含む場合、これは、サポートされた接続性種類が現在のＣＳＧセルのみに適用されることを示す。
【０１５３】
「種類／参照」フィールド内の接続性種類の内容の実施例は、以下の表８で説明されるものである。
【０１５４】
Ｅ−ＵＴＲＡＮ対応ＵＥについてはＳＧＷ／ＰＧＷ、非Ｅ−ＵＴＲＡＮ対応ＵＥについてはＧＧＳＮに向かって優先順位を与えるように、ＳＧＳＮ上の選択機能を構成することが可能であり得る。
【０１５５】
（Ｅ−ＵＴＲＡＮの実施形態例）
（ＰＤＮ  ＧＷ選択機能）
いくつかの実施形態では、ＰＤＮ  ＧＷ選択機能は、３ＧＰＰアクセスのためのＰＤＮ接続性を提供するＰＤＮ  ＧＷを割り付ける。いくつかの実施形態では、ＰＤＮ  ＧＷ選択機能は、家庭用加入者サーバ（ＨＳＳ）によって提供される加入者情報、およびおそらく付加的な基準を使用する。
【０１５６】
ＨＳＳによって提供されるＰＤＮ契約コンテキストは、ａ）ＰＤＮ  ＧＷおよびＡＰＮの識別（Ｒｅｌ−８以前の２Ｇ／３Ｇ  ＳＧＳＮとの相互動作がある場合、契約ＰＤＮ  ＧＷアドレスを伴うＰＤＮ契約コンテキストは使用されない）、ｂ）ＡＰＮ、および訪問したＰＬＭＮからのＰＤＮ  ＧＷの割付が許可されているかどうか、または家庭用ＰＬＭＮからのＰＤＮ  ＧＷが割り付けられてもよいかどうかという、このＡＰＮに対する指示のうちの１つ以上を含み得る。随意で、ＰＤＮ  ＧＷの識別は、非３ＧＰＰアクセスを伴うハンドオーバのために含まれてもよく、ｃ）ＡＰＮ、およびＵＥに許可されたＣＳＧ接続性種類のこのＡＰＮに対する指示、およびｄ）ＰＤＮ  ＧＷの識別、ならびにＡＰＮおよびＵＥに許可された接続性種類のこのＡＰＮに対する指示である。指示は、各特定の種類の接続性が適用されることを示す、ゼロ、１つ、またはそれ以上のＣＳＧ  ＩＤを含み得る。
【０１５７】
いくつかの実施形態では、ＨＳＳはまた、１つ以上のＰＤＮ契約コンテキストのうちのどれが、ＵＥに対するデフォルトコンテキストであるかも示す。
【０１５８】
ＵＥが要求された接続性種類指示を提供する場合、モビリティ管理エンティティ（ＭＭＥ）は、ＰＤＮ  ＧＷを選択するために、そのような指示、および現在のＣＳＧセルのＣＳＧ  ＩＤ、およびＨＳＳ契約コンテキストから取得されるＣＳＧ  ＩＤのリストを使用し得る。
【０１５９】
（Ｅ−ＵＴＲＡＮ初期アタッチ）
ＵＥは、ネットワークに登録して、登録を必要とするサービスを受信する。この登録はまた、ネットワークアタッチと呼ばれ得る。常時オンＩＰ接続性を有するＵＥについて、このＩＰ接続性は、ネットワークアタッチ中にデフォルト進化型パケットシステム（ＥＰＳ）ベアラを確立することによって有効にされる。デフォルトＥＰＳベアラに適用されるルールは、ＰＤＮ  ＧＷにおいて事前に定義され、ＰＤＮ  ＧＷ自体によってアタッチにおいて起動され得る。ネットワークアタッチ手順は、１つまたは複数の専用ベアラ確立手順をトリガして、そのＵＥに対する専用ＥＰＳベアラを確立し得る。ネットワークアタッチ手順中に、ＵＥは、ＩＰアドレス割付を要求し得る。ＩＰアドレス割付にインターネット技術タスクフォース（ＩＥＴＦ）ベースの機構のみを利用する端末もサポートされる。
【０１６０】
ここで、図８Ａおよび８Ｂを参照して、ネットワークアタッチ手順を説明する。上記で説明される解決法に特に関連するステップが詳細に説明される。本明細書で説明される解決法の影響を特に受けず、既知の手順を有し得る、ネットワークアタッチ手順のステップは、詳細に説明しない。
【０１６１】
信号フロー８−１において、ＵＥは、ｅＮｏｄｅＢへのメッセージ（例えば、アタッチ要求（ＡＴＴＡＣＨ  ＲＥＱＵＥＳＴ）メッセージ）の伝送によって、アタッチ手順を開始する。メッセージは、要求された接続性種類と、いくつかの実施形態では、ＩＭＳＩまたは旧ＧＵＴＩ、最後に訪問したＴＡＩ（利用可能な場合）、ＵＥコアネットワーク能力、ＵＥ特定ＤＲＸパラメータ、ＰＤＮ種類、プロトコル構成オプション、暗号化オプション転送フラグ、アタッチ種類、要求種類、ＫＳＩＡＳＭＥ、ＮＡＳシーケンス番号、ＮＡＳ−ＭＡＣ、付加的なＧＵＴＩ、Ｐ−ＴＭＳＩ署名等であるが、それらに限定されない、他の情報とを含む。ＵＥは、ＰＤＰコンテキストに要求される接続性の種類（例えば、ＬＩＰＡ、ＳＩＰＴＯ等）を示すために、ＣＳＧセルを使用する場合に、要求された接続性種類指示を含む。
【０１６２】
ここで表２を参照して、アタッチ要求（ＡＴＴＡＣＨ  ＲＥＱＵＥＳＴ）メッセージの実施例を説明する。このメッセージは、アタッチ手順を行うためにＵＥによってネットワークに送信される。このメッセージは、ＵＥからネットワークへの方向に使用され得る。
【０１６３】
【表２】
2013516932.tif 000004
（要求された接続性種類）
このＩＥは、ＵＥがＰＤＰコンテキストのために特定の種類のＣＳＧ接続性（例えば、ＬＩＰＡ）を要求する場合に、メッセージに含まれ得る。
【０１６４】
「種類／参照」フィールド内の接続性種類の内容の実施例は、以下の表８で説明されるものである。
【０１６５】
もう一度図８Ａおよび８Ｂを参照すると、信号フロー８−１１において、ＨＳＳは、ロケーション更新確認（ＵＰＤＡＴＥ  ＬＯＣＡＴＩＯＮ  ＡＣＫ）メッセージを新しいＭＭＥに送信することによって、ロケーション更新メッセージを確認する。ロケーション更新確認（ＵＰＤＡＴＥ  ＬＯＣＡＴＩＯＮ  ＡＣＫ）メッセージは、ＩＭＳＩおよび契約データ等であるが、それに限定されない情報を含み得る。いくつかの実施形態では、契約データは、ＣＳＧ契約情報を含む。いくつかの実施形態では、契約データは、ＵＥにサポートされるＣＳＧ接続性の種類を含む。
【０１６６】
信号フロー８−１２において、「初期要求」を示す要求種類について、ＵＥがＡＰＮを提供しない場合、ＭＭＥは、デフォルトベアラ起動のために、デフォルトＡＰＮに対応するＰＤＮ  ＧＷを使用し得る。ＵＥがＡＰＮを提供する場合、このＡＰＮは、デフォルトベアラ起動に採用され得る。
【０１６７】
要求種類が「初期要求」を示し、選択されたＰＤＮ契約コンテキストがＰＤＮ  ＧＷ識別を含まない場合、新しいＭＭＥは、ＰＤＮ  ＧＷ選択機能（３ＧＰＰアクセス）セクションにおいて上記で説明されるようにＰＤＮ  ＧＷを選択する。ＰＤＮ契約コンテキストが動的に割り付けられたＰＤＮ  ＧＷ識別を含み、要求種類が「ハンドオーバ」を示さない場合、ＭＭＥは、上記で説明されるように新しいＰＤＮ  ＧＷを選択し得る。
【０１６８】
ＭＭＥは、要求された接続性種類、およびＵＥが接続されるＣＳＧ  セルのＣＳＧ  ＩＤも考慮して、ＵＥ要求を認定する。ＭＭＥは、ネットワーク設定および契約データに基づいて、ＵＥによって要求される接続性の種類が、要求されたＡＰＮおよびＣＳＧ  ＩＤについて承認されているかどうかを決定する。
【０１６９】
ここで、図２５を参照して、要求を認定することを要求する方法を説明する。第１のステップ２５−１は、ネットワーク内の第２のノードから接続性の種類の要求を受信することを伴う。第２のステップ２５−２は、要求、および第２のノードに関する第１のノードに記憶された情報に基づいて、要求を認定することを伴う。
【０１７０】
ＭＭＥが、ＵＥによって要求される接続性の種類が容認可能ではないと決定した場合、ＭＭＥは、適切なエラー原因を含んで、アタッチ要求を拒絶することができる。ＭＭＥは、サポートされるＣＳＧ接続性の種類を示すように、サポートされた接続性種類を含む。ＭＭＥは、要求された接続性種類が現在のＡＰＮに容認可能ではないかどうか、またはどのＡＰＮにそれが容認可能ではないかという指示を含む。ＭＭＥは、要求された接続性種類が同じＣＳＧ内の全てのセルの中で容認可能ではないかどうかの指示を含む。
【０１７１】
ＭＭＥが、ＵＥによって要求される接続性の種類が容認可能ではないと決定した場合、ＭＭＥは、現在のＡＰＮおよび現在のＣＳＧ  ＩＤについてＵＥに対する容認可能な接続性の種類を選択することができる。
【０１７２】
ＭＭＥは、ＣＳＧセルが使用される場合にＰＤＮ  ＧＷアドレスを導出するために接続性種類指示（要求された接続性種類指示または選択された接続性の種類のいずれか一方に設定される）を使用し得る。ＭＭＥは、上記で説明されるようにＰＤＮ  ＧＷを選択し得る。
【０１７３】
ＭＭＥは、ＰＤＮ接続に要求される接続性の種類を示すために、ＣＳＧセルを使用する場合に、接続性種類（要求された接続性種類指示または選択された接続性の種類のいずれか一方に設定される）を含む。
【０１７４】
新しいＭＭＥは、サービングＧＷ（Ｓ−ＧＷ）を選択する。次いで、それは、メッセージ、例えば、セッション作成要求（ＣＲＥＡＴＥ  ＳＥＳＳＩＯＮ  ＲＥＱＵＥＳＴ）メッセージを選択されたＳ−ＧＷに送信する。メッセージは、接続性種類と、いくつかの実施形態では、ＩＭＳＩ、ＭＳＩＳＤＮ、制御プレーン用のＭＭＥ  ＴＥＩＤ、ＰＤＮ  ＧＷアドレス、ＰＤＮアドレス、ＡＰＮ、ＲＡＴ種類、デフォルトＥＰＳベアラＱｏＳ、ＰＤＮ種類、ＡＰＮ−ＡＭＢＲ、ＥＰＳベアラ識別、プロトコル構成オプション、ハンドオーバ指示、ＭＥ識別、ユーザロケーション情報（ＥＣＧＩ）、ＭＳ情報変更報告サポート指示、選択モード、課金特性、トレース参照、トレース種類、トリガＩｄ、ＯＭＣ識別、最大ＡＰＮ制限、デュアルアドレスベアラフラグ、およびＳ５／Ｓ８上のプロトコル種類等であるが、それらに限定されない情報を含み得る。
【０１７５】
ＭＭＥは、ＰＤＮ接続に要求される接続性の種類（例えば、ＬＩＰＡ、ＳＩＰＴＯ）を示すために、ＣＳＧセルを使用する場合に、接続性種類を含む。
【０１７６】
もう一度図８Ａおよび８Ｂを参照すると、信号フロー８−１３において、サービングＧＷは、そのＥＰＳベアラ表に新しい入力を作成し、メッセージ、例えば、セッション作成要求（ＣＲＥＡＴＥ  ＳＥＳＳＩＯＮ  ＲＥＱＵＥＳＴ）メッセージを、以前のステップで受信されたＰＤＮ  ＧＷアドレスによって示されるＰＤＮ  ＧＷに送信する。メッセージは、接続性種類を含み、いくつかの実施形態では、ＩＭＳＩ、ＭＳＩＳＤＮ、ＡＰＮ、ユーザプレーンに対するサービングＧＷアドレス、ユーザプレーンのサービングＧＷ  ＴＥＩＤ、制御プレーンのサービングＧＷ  ＴＥＩＤ、ＲＡＴ種類、デフォルトＥＰＳベアラＱｏＳ、ＰＤＮ種類、ＰＤＮアドレス、契約ＡＰＮ−ＡＭＢＲ、ＥＰＳベアラ識別、プロトコル構成オプション、ハンドオーバ指示、ＭＥ識別、ユーザロケーション情報（ＥＣＧＩ）、ＭＳ情報変更報告サポート指示、選択モード、課金特性、トレース参照、トレース種類、トリガＩｄ、ＯＭＣ識別、最大ＡＰＮ制限、およびデュアルアドレスベアラフラグ等であるが、それらに限定されない情報を含み得る。
【０１７７】
信号フロー８−１５において、Ｐ−ＧＷは、そのＥＰＳベアラコンテキスト表に新しい入力を作成し、課金Ｉｄを生成する。
【０１７８】
ＰＤＮ  ＧＷは、メッセージ、例えば、セッション作成応答（ＣＲＥＡＴＥ  ＳＥＳＳＩＯＮ  ＲＥＳＰＯＮＳＥ）メッセージをサービングＧＷに返信する。メッセージは、選択された接続性種類を含み、いくつかの実施形態では、ユーザプレーンに対するＰＤＮ  ＧＷアドレス、ユーザプレーンのＰＤＮ  ＧＷ  ＴＥＩＤ、制御プレーンのＰＤＮ  ＧＷ  ＴＥＩＤ、ＰＤＮ種類、ＰＤＮアドレス、ＥＰＳベアラ識別、ＥＰＳベアラＱｏＳ、プロトコル構成オプション、課金Ｉｄ、ペイロード圧縮禁止、ＡＰＮ制限、原因、ＭＳ情報変更報告動作（開始）（ＰＤＮ  ＧＷがセッション中にＵＥの位置情報を受信することを決定する場合）、およびＡＰＮ−ＡＭＢＲ等であるが、それらに限定されない情報を含み得る。
【０１７９】
ＰＤＮ  ＧＷは、現在のＰＤＮ接続のために選択される接続性の種類（例えば、ＬＩＰＡ、ＳＩＰＴＯ等）を示すために、選択された接続性種類の指示を返信する。
【０１８０】
信号フロー８−１６において、サービングＧＷは、メッセージ、例えば、セッション作成応答（ＣＲＥＡＴＥ  ＳＥＳＳＩＯＮ  ＲＥＳＰＯＮＳＥ）メッセージを新しいＭＭＥに返信する。メッセージは、選択された接続性種類を含み、いくつかの実施形態では、ＰＤＮ種類、ＰＤＮアドレス、ユーザプレーンに対するサービングＧＷアドレス、ユーザプレーンに対するサービングＧＷ  ＴＥＩＤ、制御プレーンに対するサービングＧＷ  ＴＥＩＤ、ＥＰＳベアラ識別、ＥＰＳベアラＱｏＳ、アップリンクトラフィックのためのＰＤＮ  ＧＷにおけるＰＤＮ  ＧＷアドレスおよびＴＥＩＤ（ＧＴＰベースのＳ５／Ｓ８）またはＧＲＥキー（ＰＭＩＰベースのＳ５／Ｓ８）、プロトコル構成オプション、課金Ｉｄ、ペイロード圧縮禁止、ＡＰＮ制限、原因、ＭＳ情報変更報告動作（開始）、およびＡＰＮ−ＡＭＢＲ等であるが、それらに限定されない情報を含み得る。
【０１８１】
信号フロー８−１７において、新しいＭＭＥは、メッセージを、例えば、アタッチ容認（ＡＴＴＡＣＨ  ＡＣＣＥＰＴ）メッセージをｅＮｏｄｅＢに送信する。メッセージは、サポートされた接続性種類、選択された接続性種類、ＡＰＮ適用性、およびＣＳＧ適用性のうちの１つ以上を含み、いくつかの実施形態では、ＡＰＮ、ＧＵＴＩ、ＰＤＮ種類、ＰＤＮアドレス、ＴＡＩリスト、ＥＰＳベアラ識別、セッション管理要求、プロトコル構成オプション、ＫＳＩＡＳＭＥ、ＮＡＳシーケンス番号、ＮＡＳ−ＭＡＣ、ＩＭＳボイスオーバーＰＳセッションがサポートされている指示、および緊急サービスサポート指標等であるが、それらに限定されない情報を含み得る。
【０１８２】
ＭＭＥは、サポートされる接続性の種類（例えば、ＬＩＰＡ、ＳＩＰＴＯ等）をＵＥに示すために、ＵＥがＣＳＧセルにアタッチしている場合にサポートされた接続種類を含む。
【０１８３】
ＭＭＥは、現在のＰＤＮ接続のために選択される接続性の種類（例えば、ＬＩＰＡ、ＳＩＰＴＯ等）を示すために、選択された接続性種類の指示を返信する。
【０１８４】
ＭＭＥは、要求された接続性種類が現在のＡＰＮに容認可能ではないかどうか、または選択された接続性種類が要求された接続性種類とは異なる場合に、どのＡＰＮにそれが容認可能ではないかという指示を含む。
【０１８５】
ＭＭＥは、選択された接続性種類および／またはサポートされた接続性種類における指示が現在のＣＳＧセルのみに適用される場合、または現在のＣＳＧ  ＩＤに適用される場合に、ＣＳＧ適用性指示を含む。
【０１８６】
（ネットワークによって容認されるアタッチ）
アタッチ要求がネットワークによって容認された場合、ＭＭＥは、アタッチ容認（ＡＴＴＡＣＨ  ＡＣＣＥＰＴ）メッセージをＵＥに送信して、タイマＴ３４５０を始動し得る。ＭＭＥは、進化型パケットシステム（ＥＰＳ）セッション管理（ＥＳＭ）メッセージコンテナ情報要素に含まれるデフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージとともに、アタッチ容認（ＡＴＴＡＣＨ  ＡＣＣＥＰＴ）メッセージを送信して、デフォルトベアラを起動し得る。
【０１８７】
ネットワークは、ＥＰＳネットワーク特徴サポート情報要素の中で、ＩＭＳボイスオーバーＰＳセッションまたは緊急ベアラサービス等の特定の特徴のサポートについてＵＥに知らせる。ＩＭＳボイスオーバーＰＳ能力を伴うＵＥでは、ＩＭＳボイスオーバーＰＳセッション指標および緊急ベアラサービス指標が、上層に提供され得る。上層は、ボイスセッションまたは呼び出しのためのアクセスドメインを選択する場合に、ＩＭＳボイスオーバーＰＳセッション指標を考慮し得る。緊急呼び出しを開始する場合に、上層はまた、アクセスドメイン選択のために、緊急ベアラサービス指標を考慮し得る。
【０１８８】
ネットワークは、現在のＣＳＧセルによってサポートされる接続性の種類（例えば、ＬＩＰＡ、ＳＩＰＴＯ等）を示すために、ＵＥがＣＳＧセルにアタッチしている場合にサポートされる接続性の種類をＵＥに知らせる。ネットワークは、サポートされる接続性の種類が現在のＣＳＧセルのみに適用されるか、または現在のＣＳＧ  ＩＤに適用されるかの指示を含む。
【０１８９】
ＵＥがＣＳＧセルの中にあり、アタッチ容認（ＡＴＴＡＣＨ  ＡＣＣＥＰＴ）メッセージを受信し、ネットワークが、サポートされる接続性の種類等の特定の特徴のサポートについてＵＥに知らせる場合、サポートされる接続性の種類は、上層に提供され得る。
【０１９０】
ここで表３を参照して、アタッチ容認（ＡＴＴＡＣＨ  ＡＣＣＥＰＴ）メッセージの実施例を説明する。このメッセージは、対応するアタッチ要求が容認されていることを示すように、ネットワークによってＭＳに送信される。このメッセージは、ネットワークからＵＥへの方向に使用され得る。
【０１９１】
【表３】
2013516932.tif 000005
（サポートされた接続性種類）
ネットワークは、現在のＣＳＧセルによってサポートされる接続性の種類を示すために、ＵＥがＣＳＧセルにアタッチしている場合に、このＩＥを含み得る。
【０１９２】
（選択された接続性種類）
このＩＥは、ネットワークによって選択される接続性種類をＵＥに知らせるために含まれ得る。
【０１９３】
（ＡＰＮ適用性指示）
このＩＥは、ネットワークが、どのようなＡＰＮに対して、ＵＥによって要求される接続性の種類が容認可能ではないかを示す場合に含まれ得る。ネットワークが、１つ以上のＡＰＮが含まれるという指示を含む場合、これは、ＵＥによって要求される接続性の種類が、提供される全てのＡＰＮに対して容認可能ではないことを示す。ネットワークが、ＡＰＮ  ＩＤが含まれないという指示を含む場合、これは、サポートされた接続性種類が現在のＡＰＮのみに適用されることを示す。
【０１９４】
（ＣＳＧ適用性指示）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０１９５】
「種類／参照」フィールド内の接続性種類の内容の実施例は、以下の表８で説明されるものである。
【０１９６】
いくつかの実施形態では、（例えば、ＵＥ構成または更新時に）ネットワークによってＵＥに提供されるＭＯ（管理オブジェクト）は、ＬＩＰＡ適用性を示すために使用され、また、それを使用するために必要な手段／情報を提供する。
【０１９７】
いくつかの実装では、ＭＯは、ＵＥが問い合わせを行ってネットワークに関する情報を読み出すことができるＡＮＤＳＦ（アクセスネットワーク発見および選択機能）、または情報をＵＥにプッシュ配信することができるＡＮＤＳＦによって、ＵＥに提供され得る。
【０１９８】
いくつかの実施形態では、ＵＥは、ホームオペレータまたは訪問したオペレータネットワーク内で、オペレータネットワークに位置するＡＮＤＳＦによってＭＯが提供され得る。
【０１９９】
いくつかの実施形態では、ＨｅＮＢと並置される、またはＨｅＮＢの付近にあるＬＩＰＡマネージャネットワーク機能性は、ＨｅＮＢ接続性領域中のＬＩＰＡ機能性の利用可能性で（例えば、ＯＭＡ  ＤＭ  ＭＯリーフを使用して）ＵＥを使えるように設定する。いくつかの実施形態では、ＬＩＰＡマネージャは、ＡＮＤＳＦと同様の機能性である。
【０２００】
いくつかの実装では、ＭＯは、ＨｅＮＢによってホストされ得る。いくつかの実施形態では、ＵＥは、ＭＯサーバを発見する必要があり得る。いくつかの実装では、ＭＯサーバは、ＨＮＢが位置する「ホーム」ネットワークに位置する、ＡＮＤＳＦサーバであり得る。いくつかの実装では、ＭＯサーバは、ＨＮＢに存在し得る。いくつかの実装では、ＵＥは、ＬＩＰＡモードでのＨＮＢへの最初の接続時にＭＯサーバを発見する。いくつかの実装では、ＵＥは、ＨＮＢ所有者／オペレータ、サーバのアドレスを伴うユーザ、または両方によって事前に構成され得る。ホームネットワークの外側からＨＮＢネットワーク内のＭＯサーバに到達することができるシナリオについて、ＵＥはまた、いったんセルラーネットワークとの接続性を獲得すると、ドメイン名システム（ＤＮＳ）に問い合わせを行い、ＭＯサーバのＩＰアドレスを入手するためにＵＥが使用することができる、ＦＱＤＮ（すなわち、ウェブアドレス）を伴って事前に構成され得る。
【０２０１】
ＭＯを使用することの実施例が以下で説明される。
【０２０２】
（ＨＨＰＰＦ：ＨｅＢＮホスティングパーティプロビジョニング機能）
ＨＨＰＰＦは、ＨｅＮＢにアタッチされたＵＥに情報を提供する、ネットワーク要素である。いくつかの実施形態では、ＨＨＰＰＦは、ＨｅＮＢと並置される。複数のＨｅＮＢが展開される構成では、１つのＨＨＰＰＦが、異なるＨｅＮＢに接続されたＵＥにサービス提供し得る。１つのＣＳＧセルの中に複数のＨＨＰＰＦがあり得る。
【０２０３】
ＨＨＰＰＦは、ＬＩＰＡ接続性を求めるＵＥに指標を提供することができる。これらの指標は、１つ以上のＯＭＡ  ＤＭ  ＭＯを使用して提供することができる。
【０２０４】
ＵＥは、ＨＨＰＰＦをアドレス指定できなければならない。
【０２０５】
ＨＨＰＰＦのアドレスは、ＵＥにおいて使えるように設定することができる。いくつかの実施形態では、アドレスは、ＩＰアドレスであり得る。いくつかの実装では、ホームオペレータは、ＵＥにおいてアドレスを使えるように設定することができる。アドレスの実施例は、ＩＰｖ４、ＩＰｖ６、および完全修飾ドメイン名（ＦＱＤＮ）のうちの１つ以上であり得る。
【０２０６】
ＨＨＰＰＦのドメイン名またはアドレスはまた、動的ホスト構成プロトコル（ＤＨＣＰ）クエリを用いて（例えば、ＵＥによって）発見され得る。例えば、ＨＨＰＰＦ  ＩＰアドレスオプションおよびＨＨＰＰＦドメインリストオプションと呼ばれる、新しいＤＨＣＰｖ４およびＤＨＣＰｖ６オプションが提供される。これらのオプションは、ＵＥが、所望のサービスをホストするＨＨＰＰＦまたはＨＨＰＰＦサーバの場所を特定することを可能にする。いくつかの実施形態では、ＤＨＣＰｖ４に対するＨＨＰＰＦ  ＩＰｖ４アドレスオプション（ＯＰＴＩＯＮ−ＩＰｖ４＿Ａｄｄｒｅｓｓ−ＨＨＰＰＦ）およびＤＨＣＰｖ４に対するＨＨＰＰＦドメイン名リストオプション（ＯＰＴＩＯＮ−ＩＰｖ４＿ＦＱＤＮ−ＨＨＰＰＦ）等であるが、それらに限定されない、新しいＤＨＣＰｖ４オプションが特定される必要があり得る。
【０２０７】
いくつかの実施形態では、ＤＨＣＰｖ６に対するＡＮＤＳＦ  ＩＰｖ６アドレスオプション（ＯＰＴＩＯＮ−ＩＰｖ６＿Ａｄｄｒｅｓｓ−ＨＨＰＰＦ）およびＤＨＣＰｖ６に対するＡＮＤＳＦドメイン名リストオプション（ＯＰＴＩＯＮ−ＩＰｖ６＿ＦＱＤＮ−ＨＨＰＰＦ）等であるが、それらに限定されない、新しいＤＨＣＰｖ６オプションが特定される必要があり得る。
【０２０８】
それによってＵＥがＨＨＰＰＦに連絡することができるＨＨＰＰＦアドレスはまた、名前別のＤＮＳ検索を通してＵＥによって取得され得る。いくつかの実施形態では、ＱＮＡＭＥをＨＨＰＰＦ−ＳＮ  ＦＱＤＮに設定することができる。
【０２０９】
いくつかの実施形態では、ＤＮＳ解決を行う場合に、ＵＥは、以下の手順を適用し得る。ＨＨＰＰＦ発見のために、ＵＥは、ＤＮＳ要求のための識別子に基づいてＦＱＤＮを構築し、ＤＮＳ応答メッセージに含まれるＨＨＰＰＦのＩＰアドレスを選択する。いくつかの実装では、ＤＮＳ要求に含まれる識別子は、ＣＳＧまたはＨｅＮＢホスティングパーティと関連付けられる。いくつかの実施形態では、ＤＮＳ要求に含まれる識別子は、ＣＳＧ識別子である。いくつかの実施形態では、セル識別子が含まれ得る。いくつかの実施形態では、提供された値または別様に取得される値が含まれ得る。そのような値の実施例は、ＨＰＬＭＮまたはＶＰＬＭＮ識別子である。上記で説明される実施形態のうちの１つ以上を使用して、ＤＮＳ要求に含まれる識別子を生成することは、種々のレベルまたは粒度に従って、ＨＨＰＰＦが識別されることを可能にし得る。
【０２１０】
いくつかの実施形態では、ＤＨＣＰ解決を行う場合に、ＵＥは、以下の手順を適用するものとする。ＨＨＰＰＦ発見のために、ＵＥは、ＨＨＰＰＦのＩＰアドレスまたはドメイン名の発見を可能にする、ＤＨＣＰオプションに含まれる識別子とともに、ＤＨＣＰメッセージを送信する。いくつかの実装では、ＤＮＳ要求に含まれる識別子は、ＣＳＧまたはＨｅＮＢホスティングパーティと関連付けられる。いくつかの実施形態では、ＤＮＳ要求に含まれる識別子は、ＣＳＧ識別子である。いくつかの実施形態では、セル識別子が含まれ得る。いくつかの実施形態では、提供された値または別様に取得される値が含まれ得る。そのような値の実施例は、ＨＰＬＭＮまたはＶＰＬＭＮ識別子である。上記で説明される実施形態のうちの１つ以上を使用して、ＤＮＳ要求に含まれる識別子を生成することは、種々のレベルまたは粒度に従って、ＨＨＰＰＦが識別されることを可能にし得る。ＤＨＣＰサーバがＨＨＰＰＦのドメイン名のみを提供する場合、受信側は、別のＤＮＳクエリを行ってＨＨＰＰＦのアドレスを取得し得る。
【０２１１】
ＵＥは、異なる方法の組み合わせを使用して１つ以上のＨＨＰＰＦを発見することができる。
【０２１２】
ＭＯは、以下の情報を含み得る。ＭＯの中の情報は、いわゆるリーフに含まれ、ＭＯのリーフは、設定または変数の値を決定するために調べられる。ＭＯは、ＨＨＰＰＦによって提供され得る。
【０２１３】
１つ以上のリーフは、ＰＤＮ接続の作成を要求しようとする場合に、接続性の種類が示されることができるかどうかを示す１つ以上の接続性の種類をＵＥに提供する。
【０２１４】
形式：ｃｈｒ、アクセス種類：入手、置換、値：ＡＰＮ。
【０２１５】
１つ以上のリーフは、アクセスポイント名（ＡＰＮ）を接続性の種類に使用することができるかどうかを示す１つ以上ＡＰＮをＵＥに提供する。このリーフがない場合、ＵＥは、ＡＰＮを示すことなく、ＰＤＮ接続の作成を要求しようとする場合に接続性の種類を示すことができる。
【０２１６】
形式：ｃｈｒ、アクセス種類：入手、置換、値：アクセスポイント名構造に従ってコード化された１つ以上の値。
【０２１７】
１つ以上のリーフは、接続性の種類がＣＳＧ  ＩＤに対して利用可能であるかどうかを示す１つ以上のＣＳＧ  ＩＤをＵＥに提供する。例えば、ＵＥがＣＳＧ  ＩＤにアタッチ、または接続された場合に、ＵＥは、接続性の種類を示すＰＤＮ接続の作成を要求しようとし得る。
【０２１８】
アクセス種類：入手、置換、値：ＣＳＧ  ＩＤ構造に従ってコード化された１つ以上の値。
【０２１９】
リーフは、示された接続性の種類にＡＰＮを使用するものとする／使用するべきである／使用し得るかどうかの指示をＵＥに提供する。
【０２２０】
発生：１回、形式、ｃｈｒ、アクセス種類：入手、置換、値：＜ｓｈａｌｌ，  ｆｉｒｓｔ，  ｓｕｂｓｅｑｕｅｎｔ＞。
【０２２１】
種々の「値」フィールドは、ＵＥが示された接続性の種類にＡＰＮのみを使用するものとすることを定義する、ｓｈａｌｌ、ＵＥによって確立される最初または後続の最初のＰＤＮ接続が、示された接続性の種類にＡＰＮを使用することを定義する、ｆｉｒｓｔ、ＡＰＮを使用するＰＤＮ接続が存在する場合、ＵＥによって確立される任意の後続のＰＤＮ接続が、示された接続性の種類にＡＰＮを使用することを定義する、ｓｕｂｓｅｑｕｅｎｔとして定義される。
【０２２２】
（非３ＧＰＰアクセスの実施形態例）
いくつかの実施形態では、３ＧＰＰアクセスについて上記で説明されることが、非３ＧＰＰアクセスにも適用される。
【０２２３】
（ネットワークベースのモビリティに対するＰＤＮ  ＧＷ選択機能）
いくつかの実施形態では、ＰＤＮ  ＧＷ選択機能は、３ＧＰＰアクセスのためのＰＤＮ接続性を提供するＰＤＮ  ＧＷを割り付ける。いくつかの実施形態では、ＰＤＮ  ＧＷ選択機能は、家庭用加入者サーバ（ＨＳＳ）によって提供される加入者情報、およびおそらく付加的な基準を使用する。
【０２２４】
非３ＧＰＰアクセスのためのＰＤＮゲートウェイ選択は、ＧＥＲＡＮ／ＵＴＲＡＮおよびＥ−ＵＴＲＡＮに対して定義されるような同様の機構を使用する。初期承認中に、契約ＰＤＮ（すなわち、ＰＤＮ契約コンテキスト）のそれぞれに対するＰＤＮゲートウェイ選択情報が、非３ＧＰＰアクセスシステムに返信される。
【０２２５】
ＨＳＳによって提供されるＰＤＮ契約コンテキストは、ａ）ＰＤＮ  ＧＷおよびＡＰＮの識別、ｂ）ＡＰＮ、およびＶＰＬＭＮからのＰＤＮ  ＧＷの割付が許可されるかどうか、またはＨＰＬＭＮからのＰＤＮ  ＧＷが割り付けられ得るかどうかというＡＰＮに対する指示、ｃ）ＡＰＮ、およびＵＥに許可される接続性種類のＡＰＮに対する指示、またはｄ）ＰＤＮ  ＧＷおよびＡＰＮの識別、およびＵＥに許可される接続性種類のＡＰＮに対する指示のうちの１つ以上を含み得るが、それらのみに限定されない。ＰＤＮ契約コンテキストはまた、ＷＬＡＮ無線セルのサービスセット識別子（ＳＳＩＤ）のリスト、または３ＧＰＰ２セルあるいはフェムトセルの識別子のリストを含み得る。
【０２２６】
ＵＥが要求された接続性種類指示を提供する場合、アクセスゲートウェイは、ＰＤＮ  ＧＷを選択するために、そのような指示および現在の無線アクセスの情報、ならびにおそらく、ＨＳＳ契約コンテキストから取得されるＣＳＧ  ＩＤまたはＳＳＩＤあるいは３ＧＰＰ２セルまたはフェムトセルの識別子のリストを使用し得る。アクセスゲートウェイの実施例は、ＷＬＡＮ上での接続のための進化型パケットデータゲートウェイ（ｅＰＤＧ）、および３ＧＰＰ２無線アクセス上での接続のための信頼できる非３ＧＰＰ  ＩＰアクセスを含み得るが、それらに限定されない。現在の無線アクセスの情報の実施例は、ＷＬＡＮ無線セルのＳＳＩＤ、ＷＬＡＮ無線セルに関係する別の識別子、または３ＧＰＰ２無線アクセスのための現在のＣＳＧセルのＣＳＧ  ＩＤ、または３ＧＰＰ２セルあるいはフェムトセルの別の識別子を含み得るが、それらに限定されない。
【０２２７】
（問題２：サービスに応じたローカルＩＰ接続性の選択）
ＵＥがフェムトセルを通してネットワークに接続する場合、ＵＥがホームネットワーク内に位置するサービスにアクセスすること（例えば、メディアゲートウェイ、プリンタ等のローカルサービスへのアクセス）が好ましい状況がある。
【０２２８】
しかしながら、ＬＩＰＡの場合、特定のパケットデータネットワーク（ＰＤＮ）、すなわち、インターネットブラウジングまたはメディアゲートウェイへの接続性等の特定のサービスを識別する、いくつかのアクセスポイント名（ＡＰＮ）は、ＵＥがコアネットワーク内の遠隔ＧＧＳＮまたはＰＧＷに接続する時のみアクセス可能であり得る一方で、他のＡＰＮへの接続性は、（例えば、ローカルサービスおよびリソースへのアクセスのために）ＵＥがＬＩＰＡと接続される場合のみアクセス可能であり得る。したがって、ＬＩＰＡ接続性を介したＣＳＧセルを通して、一定のＰＤＮ／ＡＰＮへのアクセス可能性を結び付け、ＵＥが所望の種類の接続性を要求することを可能にするように、機構が提案される。
【０２２９】
ＵＥが、所望する特定の種類の接続性を要求する方法を有すると仮定しても、ＵＥがネットワークにアタッチする場合に、ネットワークにアタッチする要求の中でＡＰＮを提供しないことがある。従来の動作に基づいて、ネットワークは、ＵＥが知らないかもしれない、ユーザ契約プロファイルにおいて定義され得るデフォルトＡＰＮへの接続性をＵＥが要求しているとみなす。遠隔接続性が、デフォルトＰＤＮのためにＵＥへのアタッチ時に提供されると仮定すると、ＵＥは、デフォルトＡＰＮへのＬＩＰＡ接続性を追加することを後で望み得るが、ＵＥがデフォルトＡＰＮを知らない場合があるため、従来の動作は、そのような要求が送信されることを可能にしない。
【０２３０】
（問題２に対する解決法：）
（ＧＥＲＡＮ／ＵＴＲＡＮおよびＥ−ＵＴＲＡＮ）
提案された解決法は、（例えば、ＧＥＲＡＮ／ＵＴＲＡＮまたはＥ−ＵＴＲＡＮアタッチ手順において）アタッチ時に、または（例えば、ＧＥＲＡＮ／ＵＴＲＡＮ  ＰＤＰコンテキスト起動手順において、またはＰＤＮ接続性要求の中のＥ−ＵＴＲＡＮにおいて）付加的なＰＤＮ接続性を要求する場合に、ＵＥがＡＰＮを提供するか否かとは無関係に、ＵＥが特定のＰＤＮに対するＬＩＰＡ接続性を取得することを所望することを、ＵＥが示すことを可能にすることである。
【０２３１】
いくつかの実施形態では、これは、ＵＥが、本明細書では「要求された接続性種類」指示と呼ばれる、付加的な指示を提供することによって達成される。ＵＥは、ＬＩＰＡ接続性またはＳＩＰＴＯ接続性のうちの１つが必要とされる場合のみ、これら２つの種類の接続性のいずれか一方を示すように設定されるようなパラメータ、またはいずれの場合でも送信され、ＬＩＰＡ接続性、ＳＩＰＴＯ接続性、または遠隔接続性のうちのいずれか１つ以上等の要求される接続性の種類を示すように設定されるようなパラメータを提供することができる。
【０２３２】
ＵＥは、ＧＥＲＡＮ／ＵＴＲＡＮにおけるＰＤＰコンテキスト起動要求メッセージ、Ｅ−ＵＴＲＡＮにおけるアタッチ要求（ＡＴＴＡＣＨ  ＲＥＱＵＥＳＴ）メッセージ、またはＥ−ＵＴＲＡＮにおける付加的なＰＤＮ接続性の要求の中で、ＵＥがＡＰＮを提供するか否かとは無関係に、「要求された接続性種類」指示を送信する。
【０２３３】
いくつかの実施形態では、ＵＥがＡＰＮを提供しない場合、ネットワークは、ＵＥが知らないかもしれないデフォルトＡＰＮへの接続性をＵＥが要求していると仮定する。ＵＥが、いずれのＡＰＮも提供しないことによって、アタッチ時にデフォルトＡＰＮへの遠隔接続性を確立する場合、ＵＥは、後でデフォルトＡＰＮへのＬＩＰＡ接続性を追加し得る。そうするために、ＵＥは、ＬＩＰＡに設定された「要求された接続性種類」を伴う付加的なＰＤＮ接続性を要求し、ＡＰＮを提供しない。そのような要求を受信すると、ネットワークは、要求をデフォルトＰＤＮへのＬＩＰＡ接続性の要求として解釈する。
【０２３４】
いくつかの実施形態では、特定のＡＰＮに対する接続性のＵＥ要求がネットワークによって容認可能ではない場合、ネットワークは、ＵＥからの接続性の要求を受信すると、適切な原因で要求を拒絶し、そのＡＰＮに対する要求された接続性が利用可能ではないことを示すことによって、ＵＥに応答する。ネットワークは、例えば、「サポートされた接続性種類」指示で増強された既存の拒絶原因、または「サポートされた接続性種類」指示で増強された新しい原因を使用することができる。
【０２３５】
いくつかの実施形態では、ネットワークは、ＵＥからの特定のＡＰＮに対する接続性の要求を受信すると、要求を容認し、利用可能な接続性の種類を提供し、要求された接続性の種類が利用可能ではないことを示すことによって、ＵＥに応答する。例えば、ＬＩＰＡ接続性が要求され、ＬＩＰＡ接続性が利用可能ではないが、遠隔接続性が利用可能である場合、ネットワークは、遠隔接続性を提供する。いくつかの実施形態では、ネットワークは、どの種類の接続性が選択されたかを示すように、選択された接続性種類の指示を提供することによって、要求された接続性の種類が利用可能ではないことを示し得る。ＵＥは、反応して、たとえ要求された種類とは異なっても現在の接続性を維持するか、またはＰＤＮから切断し得る。
【０２３６】
いくつかの実施形態では、ネットワークはまた、どの接続性の種類がサポートされているかをＵＥに示すために、サポートされた接続性種類を提供し得る。例えば、ＵＥが、要求された接続性種類として「ＬＩＰＡ」を示し得るが、ネットワークは、ＬＩＰＡをサポートせず、代わりに「遠隔接続性」を選択し、選択された接続性種類指標において、この選択をＵＥに示す。ネットワークがＳＩＰＴＯもサポートする場合、ネットワークは、サポートされた接続性種類指標において、「ＳＩＰＴＯ」および「遠隔接続性」の両方がサポートされていることを示し得る。
【０２３７】
いくつかの実施形態では、ネットワークは、応答においてＡＰＮを提供することによって、特定のＡＰＮを明示的に示し、またはＡＰＮを全く返信しないことによって、ＵＥが要求したＡＰＮであることを暗示的に示す。
【０２３８】
いくつかの実施形態では、どのＡＰＮに対する接続性のＵＥ要求もネットワークによって容認可能ではない（すなわち、ネットワークがそのようなＵＥに対するＬＩＰＡ接続性を許可しない、またはそのようなＵＥに対する遠隔接続性を許可しない、あるいは特定の種類の接続性を使用する場合に特定のＡＰＮに到達することができない）場合、ネットワークは、ＵＥからのどのＡＰＮに対する接続性の要求を受信しても、要求を拒絶し、要求された接続性が利用可能ではないことを示し、拒絶が全ての利用可能なＡＰＮに適用されることを示すことによって、ＵＥに応答する。ネットワークは、返信においていずれのＡＰＮも提供しないことによって暗示的に、または応答において「全ＡＰＮ指示」を明示的に示すことによってこれを示し得る。いくつかの実施形態では、ネットワークが特定のＡＰＮに対するＬＩＰＡまたは遠隔接続性を拒絶する場合、どの種類の接続性がＡＰＮに対して拒絶されているかを明確に区別するように、ＵＥに拒絶されているＡＰＮを返信する。例えば、「ＬＩＰＡなし」または「遠隔接続性なし」を返信することによって、拒絶する。
【０２３９】
いくつかの実施形態では、ネットワークは、応答が全ての利用可能なＡＰＮに適用されることを示すために、「サポートされた接続性種類」指示および「全ＡＰＮ指示」で増強された既存の拒絶原因を使用し得る。いくつかの実施形態では、ネットワークは、「サポートされた接続性種類」指示および「全ＡＰＮ指示」で増強された新しい原因を使用し得る。いくつかの実施形態では、ネットワークは、応答が「サポートされた接続性種類」指示を伴う任意の種類のＡＰＮに対するものであることを示す、新しい原因を使用し得る。
【０２４０】
いくつかの実施形態では、ＵＥからの任意のＡＰＮに対する接続性の要求を受信すると、ネットワークは、要求を容認し、利用可能な接続性の種類を提供し、要求された接続性の種類が利用可能ではないことを示すことによって、ＵＥに応答する。例えば、ＬＩＰＡ接続性が要求され、ＬＩＰＡ接続性が利用可能ではないが、遠隔接続性が利用可能である場合、ネットワークは、遠隔接続性を提供する。いくつかの実施形態では、ネットワークは、どの種類の接続性が選択されたかを示すための選択された接続性種類の指示、および「全ＡＰＮ指示」を提供することによって、要求された接続性の種類が利用可能ではないことを示し得る。ＵＥは、反応して、たとえ接続性が要求された種類とは異なっても現在の接続性を維持し得るか、またはＵＥは、ＰＤＮから切断し得る。
【０２４１】
いくつかの実施形態では、ネットワークはまた、どの種類の接続性がサポートされているかをＵＥに示すために、サポートされた接続性種類指標を提供し得る。実施例として、ＵＥは、要求された接続性種類において「ＬＩＰＡ」を示し得る。しかしながら、ネットワークがＬＩＰＡをサポートしないため、「遠隔接続性」を選択し、選択された接続性種類指標において、この選択をＵＥに示す。ネットワークがＳＩＰＴＯもサポートする場合、ネットワークは、サポートされた接続性種類指標において、「ＳＩＰＴＯ」および「遠隔接続性」の両方がサポートされていることを示し得る。
【０２４２】
いくつかの実施形態では、特定のＡＰＮに対する、またはあらゆる利用可能なＡＰＮに対する接続性のＵＥ要求がネットワークによって容認可能ではない場合、いくつかの実施形態では、ネットワークは、特定のＡＰＮに対する、またはあらゆる利用可能なＡＰＮに対する接続性の制限が、現在のＣＳＧセルのみに適用されるかどうか、または制限が、１つより多くのＣＳＧセルを含み得るＣＳＧ  ＩＤに適用されるかどうかの指示を提供し得る。実施例として、ネットワークは、「現在のＣＳＧ」に設定された特定の「ＣＳＧ適用性指示」、または制限がＣＳＧに属するあらゆるＣＳＧセルに適用されることをＵＥに示すように、上記で説明されるもの等の指示とともに、ＣＳＧ  ＩＤを提供することによって、そうすることができる。いくつかの実装では、ネットワークは、いずれの付加的な指示も提供しないか、または「現在のセル」に設定された「ＣＳＧ適用性指示」指標を提供し得る。いくつかの実装では、ネットワークは、制限が現在のＣＳＧセルのみに適用される場合に、現在のＣＳＧセルの特定のＩＤを提供し得る。
【０２４３】
所与の時に、ネットワークが、所与のＣＳＧセルにサポートされる接続性の種類の指示をＵＥに提供する場合、いくつかの実装では、ＵＥは、ＣＳＧセルの識別に関する情報、またはＣＳＧ  ＩＤに関する情報を記憶する。
【０２４４】
いくつかの実施形態では、ＵＥが、ＧＥＲＡＮ／ＵＴＲＡＮに対するＰＤＰコンテキスト要求またはＥ−ＵＴＲＡＮにおけるアタッチ要求あるいはＰＤＮ接続要求等の要求において、要求接続性種類を提供する場合に、ＳＧＳＮおよびＭＭＥはそれぞれ、ＵＥ要求を認定するために、そのような情報を使用することができる。認定は、例えば、ＵＥユーザプロファイルの内容に対比して要求接続性種類指示を考慮することによって、行われ得る。
【０２４５】
（非３ＧＰＰアクセス）
非３ＧＰＰアクセスについては、他の非３ＧＰＰアクセスに対する（例えば、３ＧＰＰ２セルに対する）ネットワーキング層メッセージの中で、またはＤＳＭＩＰｖ６トンネル確立メッセージの中で、ＷＬＡＮ上で接続する場合に、ＵＥがＩＫ＠ｖ２信号伝達においてＡＰＮを提供するか否かとは無関係に、ＵＥは「要求された接続性種類」指示を送信する。
【０２４６】
いくつかの実施形態では、ＵＥがＡＰＮを提供しない場合、ネットワークは、ＵＥが知らないかもしれない、デフォルトＡＰＮへの接続性をＵＥが要求していると仮定する。ＵＥが、いずれのＡＰＮも提供しないことによって、アタッチ時にデフォルトＡＰＮへの遠隔接続性を確立する場合、ＵＥは、後でデフォルトＡＰＮへのＬＩＰＡ接続性を追加し得る。そうするために、ＵＥは、ＬＩＰＡに設定された「要求された接続性種類」を伴う付加的なＰＤＮ接続性を要求し、ＡＰＮを提供しない。そのような要求を受信すると、ネットワークは、要求をデフォルトＰＤＮへのＬＩＰＡ接続性の要求として解釈する。
【０２４７】
いくつかの実施形態では、特定のＡＰＮに対する接続性のＵＥ要求がネットワークによって容認可能ではない場合、ネットワークは、ＵＥからの接続性の要求を受信すると、適切な原因で要求を拒絶し、そのＡＰＮに対する要求された接続性が利用可能ではないことを示すことによって、ＵＥに応答する。ネットワークは、例えば、「サポートされた接続性種類」指示で増強された既存の拒絶原因、または「サポートされた接続性種類」指示で増強された新しい原因を使用することができる。
【０２４８】
いくつかの実施形態では、ＵＥからの特定のＡＰＮに対する接続性の要求を受信すると、ネットワークは、要求を容認し、利用可能な接続性の種類を提供し、要求された接続性の種類が利用可能ではないことを示すことによって、ＵＥに応答する。例えば、ＬＩＰＡ接続性が要求され、ＬＩＰＡ接続性が利用可能ではないが、遠隔接続性が利用可能である場合、ネットワークは、遠隔接続性を提供する。いくつかの実施形態では、ネットワークは、どの種類の接続性が選択されたかを示すように、選択された接続性種類の指示を提供することによって、要求された接続性の種類が利用可能ではないことを示し得る。ＵＥは、反応して、たとえ要求された種類とは異なっても現在の接続性を維持するか、またはＰＤＮから切断し得る。
【０２４９】
いくつかの実施形態では、ネットワークはまた、どの接続性の種類がサポートされているかをＵＥに示すために、サポートされた接続性種類を提供し得る。例えば、ＵＥが、要求された接続性種類として「ＬＩＰＡ」を示し得るが、ネットワークは、ＬＩＰＡをサポートせず、代わりに「遠隔接続性」を選択し、選択された接続性種類指標において、この選択をＵＥに示す。ネットワークがＳＩＰＴＯもサポートする場合、ネットワークは、サポートされた接続性種類指標において、「ＳＩＰＴＯ」および「遠隔接続性」の両方がサポートされていることを示し得る。
【０２５０】
いくつかの実施形態では、ネットワークは、応答においてＡＰＮを提供することによって、特定のＡＰＮを明示的に示し、またはいずれのＡＰＮも返信しないことによって、ＵＥが要求したＡＰＮであることを暗示的に示す。
【０２５１】
いくつかの実施形態では、どのＡＰＮに対する接続性のＵＥ要求もネットワークによって容認可能ではない（すなわち、ネットワークがそのようなＵＥに対するＬＩＰＡ接続性を許可しない、またはそのようなＵＥに対する遠隔接続性を許可しない、あるいは特定の種類の接続性を使用する場合に特定のＡＰＮに到達することができない）場合、ネットワークは、ＵＥからのどのＡＰＮに対する接続性の要求を受信しても、要求を拒絶し、要求された接続性が利用可能ではないことを示し、拒絶が全ての利用可能なＡＰＮに適用されることを示すことによって、ＵＥに応答する。ネットワークは、返信においていずれのＡＰＮも提供しないことによって暗示的に、または応答において「全ＡＰＮ指示」を明示的に示すことによってこれを示し得る。いくつかの実施形態では、ネットワークが特定のＡＰＮに対するＬＩＰＡまたは遠隔接続性を拒絶する場合、どの種類の接続性がＡＰＮに対して拒絶されているかを明確に区別するように、ＵＥに拒絶されているＡＰＮを返信する、例えば、「ＬＩＰＡなし」または「遠隔接続性なし」を返信することによって、拒絶する。
【０２５２】
いくつかの実施形態では、ネットワークは、応答が全ての利用可能なＡＰＮに適用されることを示すために、「サポートされた接続性種類」指示および「全ＡＰＮ指示」で増強された既存の拒絶原因を使用し得る。いくつかの実施形態では、ネットワークは、「サポートされた接続性種類」指示および「全ＡＰＮ指示」で増強された新しい原因を使用し得る。いくつかの実施形態では、ネットワークは、応答が「サポートされた接続性種類」指示を伴う任意の種類のＡＰＮに対するものであることを示す、新しい原因を使用し得る。
【０２５３】
いくつかの実施形態では、ＵＥからの任意のＡＰＮに対する接続性の要求を受信すると、ネットワークは、要求を容認し、利用可能な接続性の種類を提供し、要求された接続性の種類が利用可能ではないことを示すことによって、ＵＥに応答する。例えば、ＬＩＰＡ接続性が要求され、ＬＩＰＡ接続性が利用可能ではないが、遠隔接続性が利用可能である場合、ネットワークは、遠隔接続性を提供する。いくつかの実施形態では、ネットワークは、どの種類の接続性が選択されたかを示すための選択された接続性種類の指示、および「全ＡＰＮ指示」を提供することによって、要求された接続性の種類が利用可能ではないことを示し得る。ＵＥは、反応して、たとえ接続性が要求された種類とは異なっても現在の接続性を維持し得るか、またはＵＥは、ＰＤＮから切断し得る。
【０２５４】
いくつかの実施形態では、ネットワークはまた、どの種類の接続性がサポートされているかをＵＥに示すために、サポートされた接続性種類指標を提供し得る。実施例として、ＵＥは、要求された接続性種類において「ＬＩＰＡ」を示し得る。しかしながら、ネットワークがＬＩＰＡをサポートしないため、「遠隔接続性」を選択し、選択された接続性種類指標において、この選択をＵＥに示す。ネットワークがＳＩＰＴＯもサポートする場合、ネットワークは、サポートされた接続性種類指標において、「ＳＩＰＴＯ」および「遠隔接続性」の両方がサポートされていることを示し得る。
【０２５５】
いくつかの実施形態では、特定のＡＰＮに対する、またはあらゆる利用可能なＡＰＮに対する接続性のＵＥ要求がネットワークによって容認可能ではない場合、いくつかの実施形態では、ネットワークは、特定のＡＰＮに対する、またはあらゆる利用可能なＡＰＮに対する接続性の制限が、現在のＣＳＧセルのみに適用されるか、または制限が、１つより多くのセルを含み得るセル識別子に適用されるかどうかの指示を提供し得る。実施例として、ネットワークは、「現在のセル」に設定された特定の「適用性指示」、または制限が同じ識別を伴うあらゆるセルに適用されることをＵＥに示すように、上記で説明されるもの等の指示とともに、セル識別を提供することによって、そうすることができる。
【０２５６】
所与の時に、ネットワークが、所与のセルにサポートされる接続性の種類の指示をＵＥに提供する場合、いくつかの実装では、ＵＥは、セルの識別に関する情報を記憶する。
【０２５７】
いくつかの実施形態では、ＵＥが要求接続性種類を提供する場合に、ネットワークは、ＵＥ要求を認定するために、そのような情報を使用することができる。認定は、例えば、ＵＥユーザプロファイルの内容に対比して要求接続性種類指示を考慮することによって、行われ得る。
【０２５８】
（ホストベースのモビリティに対するＰＤＮ  ＧＷ選択機能）
Ｓ２ｃ参照点（図示せず）について、ＵＥは、ＵＥが接続しようとするＰＤＮに対するＰＤＮゲートウェイのＩＰアドレスを知る必要がある。このアドレスは、以下の方法のうちの１つを使用して、ＵＥに知らされる。
【０２５９】
１）ＧＥＲＡＮ、ＵＴＲＡＮ、またはＥ−ＵＴＲＡＮに定義されるような３ＧＰＰアクセス、あるいは信頼できる非３ＧＰＰアクセス（サポートされる場合）に対して、アタッチ手順またはＵＥ要求ＰＤＮ接続性手順時のプロトコル構成オプション（ＰＣＯ）を介する。ＵＥは、アタッチ手順またはＵＥ要求ＰＤＮ接続性手順時に、要求された接続性種類指示を提供し得、ＰＤＮ  ＧＷおよびＰＤＮ  ＧＷのＩＰアドレスの選択は、要求された接続性種類指示を考慮する。
【０２６０】
２）ｅＰＤＧへのトンネル設定中にＩＫＥｖ２を介する。ＵＥは、ＩＫＥｖ２信号伝達において、要求された接続性種類指示を提供し得、ＰＤＮ  ＧＷおよびＰＤＮ  ＧＷのＩＰアドレスの選択は、要求された接続性種類指示を考慮する。ネットワークは、ＩＫＥｖ２信号伝達において、ＰＤＮ  ＧＷのＩＰアドレスをＵＥに返信する。
【０２６１】
３）ＰＤＮ  ＧＷのＩＰアドレスが上記の方法１）または２）を使用して受信されない場合、またはＵＥがアタッチされるＰＤＮ内にＨＡがあることをＵＥが知っている場合、ＵＥは、動的ホスト構成プロトコル（ＤＨＣＰ）を介してＰＤＮゲートウェイアドレスを要求するものとする。ＵＥは、ＤＨＣＰ要求において、要求された接続性種類指示を提供し得、ＰＤＮ  ＧＷおよびＰＤＮ  ＧＷのＩＰアドレスの選択は、要求された接続性種類指示を考慮する。ネットワークは、ＤＨＣＰ応答において、ＰＤＮ  ＧＷのＩＰアドレスをＵＥに返信する。
【０２６２】
４）ＰＤＮ  ＧＷのＩＰアドレスが上記の方法１）、２）、または３）を使用して送達されない場合、ＵＥは、ＰＤＮに対応する完全修飾ドメイン名（ＦＱＤＮ）を作成することによって、ドメイン名サービスと直接相互作用することができる。ＵＥは、要求された接続性種類指示を提供し得、ＰＤＮ  ＧＷおよびＰＤＮ  ＧＷのＩＰアドレスの選択は、要求された接続性種類指示を考慮する。いくつかの実施形態では、ＵＥは、要求された接続性種類指示を含むＦＱＤＮを作成することによって、要求された接続性種類指示を提供する。いくつかの実装では、ネットワークは、ＤＮＳ応答において、ＰＤＮ  ＧＷのＩＰアドレスをＵＥに返信する。
【０２６３】
上記の４つの方法のうちの１つ以上では、ネットワークは、応答において、以下の指示を提供する。
【０２６４】
Ａ）サポートされた接続性種類：ネットワークは、現在のＷＬＡＮセルまたは３ＧＰＰ２セルあるいはフェムトセルによってサポートされる接続性の種類を示すために、この情報を含み得る。
【０２６５】
Ｂ）選択された接続性種類：ネットワークは、ネットワークによって選択される接続性種類をＵＥに知らせるために、この情報を含み得る。
【０２６６】
Ｃ）ＡＰＮ適用性指示：ネットワークは、どのＡＰＮに対して、ＵＥによって要求される接続性の種類が容認可能ではないかをネットワークが示す場合に、この情報を含み得る。１つ以上のＡＰＮが含まれるという指示をネットワークが含む場合、これは、ＵＥによって要求される接続性の種類が、提供される全てのＡＰＮに対して容認可能ではないことを示す。ＡＰＮが含まれないという指示をネットワークが含む場合、これは、サポートされた接続性種類が現在のＡＰＮのみに適用されることを示す。
【０２６７】
Ｄ）セル適用性指示：ネットワークは、ＵＥがＷＬＡＮセルまたは３ＧＰＰ２セルあるいはフェムトセルにアタッチしている場合、ネットワークがサポートされた接続性種類情報または選択された接続性種類情報を含む場合に、この情報を含み得る。ＷＬＡＮ  ＳＳＩＤあるいはＷＬＡＮセルの他の識別子、または３ＧＰＰ２セルあるいはフェムトセル識別子が含まれるという指示をネットワークが含む場合、これは、サポートされた接続性種類がＣＳＧ  ＩＤの同じ値を伴う任意のＣＳＧセルに適用されることを示す。ＷＬＡＮ  ＳＳＩＤあるいはＷＬＡＮセルの他の識別子、または３ＧＰＰ２セルあるいはフェムトセル識別子が含まれないという指示をネットワークが含む場合、これは、サポートされた接続性種類が、現在のＷＬＡＮセルまたは３ＧＰＰ２セルあるいはフェムトセルのみに適用されることを示す。
【０２６８】
（問題３：モビリティイベントに基づくアプリケーションのトリガ）
ＵＥがマクロ受信可能範囲に接続され、ＣＳＧセルのサービスエリアに進入する場合、ＵＥは、モビリティ機構、セル選択機構、および、ＵＥにおけるユーザ、オペレータ、または両方によって定義される接続性方針のうちの１つ以上に応じて、ＣＳＧセルへと移動し得る。接続性方針は、ＵＥが特定のＣＳＧ  ＩＤまたはセル識別（例えば、ＷＬＡＮセルまたは３ＧＰＰ２セルあるいはフェムトセルに対する）に対する各特定ＡＰＮに対する好ましい接続性種類を知るように、ＡＰＮ、ＣＳＧ  ＩＤまたはセル識別、および、そのようなＡＰＮに対する好ましい接続性種類（例えば、ＬＩＰＡまたは遠隔接続性）のリストを含み得る。リストはまた、どのアプリケーションが特定の種類の接続性を使用することができるか、またはそれが特定の種類の接続性を使用するものとするという指示も含むことができる。
【０２６９】
従来、特定のデータネットワークまたはサービスに関係する（したがって、特定のＡＰＮに関係する）ＰＤＮ接続性のトリガは、そのような特定のＡＰＮへの接続性を必要とする、立ち上げられているＵＥにおけるアプリケーションに基づく。
【０２７０】
しかしながら、ＣＳＧセルの場合、状況は異なる。実際に、ＵＥが所与のＣＳＧセル（または一式のＣＳＧセル）または任意のＣＳＧセルに接続された時のみ接続性を必要とし得る、いくつかのアプリケーションがある。そのようなアプリケーションの特定の実施例は、ＵＥがＵＥの独自のホームネットワーク内のＣＳＧセルに接続された場合に、ＵＥによって撮られた写真をホームメディアサーバにアップロードするアプリケーションである。そのようなアプリケーションの別の特定の実施例は、ＵＥの独自のホームネットワーク内のホームＰＣから、ごく最近作成された音楽ポッドキャストを自動的にダウンロードするアプリケーションである。
【０２７１】
従来、アプリケーションは、ユーザによってＵＥにおいて起動される。しかしながら、ＵＥがＣＳＧセル受信可能範囲に移動する時のみトリガされる、「休眠」アプリケーションがあり得る。
【０２７２】
ＵＥが、典型的には（例えば、家庭用公衆陸上移動ネットワーク（ＨＰＬＭＮ）または訪問した公衆陸上移動ネットワーク（ＶＰＬＭＮ）コアネットワーク内の）遠隔ＰＤＮに接続され、ＣＳＧセルが存在するネットワークへの直接接続を持たない（すなわち、ＵＥがローカルＩＰアクセスを持たない）ため、そのようなアプリケーションは、典型的には、ＵＥがＣＳＧセルへと移動する前にＰＤＮ接続性を使用することができない。いくつかの実装では、アプリケーションは、例えば、ＬＩＰＡ接続性が遠隔接続性より好ましいことを示す方針に基づいて、または遠隔接続性がそのようなアプリケーションによって使用されなくてもよいことを示す方針に基づいて、ＰＤＮ接続性を使用しなくてもよい。
【０２７３】
いくつかの実装では、アプリケーションは、ＨＮＢの場合のように、ＵＥが特定の無線セルへと移動する場合にローカルＩＰ接続性をトリガし得る。これは、特定のＰＤＮ接続性をトリガするモビリティイベントを有することと同等であり得る。例示目的で使用され、本明細書で説明される主題の範囲を限定することを目的としていない、モビリティイベントのいくつかの実施例は、ＵＥがＨＮＢセルを再選択すること、またはＵＥがＨＮＢセルへの既存の接続をハンドオーバすることを含み得る。
【０２７４】
ＬＩＰＡ  ＰＤＮ接続性が撤回されるか、または他の場所、例えば、遠隔アクセスへハンドオーバされる場合、またはＵＥがＣＳＧセルから外へ移動する場合、ＬＩＰＡ  ＰＤＮ接続性を利用するアプリケーションは通知されるべきである。
【０２７５】
あるアプリケーションは、ネットワーク内でＵＥとサーバとの間でデータを交換するために、異なるトランスポートプロトコル、例えば、ユーザデータグラムプロトコル（ＵＤＰ）またはトランスミッションコントロールプロトコル（ＴＣＰ），あるいは異なるセキュリティ機構を使用し得る。ＬＩＰＡまたはＳＩＰＴＯあるいは遠隔接続性等の接続性の種類に応じて、アプリケーションは、データを交換するために、異なるトランスポートプロトコルまたは異なるセキュリティ機構を使用し得る。したがって、ＵＥにおけるアプリケーションは、ＬＩＰＡまたはＳＩＰＴＯあるいは遠隔接続性等の確立されている接続性の種類を知らされる必要がある。
【０２７６】
この項で説明される問題は、より一般的に、例えば、ＧＥＲＡＮ／ＵＴＲＡＮからＥ−ＵＴＲＡＮ、またはその逆のＵＥモビリティについて、または３ＧＰＰ技術（例えば、ＧＥＲＡＮ、ＵＴＲＡＮ、またはＥ−ＵＴＲＡＮ）と非３ＧＰＰ技術（例えば、ＷＬＡＮ）との間のＵＥモビリティについて、無線アクセス間のモビリティの場合に適用される。そのような場合において、いくつかのアプリケーションは、別のアクセスに対して１つのアクセス上でのみ接続性を使用するか、またはいくつかのアプリケーションは、特定のアクセスを使用することが禁止され得ることが好ましい。この理由により、アクセス間のモビリティについて、いくつかの実施形態では、アプリケーションは、使用されているアクセスの種類およびモビリティイベントの発生を認識させられる。
【０２７７】
（問題３への解決法：）
いくつかの実施形態では、ＵＥは、アプリケーション接続性方針を伴って構成されるアプリケーションマネージャを有する。アプリケーション接続性方針は、ユーザによって定義されるか、またはＵＥ構成中にネットワークオペレータによってＵＥに提供され得る。アプリケーション接続性方針によって定義され得る情報の実施例は、所与のアクセスが他のアクセスに対してアプリケーションに好ましいかどうか、所与のアクセスがアプリケーションに禁止されているかどうか、ＵＥが３ＧＰＰまたは非３ＧＰＰセルに接続される場合に、ＬＩＰＡ接続性またはＳＩＰＴＯ接続性あるいは遠隔接続性（または３つの任意の組み合わせ）がアプリケーションに好ましいかどうか、ＵＥが３ＧＰＰまたは非３ＧＰＰセルに接続される場合に、ＬＩＰＡ接続性またはＳＩＰＴＯ接続性あるいは遠隔接続性（または３つの任意の組み合わせ）がアプリケーションに禁止されているかどうか、ＵＥが３ＧＰＰまたは非３ＧＰＰセルに接続される場合に、ＬＩＰＡ接続性またはＳＩＰＴＯ接続性あるいは遠隔接続性（または３つの任意の組み合わせ）が、アプリケーションが使用することができる唯一の接続性の種類であるかどうか、およびアプリケーションが、特定の３ＧＰＰまたは非３ＧＰＰセルあるいは一式の３ＧＰＰまたは非３ＧＰＰセルの中で一定の種類の接続性を使用することができるかどうかのうちの１つ以上を含み得る。
【０２７８】
いくつかの実施形態では、アプリケーションマネージャが、１つまたは一式のモビリティイベントのトリガを下層（例えば、ＮＡＳまたはＡＳ）から受信する。本明細書で説明される主題の範囲を限定することを目的としていない、モビリティイベントの実施例のリストは、ＵＥが特定の無線技術（例えば、Ｅ−ＵＴＲＡＮ、ＷＬＡＮ等）の受信可能範囲に進入すること、ＵＥが特定の無線技術の受信可能範囲から出て行くこと、ＵＥが３ＧＰＰまたは非３ＧＰＰセルに接続すること（随意で、ＣＳＧセルのＣＳＧ  ＩＤまたは非３ＧＰＰセルの識別、および利用可能であれば、３ＧＰＰまたは非３ＧＰＰセルで利用可能な接続性の種類の指示を提供することを含む）、ＵＥが３ＧＰＰまたは非３ＧＰＰセルから出て行くことを含み得る。
【０２７９】
いくつかの実施形態では、アプリケーションマネージャは、下層からトリガを受信すると、アプリケーション接続性方針に基づいて、１つまたは一式のアプリケーションが立ち上げられ、既存の接続性にアクセスすることを許可されるべきかどうかを決定する。
【０２８０】
いくつかの実施形態では、３ＧＰＰまたは非３ＧＰＰセルで特定の種類の接続性を使用するアプリケーションは、休眠状態になり（すなわち、動作中のままであるがデータを交換しない）、おそらく、接続性がもはや利用可能ではなく、アプリケーションが一時停止されているという指示をユーザに提供することができる。いくつかの実施形態では、データを送受信するために特定のアクセスを使用するアプリケーション、およびＵＥが３ＧＰＰまたは非３ＧＰＰセルでその特定の種類の接続性にアクセスできるか、またはその特定のアクセスに接続される場合にユーザによって立ち上げられるアプリケーションは、休眠状態になり、おそらく、接続性がもはや利用可能ではなく、アプリケーションが一時停止されているという指示をユーザに提供することができる。
【０２８１】
いくつかの実施形態では、アプリケーションマネージャは、下層からトリガを受信すると、アプリケーション接続性方針に基づいて、ＵＥがＣＳＧセルに接続される場合、またはＵＥが特定のアクセスに接続される場合に、休眠していた１つまたは一式のアプリケーションが、今利用可能な接続性の種類を通知されるべきかどうかを決定する。
【０２８２】
いくつかの実施形態では、アプリケーションが休眠状態になるために、正しい種類の接続性またはアクセスが利用可能になる時にアプリケーションを再起動することができるように、ネットワーキングまたはＩＰあるいはＮＡＳレベルで、状態機械におけるＵＥの中でコンテキストが維持される。
【０２８３】
アクセス間のモビリティを含む、モビリティイベントの通知に加えて、ＬＩＰＡ接続性が利用可能または選択されている、あるいは、遠隔接続性が利用可能または選択されている、あるいは、ＳＩＰＴＯ接続性が利用可能または選択されているというＵＥの中の上層への指示を与えることができる。いくつかの実装では、ＵＥは、そのような指示をその上層に提供する。アプリケーションマネージャまたはＩＭＳ  ＵＥ「層」は、そのような上層の実施例である。しかしながら、ＭＯまたはＵＳＩＭさえも使用して、ＬＩＰＡ適用性または遠隔接続性適用性が決定される場合、上層は、指標を調べることによってＬＩＰＡ適用性または遠隔接続性適用性を決定する。いくつかの実装では、指標は、メモリ（例えば、可撤性メモリ）に記憶され得る。上層が、ＬＩＰＡ、ＳＩＰＴＯ、または遠隔接続性のうちのいずれかの利用可能性を決定した場合、あるいは、３ＧＰＰまたは非３ＧＰＰセルへアタッチされることにより、ＬＩＰＡ、ＳＩＰＴＯ、または遠隔接続性のうちのいずれかが選択されていると決定した場合、アタッチが成功すると、上層は、特定の３ＧＰＰまたは非３ＧＰＰセル（例えば、３ＧＰＰ  ＣＳＧセルまたはＷＬＡＮセル）への接続が確立されているという指示を提供される。次いで、ＬＩＰＡまたは遠隔接続性が利用可能であると決定するのは上層次第である。
【０２８４】
いくつかの実施形態では、アプリケーションが、１つまたは一式のモビリティイベントのトリガを下層（例えば、ＮＡＳまたはＡＳ）から受信する。本明細書で説明される主題の範囲を限定することを目的としていない、モビリティイベントの実施例のリストは、ＵＥが特定の無線技術（例えば、Ｅ−ＵＴＲＡＮ、ＷＬＡＮ等）の受信可能範囲に進入すること、ＵＥが特定の無線技術の受信可能範囲から出て行くこと、ＵＥが３ＧＰＰまたは非３ＧＰＰセルに接続すること（随意で、ＣＳＧセルのＣＳＧ  ＩＤまたは非３ＧＰＰセルの識別、および利用可能であれば、３ＧＰＰまたは非３ＧＰＰセルで利用可能な接続性の種類の指示を提供することを含む）、ＵＥが３ＧＰＰまたは非３ＧＰＰセルから出て行くことを含み得る。アプリケーションがトリガを受信すると、アプリケーションは、データを交換するために、どの種類のトランスポートプロトコルを使用するか、またはどの種類のセキュリティ機構を使用するかを決定する。
【０２８５】
ここで図２７を参照して、ユーザ機器（ＵＥ）において使用する方法例を説明する。第１のステップ２７−１は、非アクセス階層（ＮＡＳ）層より上側の機能層内でアプリケーション接続性方針を受信することを伴う。第２のステップ２７−２は、ＮＡＳ層より下側の機能層から、ＮＡＳ層より上側の機能層内で少なくとも１つのモビリティイベントの指示を受信することを伴う。第３のステップ２７−３は、アプリケーション接続性方針および少なくとも１つのモビリティイベントの指示に基づいて、特定の種類の接続性が利用可能であるかどうかを決定することを伴う。
【０２８６】
（問題４：単一または複数の接続性の確立）
ＵＥが、３ＧＰＰセルまたはＷＬＡＮセルあるいは非３ＧＰＰセル（３ＧＰＰ２セル等）等のセル上にとどまっている間に所与のＰＤＮに接続する場合に、セルがＬＩＰＡ接続性を許可すると仮定すると、いくつかのアプリケーションは、ローカル（すなわち、ＬＩＰＡにおいて）および遠隔（例えば、オペレータネットワークへ）の両方で、接続される必要があり得る。これは、典型的には特定のＡＰＮによって識別される同じＰＤＮについて、ＵＥがＬＩＰＡおよび遠隔接続性の両方において接続する必要があり得ることを意味する。
【０２８７】
問題は、ａ）ＬＩＰＡが利用可能である場合に、特定のＰＤＮがＬＩＰＡおよび遠隔の両方で接続される必要があることを、どのようにしてＵＥが知るか、および、ｂ）ＰＤＮへの第１の接続がＬＩＰＡにおいて接続され、同じＰＤＮへの第２の接続が遠隔で接続される必要性を、どのようにしてＵＥが示すかといった、２つの部分からなると考えられ得る。
【０２８８】
従来の動作では、あるセル（例えば、ＣＳＧセル）の中のあるＰＤＮ（すなわち、特定のＡＰＮ）への接続が、ＬＩＰＡまたは遠隔接続性を使用して接続されるべきかどうかを決定するのは、ネットワークである。
【０２８９】
同じＡＰＮへの同時接続性がすでに許可されているが、ＰＤＮ接続が確立される場合に、ＬＩＰＡ接続性または遠隔接続性を使用して確立されるべきであると示す機構がない。
【０２９０】
（問題４への解決法：）
いくつかの実施形態では、ＵＥは、方針を通して構成される。例示目的にすぎず、本明細書で説明される主題の範囲を限定することを目的としていない、方針の実施例は、各ＡＰＮについて、そのＡＰＮに対する接続性がＬＩＰＡ接続性であるべきか、または遠隔接続性であるべきかという指示がＵＥに提供されることである。
【０２９１】
いくつかの実装では、方針は、ユーザによってＵＥにおいて構成される。いくつかの実装では、方針は、ネットワークオペレータによってＵＥに提供される。ＵＥに提供されている方針の実施例は、ＯＭＡ  ＤＭを使用するＭＯを含み得る。
【０２９２】
いくつかの実装では、方針情報は、ＵＥのメモリ記憶構成要素に記憶される。いくつかの実装では、メモリは、可撤性であり、例えば、汎用集積回路カード（ＵＩＣＣ）である。いくつかの実装では、メモリは、方針情報を伴って構成される。
【０２９３】
いくつかの実施形態では、ＵＥは、ＬＩＰＡが利用可能である場合に、ＵＥが、その特定のＡＰＮに対して、ＬＩＰＡ接続性および遠隔接続性において同時に接続するべきであるかどうかの指示を提供される。いくつかの実施形態では、ＵＥは、ＵＥが遠隔接続性のためにＡＰＮへの第１の接続を要求し、後に、ＬＩＰＡ接続性において同じＡＰＮへの付加的な接続を要求するべきか否かという指示を提供される。
【０２９４】
いくつかの実施形態では、ＵＥは、第１または付加的なＰＤＮ接続性を要求する場合に（例えば、ＧＥＲＡＮ／ＵＴＲＡＮにおけるＰＤＰコンテキスト起動要求、Ｅ−ＵＴＲＡＮにおけるＰＤＮ接続性要求、ＷＬＡＮに対するＩＫＥｖ２信号伝達、ＤＳＭＩＰｖ６に対するＰＤＮ  ＧＷ発見機構、ＤＳＭＩＰｖ６トンネル確立メッセージ、または接続性を確立するために使用される非３ＧＰＰアクセスのネットワーキングプロトコル）、またはアタッチ要求（ＡＴＴＡＣＨ  ＲＥＱＵＥＳＴ）メッセージにおいて、ＵＥが要求においてＡＰＮを提供するか否かとは無関係に、ＵＥがＬＩＰＡ接続性または遠隔接続性を所望するかどうかを示す付加的な指示を送信する。
【０２９５】
（問題５：ＣＳＧ手動構成）
いくつかの実施形態では、ＵＥのユーザは、ＵＥに記憶されている許容ＣＳＧのリストに新しいＣＳＧを手動で追加することができる。そのような場合において、ユーザは、ＬＩＰＡ接続性が特定のＣＳＧに、およびどの接続／アプリケーションに所望されるかどうかを構成し得る。
【０２９６】
しかしながら、ネットワークは、ユーザが入力した構成を容認しない場合がある。これが起こる場合がある理由の第１の実施例では、ＵＥが手動で追加した特定のＣＳＧにおいて、ネットワークは、特定のＡＰＮをＬＩＰＡにおいて接続することができないと決定し得、またはＵＥがＬＩＰＡ接続性にアクセスすることを許可されていないと決定し得る。これは、例えば、ユーザがＣＳＧにおいてゲストであり、プリンタまたはローカルサーバ等のローカルリソースにアクセスすることを許可されていないために起こる場合がある。これが起こる場合がある理由の別の実施例では、ＵＥが手動で追加した特定のＣＳＧにおいて、ネットワークは、特定のＡＰＮを遠隔で接続することができないが、ＬＩＰＡにおいてのみ接続できると決定し得、またはＵＥが遠隔接続性にアクセスすることを許可されていないが、ローカルリソースのみにアクセスすることが許可されていると決定し得る。
【０２９７】
（問題５への解決法：）
提案された解決法は、特定のセルに対して、アプリケーションごとに、またはＡＰＮごとに、ＬＩＰＡ接続性が必要とされる場合の構成を可能にすることである。いくつかの実施形態では、ユーザが、ＬＩＰＡ接続性が必要とされる場合を手動で構成する。いくつかの実施形態では、アプリケーションが情報を構成する。
【０２９８】
ＵＥは、以前の解決法で説明されるように接続性の種類を要求する。
【０２９９】
特定のＡＰＮに対する特定のＣＳＧおよび関連ＬＩＰＡ接続性または遠隔接続性のユーザ構成がネットワークによって容認可能ではない場合、ネットワークは、ＵＥからの接続性の要求を受信すると、要求を拒絶し、そのＡＰＮに対する要求された接続性が利用可能ではないことを示すことによって、ＵＥに応答する。
【０３００】
代替として、ネットワークは、ＵＥからのＡＰＮに対する接続性の要求を受信すると、要求を容認し、利用可能な接続性の種類を提供し、要求された接続性の種類が利用可能ではないことを示すことによって、ＵＥに応答する。例えば、ＬＩＰＡ接続性が要求され、ＬＩＰＡ接続性が利用可能ではないが、遠隔接続性が利用可能である場合、ネットワークは、遠隔接続性を提供する。ネットワーは、応答においてＡＰＮを提供することによって、特定のＡＰＮを明示的に示し、またはいずれのＡＰＮも返信しないことによって、ＵＥが要求したＡＰＮであることを暗示的に示すことができる。
【０３０１】
任意のＡＰＮに対する特定のＣＳＧおよび関連ＬＩＰＡ接続性または遠隔接続性のユーザ構成がネットワークによって容認可能ではない（すなわち、ネットワークがそのようなＵＥに対するＬＩＰＡ接続性を許可しない、またはそのようなＵＥに対する遠隔接続性を許可しない）場合、ネットワークは、ＵＥからの任意のＡＰＮに対する接続性の要求を受信すると、要求を拒絶し、要求された接続性（ＬＩＰＡ接続性または遠隔接続性のどちらが要求されたとしても）が利用可能ではないことを示すことによって、ＵＥに応答する。
【０３０２】
代替として、ネットワークは、ＵＥからのＡＰＮに対する接続性の要求を受信すると、要求を容認し、利用可能な接続性の種類を提供し、要求された接続性の種類が利用可能ではないことを示すことによって、ＵＥに応答する。
【０３０３】
ネットワークは、返信においていずれのＡＰＮも提供しないことによって暗示的に、または、応答において「全ＡＰＮ指示」を明示的に示すことによって、これを示し得る。いくつかの実施形態では、ネットワークが特定のＡＰＮに対するＬＩＰＡまたは遠隔接続性を拒絶する場合、どの種類の接続性がＡＰＮに対して拒絶されているかを明確に区別するように、ＵＥに拒絶されているＡＰＮを返信し、例えば、「ＬＩＰＡなし」または「遠隔接続性なし」を返信することによって、拒絶する。
【０３０４】
（問題６：ＵＥに提供される接続性の種類の発見）
いくつかの実施形態では、ＵＥがセルの中でＰＤＮ接続性を確立する場合、ＵＥは、ある種類の接続性（例えば、ＬＩＰＡ）を要求し得るが、ネットワークは、要求された種類の接続性を提供せず、代わりに、代替的な種類の接続を提供することを決定し得る。いくつかの実施形態では、ＵＥがセルの中でＰＤＮ接続性を確立する場合、ＵＥは、ある種類の接続性（例えば、ＬＩＰＡ）を要求していないが、ネットワークは、ある種類の接続性（例えば、ＬＩＰＡ）を提供することを決定し得る。そのような場合において、ＵＥは、ＬＩＰＡ接続性または遠隔接続性を必要とするアプリケーションが、ローカルサービスにアクセスすることを可能にするために、または提供される接続性の種類を知る必要があるアプリケーションがトランスポートプロトコルあるいはセキュリティ機構を選択することを可能にするために、実際に提供される接続性の種類を知る必要がある。
【０３０５】
同様に、ＵＥがマクロセルの中で接続性を確立する場合、ネットワークは、遠隔接続性の代わりにＳＩＰＴＯ接続性を提供することを決定し得る。いくつかのアプリケーションは、接続性が遠隔、ＳＩＰＴＯまたはＬＩＰＡにおいて提供される場合に、一種類のＩＰトランスポートプロトコル（例えば、ＵＤＰ）の使用を許可し得、その場合、ＵＥは、アプリケーションに異なるプロトコルを使用する必要があり得る。これは、ＧＧＳＮ／ＰＧＷが特定のサービスをＵＥに提供する強化能力を有しているような方法でＧＧＳＮ／ＰＧＷが選択されるので、起こり得る。本明細書で説明される主題を限定するように意図されていない例証的実施例は、ＵＥがアプリケーションに適切なプロトコルを使用するように、接続性が遠隔で、またはＳＩＰＴＯにおいて提供されたかどうかを知ることを所望するＵＥである。
【０３０６】
（問題６への解決法：）
いくつかの実施形態では、ネットワークは、所与の種類の不要な接続性（例えば、ＬＩＰＡ）が、全てのＡＰＮに、または一式のＡＰＮに許可されないことを確実にする。
【０３０７】
いくつかの実施形態では、ネットワークは、選択される接続性の種類がＵＥに示されることを確実にする。いくつかの実装では、ＳＩＰＴＯおよび遠隔接続性が、マクロネットワークを通して、またはＣＳＧセルを通して接続するＵＥに対して選択された場合に、ＵＥに示され、ＬＩＰＡが、ＣＳＧセルを通して接続するＵＥに対して提供された場合に、示される。
【０３０８】
ネットワークは、ＬＩＰＡ、ＳＩＰＴＯ、または遠隔接続性示す選択された接続性種類の指示をＵＥに提供する。これは、ＰＤＰコンテキスト起動要求またはＵＥ要求ＰＤＮ接続要求、あるいは、ＩＫＥｖ２接続確立またはＤＳＭＩＰｖ６トンネル確立（例えば、結合確認メッセージ）、あるいは、非３ＧＰＰ  ＰＤＮ接続確立（例えば、３ＧＰＰ２セルに対する）の容認に含むことによって達成することができる。いくつかの実装では、これは、３種類の接続性のうちの１つを示す、ＰＤＰコンテキスト容認（ＰＤＰ  ＣＯＮＴＥＸＴ  ＡＣＣＥＰＴ）メッセージまたはデフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージの中の指示を含み得る。いくつかの実装では、これは、ＩＫＥｖ２接続確立またはＤＳＭＩＰｖ６トンネル確立（例えば、結合確認メッセージ）、あるいは非３ＧＰＰ  ＰＤＮ接続確立（例えば、３ＧＰＰ２セルに対する）の中に３種類の接続性のうちの１つを示す指示を含み得る。
【０３０９】
ネットワークは、サポートされる接続性の種類（例えば、ＬＩＰＡ、ＳＩＰＴＯ）をＵＥに示すために、サポートされた接続性種類の指標を含む。
【０３１０】
ネットワークは、現在のＰＤＮ接続に選択される接続性の種類（例えば、ＬＩＰＡ、ＳＩＰＴＯ）をＵＥに示すために、選択された接続性種類の指示を返信する。
【０３１１】
ネットワークは、要求された接続性種類が現在のＡＰＮに容認可能ではないという指示、または選択された接続性種類が要求された接続性種類とは異なる場合に、どのＡＰＮにそれが容認可能ではないかという指示を含む。
【０３１２】
ＣＳＧセルについては、ネットワークは、選択された接続性種類またはサポートされた接続性種類、あるいは両方における指示が、現在のＣＳＧセルのみに適用される場合、または現在のＣＳＧ  ＩＤに適用される場合に、ＣＳＧ適用性指示を含む。
【０３１３】
いくつかの実装では、レガシーＵＥが新しい指示を処理することが可能ではない場合があるため、そのような解決法は、レガシーＵＥには機能しない場合がある。
【０３１４】
（問題７：ＵＥにサービス提供する１つより多くのＳ−ＧＷを伴うアーキテクチャの包含）
ＵＥにサービス提供する１つより多くのサービングゲートウェイ（Ｓ−ＧＷ）を伴うアーキテクチャ、例えば、ＨｅＮＢサブシステムの中の少なくとも１つ、およびマクロまたはコアネットワークの中の少なくとも１といった、少なくとも２つのＳ−ＧＷをサポートするアーキテクチャが、ＬＩＰＡまたはＳＩＰＴＯ、あるいは両方を有効にするために提案されている。本願で提供される実施形態は、少なくとも２つのＳ−ＧＷアーキテクチャに基づいて、ＬＩＰＡサービス継続、および、ＬＩＰＡ／ＳＩＰＴＯに対する遠隔アクセスローカルリソースをサポートするために、既存のデータ構造およびメッセージフローへの修正を含む。ＵＥと関連付けられる１つより多くのＳ−ＧＷを導入すること、および、ＬＩＰＡまたは／およびＳＩＰＴＯサービス継続を有効にすることを超えて、さらなる強化が行われ得る。ＬＩＰＡサービス継続またはＳＩＰＴＯサービス継続、あるいは両方は、ＵＥが、ＨｅＮＢサブシステム、別のセル、あるいは第２のＩＰネットワークに接続されるｅＮＢへ移動する場合、またはその逆の場合も同様に、ＵＥが第１の住居ＩＰネットワークまたは企業ＩＰネットワークへのＩＰ接続性を維持することを可能にする。最初に、サービス継続は、１つの方向で維持され得、ＵＥが、ＨｅＮＢサブシステム、別のセル、または、該住居ＩＰネットワークまたは企業ＩＰネットワークとは異なるＩＰネットワーク、あるいは該住居ＩＰネットワークまたは企業ＩＰネットワーク内のＩＰリソースに接続されないｅＮＢへ移動する場合、ＵＥが住居ＩＰネットワークまたは企業ＩＰネットワークへのＩＰ接続性を維持することを可能にする。
【０３１５】
ＵＥは、住居／企業ネットワークに直接接続されるＨ（ｅ）ＮＢサブシステム受信可能範囲の中／外へ移動することができるため、第１のＨ（ｅ）ＮＢと別のＨ（ｅ）ＮＢ（第１のＨ（ｅ）ＮＢのローカルにあるリソースにアクセスできない別のＨ（ｅ）ＮＢ）またはマクロ（ｅ）ＮＢとの間のＨＯが生じる。ＨＯ手順が成功すると、ＵＥは、第１のＨ（ｅＮＢ）のローカルにあるリソースへの新しいＬＩＰＡ接続を開始することができない場合がある。ＵＥに通知するために、ＭＭＥは、ローカルＩＰリソースが直接アクセス可能であるか否かを示すメッセージをＵＥに送信し得る。ＬＩＰＡ継続が有効にされた場合、ＵＥは、ＬＩＰＡトラフィックがマクロによって処理されていることを通知され得る。マクロがＬＩＰＡトラフィックを処理することの結果として、異なる課金ルールが適用され得る。ＭＭＥは、ＬＩＰＡトラフィックがマクロによって処理されないことを示すメッセージをＵＥに送信し得る。
【０３１６】
ＵＥはまた、ＣＳＧ指標が不在であるか、またはもはや放送されていないと決定することにより、ローカルリソースへのアクセスが利用可能ではないことを検出し得る。代替として、セルｉｄの変更が検出され得る。該検出は、ローカルＩＰリソースが直接アクセス可能であるか否かを決定すること、またはＬＩＰＡトラフィックが、マクロによって、またはローカルリソースにアクセスできないＨ（ｅ）ＮＢサブシステムによって処理されていることを示すことで、ＵＥを支援し得る。
【０３１７】
（以下を示すメッセージをネットワーク（例えば、ＭＭＥ）から受信することにより、またはＵＥがＣＳＧ指標の欠如を決定することにより）ローカルＩＰリソースが直接アクセス可能であるか否かを決定するか、またはＬＩＰＡトラフィックが、マクロによって、またはローカルリソースにアクセスできないＨ（ｅ）ＮＢサブシステムによって処理されていることを示すと、ＵＥは、ローカルＩＰリソースが直接アクセス可能であるか否かを示す、またはＬＩＰＡトラフィックが、マクロによって、またはローカルリソースにアクセスできないＨ（ｅ）ＮＢサブシステムによって処理されていることを示す、１つ以上の指示を上層に向かって提供する。上層は、ＬＩＰＡ接続性をどのように利用するかを決定する場合に、これらの指示を考慮し得る（例えば、ユーザ選好または他の選好も考慮する）。
【０３１８】
加えて、それは、ユーザが企業または住居ＩＰリソースにアクセスすることを可能にする可能性により、ローカルＩＰリソースに向かった遠隔アクセスがサポートされる場合に有益となる。
【０３１９】
（問題７への解決法：）
以下の説明では、そのような対応が説明の文脈に従って除外されない限り、それぞれ、ｅＮＢはＮＢに対応することができ、ＨｅＮＢはＨＮＢに対応することができると留意されたい。ＨｅＮＢの別の用語は、ＨｅＮＢサブシステムである。
【０３２０】
（アーキテクチャ）
いくつかの実施形態では、ＬＩＰＡおよびＳＩＰＴＯサービス継続をサポートするために、１つより多くのＳ−ＧＷをサポートするアーキテクチャが基礎として使用される。Ｓ１１インターフェースまたは同様のインターフェースが、ＬＩＰＡおよびＳＩＰＴＯのためのベアラ設定を管理するようにＨｅＮＢサブシステムに追加される。
【０３２１】
ＵＥが時には１つより多くのＳ−ＧＷによってサービス提供され得るため、いくつかの実施形態では、ＵＥが所与の時点で単一のＳ−ＧＷによってサービス提供される従来の動作は、１つより多くのＳ−ＧＷが同時にＵＥにサービス提供することを可能にするように無効にされる。
【０３２２】
ＵＥが１つより多くのＳ−ＧＷまたはＳＧＳＧＮ（本書では、文脈が他に示さない限り、Ｓ−ＧＷという用語をＳＧＳＧＮと置換することができる）を介して１つより多くのＩＰ接続種類を用いてサービスを利用している場合に、ハンドオーバが起こる状況について、標的Ｓ−ＧＷへのソースＳ−ＧＷ上の合併または分割あるいは再割付が起こり得る。合併または分割の別の用語は、再割付である。１つより多くのＩＰ接続種類は、ＬＩＰＡ、ＳＩＰＴＯ、非ＬＩＰＡ、および非ＳＩＰＴＯを含み得る。典型的には、ＩＰ接続種類のＩＰ接続の一部として伝送されるＩＰパケットは、ＬＩＰＡ、ＳＩＰＴＯ、非ＬＩＰＡ、および非ＳＩＰＴＯ機能性を受ける。
【０３２３】
いくつかの実施形態では、ＨｅＮＢ、ｅＮＢ、ＭＭＥ、およびＳ−ＧＷのうちの１つ以上の機能は、モビリティメッセージング、データ記憶、およびベアラおよびＰＤＰコンテキストに対するコンテキスト管理、ならびにＰＤＮ接続に関連付けられる情報をサポートするように強化される。
【０３２４】
ここで、図２９に関して方法を説明する。方法は、ソースＭＭＥが、ローカルサービングゲートウェイによってサービス提供される少なくとも１つのセッションを有する、少なくとも１つのユーザ機器（ＵＥ）の標的ＭＭＥコンテキスト情報を提供するステップ２９−１を伴う。
【０３２５】
（データ構造修正）
ＵＥがＨｅＮＢ受信可能範囲内にあり、１つ以上のＬＩＰＡおよび／またはＳＩＰＴＯ  ＰＤＮ接続を使用する場合に、ＵＥが１つより多くのＳ−ＧＷによってサービス提供され得るため、いくつかの実装では、ＭＭＥは、ＵＥのコンテキスト情報の中の１つより多くのＳ−ＧＷを追跡するように構成される。
【０３２６】
いくつかの実施形態では、ＵＥのコンテキスト情報は、ローカルサービングゲートウェイ（ＬＳ−ＧＷ）のアドレス、およびＧＰＲＳトンネリングプロトコルトンネリング終点識別子（ＧＴＰ  ＴＥＩＤ）のための付加的なフィールドを含む。ＧＴＰ  ＴＥＩＤは、ＭＭＥとＬＳ−ＧＷとの間のＳ−１１参照点上で制御プレーンメッセージに使用することができる。ＵＥが単一のＳ−ＧＷによってサービス提供されている場合、付加的なフィールドは、空であり得るか、または使用することができない。例えば、ＵＥにサービス提供するＬＳ−ＧＷの数を示す指標を追加することができる。
【０３２７】
いくつかの実施形態では、ＭＭＥはまた、能動ＰＤＮ接続ごとにコンテキスト情報を維持する。ＭＭＥは、伝統的に、１つのみのＳ−ＧＷと通信するので、ＰＤＮ接続特有のＳ−ＧＷ情報は必要とされていない。潜在的に１つより多くのＳ−ＧＷを導入すると、ＰＤＮ接続と関連付けられるＳ−ＧＷの識別が、いくつかの実施形態では、利用可能にされる。したがって、ＩＰアドレスまたは完全修飾ドメイン名（ＦＱＤＮ）に関するＳ−ＧＷ識別のための付加的なフィールドが、能動ＰＤＮ接続ごとに追加され得る。
【０３２８】
ＵＥが１つより多くのＳ−ＧＷによってサービス提供され得るため、ＭＭＥは、ＵＥにつき複数のＳ−ＧＷを処理するように構成される。
【０３２９】
ＭＭＥは、ＥＣＭアイドル（ＥＣＭ−ＩＤＬＥ）、ＥＣＭ接続（ＥＣＭ−ＣＯＮＮＥＣＴＥＤ）、およびＭＭ登録解除（ＭＭ−ＤＥＲＥＧＩＳＴＥＲＥＤ）状態で、ＵＥに対するＭＭコンテキストおよびＥＰＳベアラコンテキスト情報を維持する。ＭＭＥによって維持されるＵＥに対するＭＭコンテキストおよびＥＰＳベアラコンテキスト情報は、（Ｌ）Ｓ  ＧＷにサービス提供する各ＬＳ  ＧＷのためのＳ１１に対するＬＳ  ＧＷ  ＩＰアドレス、Ｓ１１に対する対応ＬＳ  ＧＷ  ＴＥＩＤ（トンネル終点識別子）、およびＵＥにサービス提供する各（Ｌ）Ｓ  ＧＷのための使用中の（Ｌ）Ｓ−ＧＷアドレス（制御プレーン信号伝達を送信するために現在使用されている（Ｌ）Ｓ−ＧＷのＩＰアドレス）を含む必要がある。いくつかの実施形態で使用され得る、ＭＭＥ  ＭＭおよびＥＰＳベアラコンテキストの実施例は、以下の表４に含まれる。
【０３３０】
【表４−１】
2013516932.tif 000006
【０３３１】
【表４−２】
2013516932.tif 000007
【０３３２】
【表４−３】
2013516932.tif 000008
【０３３３】
【表４−４】
2013516932.tif 000009
（インターＭＭＥ  ＨＯに対する修正メッセージ形式）
いくつかの実施形態では、ＵＥがＨｅＮＢサブシステムにとどまっている間に、旧またはソースサービングＭＭＥが、新または標的サービングＭＭＥに切り替えられる。ＭＭＥ間の負荷再平衡が、これが起こり得る時の実施例である。ＭＭＥ切替中に、新ＭＭＥは、コンテキスト要求（ＣＯＮＴＥＸＴ  ＲＥＱＵＥＳＴ）メッセージを使用して、ＵＥに関するコンテキスト情報を旧ＭＭＥから要求する。旧ＭＭＥは、コンテキスト応答（ＣＯＮＴＥＸＴ  ＲＥＳＰＯＮＳＥ）メッセージにおいて、ＵＥのコンテキスト情報を提供する。旧ＭＭＥは、１つより多くのＳ−ＧＷの情報（例えば、ＬＳＧＷ  Ｓ１１  ＩＰアドレス、制御プレーンに対するＴＥＩＤ、およびＬＳＧＷノード名、ならびに（Ｌ）ＳＧＷノード名につき制御プレーンまたはＰＭＩＰに対するＳＧＷ  Ｓ５／Ｓ８  ＩＰアドレスを含む）を伝える必要があり得るため、コンテキスト応答（ＣＯＮＴＥＸＴ  ＲＥＳＰＯＮＳＥ）メッセージ形式が、それに従って変更される必要がある。加えて、ＭＭＥがサービス種類を決定することができるような指示が必要とされる。サービス種類の実施例は、’’ｎｏｒｍａｌ’’、’’ｌｉｐａ’’、’’ｌ（ｏｃａｌ）−ｓｉｐｔｏ’’、’’ｈ（（ｅ）ＮＢ）−ｓｉｐｔｏ’’、’’ｓｉｐｔｏ’’、’’ｍ（ａｃｒｏ）−ｓｉｐｔｏ’’、’’ｅｍｅｒｇｅｎｃｙ’’、’’ｐｒｉｏｒｉｔｙ’’、’’ｐｒｉｏｒｉｔｙ−＜ｖａｌｕｅ  ｏｒ  ｌｅｖｅｌ＞’’等を含む。
【０３３４】
いくつかの実施形態では、コンテキスト応答（ＣＯＮＴＥＸＴ  ＲＥＳＰＯＮＳＥ）メッセージは、ＴＡＵ／ＲＡＵ手順中に前のコンテキスト要求（ＣＯＮＴＥＸＴ  ＲＥＱＵＥＳＴ）メッセージへの応答として送信される。考えられる原因値は、「要求が容認されている」、「ＩＭＳＩが分からない」、「システム故障」、「義務的ＩＥが正しくない」、「条件付きＩＥが欠落している」、「無効なメッセージ形式」、「Ｐ−ＴＭＳＩ署名不一致」、および「ユーザ認証失敗」のうちの１つ以上を含み得る。
【０３３５】
表５は、メッセージの中のＩＥの存在要件および条件の実施例を特定する。
【０３３６】
【表５−１】
2013516932.tif 000010
【０３３７】
【表５−２】
2013516932.tif 000011
表６は、コンテキスト応答内のＭＭＥ／ＳＧＳＮ  ＵＥ  ＥＰＳ  ＰＤＮ接続の存在要件および条件の実施例を特定する。
【０３３８】
【表６】
2013516932.tif 000012
（ＬＩＰＡ／ＳＩＰＴＯ  ＰＤＮ接続確立）
ＬＩＰＡおよびＳＩＰＴＯ接続性は、別個のＰＤＮ接続を通して提供される。この項は、上記で説明されるアーキテクチャに基づいて、ＬＩＰＡ／ＳＩＰＴＯに対するＰＤＮ接続がどのようにして確立されるかという実施例を説明する。図９は、手順を詳細に描写する。ここで、ＵＥがＨｅＮＢの受信可能範囲内にあり、コアネットワークを通した少なくとも１つの非ＬＩＰＡ／非ＳＩＰＴＯ  ＰＤＮ接続をすでに有すると仮定する。ＵＥは、第１のＨｅＮＢを通してＬＩＰＡまたはＳＩＰＴＯ  ＩＰ接続性を使用することが認証されている。ＵＥは、好ましくは、住居／企業ＩＰネットワークに接続されていない第２のＨ（ｅ）ＮＢまたは第２のセルあるいは第２の（ｅ）ＮＢへと移動する場合、同じ住居／企業ＩＰネットワークへのＬＩＰＡまたはＳＩＰＴＯ  ＩＰ接続性を維持する。
【０３３９】
上記で説明される解決法に特に関連するステップが詳細に説明される。本明細書で説明される解決法の影響を特に受けず、既知の手順を有し得る、ネットワークアタッチ手順のステップは、詳細に説明しない。
【０３４０】
信号フロー９−１において、ＵＥがローカルＩＰリソースにアクセスしようとする場合に、ＵＥは、要求メッセージにおいて所定のＡＰＮを示すか、または本願の他の場所で説明されるようなＬＩＰＡ選好を示す。ＵＥが任意の他のＰＤＮにアクセスしようとする場合、ＵＥは、従ってＡＰＮを提供し、３ＧＰＰアクセスに接続された場合に、適切な手順を実行する。３ＧＰＰアクセスのための適切な手順は、３ＧＰＰ  ＴＳ  ２４．３０１で説明されているものを含み得る。ＵＥがＷＬＡＮ等の非３ＧＰＰアクセスに接続される場合に、代替の適切な手順が適用される。
【０３４１】
信号フロー９−２において、ＵＥからローカルＩＰリソースへのアクセスの要求を受信すると、ＭＭＥは、ＬＩＰＡ  ＰＤＮ接続である場合、ＰＤＮ接続のためのＬＳ−ＧＷおよびＬＰ−ＧＷを選択する。本願は、ローカルＩＰリソースへのアクセスを要求するための種々の技法を説明する。
【０３４２】
いくつかの実施形態では、ＬＩＰＡ接続種類を示さないＵＥからの要求を受信すると、ＭＭＥは、ＳＩＰＴＯを接続に適用するかどうかの決定を行う。典型的には、ＳＩＰＴＯは、ＬＩＰＡ接続に適用されない。次いで、ＭＭＥは、ＵＥがＨｅＮＢの受信可能範囲内にあるかどうか、ＵＥがＨｅＮＢを通してＳＩＰＴＯを使用することを許可されているかどうか、ＳＩＰＴＯを要求されたＡＰＮに適用すること、またはＡＰＮが要求に存在しなかった場合にデフォルトＡＰＮに適用することが適切であるかどうか、およびＵＥの最近のモビリティパターンならびに要求されるＰＤＮの種類（例えば、「緊急」）のような他の要因等の、いくつかの基準に基づいて、ＳＩＰＴＯを適用するかどうかを決定する。典型的には、ＳＩＰＴＯは、緊急種類のＰＤＮ接続には適用されない。いったんＭＭＥがＳＩＰＴＯを適用することを決定すると、ＬＳ−ＧＷであり得るＳ−ＧＷ、およびＰＤＮ接続のためのＰＤＮゲートウェイ（Ｐ−ＧＷ）（ローカルＰＤＮゲートウェイ（ＬＰ−ＧＷ）であり得る）を選択する。例えば、ＭＭＥ間の負荷再平衡の場合、ＭＭＥはおそらく、ＩＰ接続性（例えば、ＳＩＰＴＯ、ＬＩＰＡ等）を示すために、情報を追跡する。
【０３４３】
いくつかの実装では、ＭＭＥは、セッション作成要求（ＣＲＥＡＴＥ  ＳＥＳＳＩＯＮ  ＲＥＱＵＥＳＴ）メッセージを、ＨｅＮＢサブシステムに位置する（Ｌ）Ｓ−ＧＷに送信する。メッセージは、ＰＤＮ接続のための指定Ｐ−ＧＷとしての（Ｌ）Ｐ−ＧＷのＩＰアドレス情報を含む。ＬＰ−ＧＷおよびＬＳ−ＧＷは、Ｈ（ｅ）ＮＢサブシステム内に位置することができるか、またはそのローカルＩＰネットワーク内のＨ（ｅ）ＮＢによって到達されることができることに留意されたい。ＬＳ−ＧＷはＰ−ＧＷに接続することができ、その逆も同様であることが可能である。本書の目的で、ＬＰ−ＧＷはＰ−ＧＷであり得、ＬＳ−ＧＷはＳ−ＧＷであり得る。
【０３４４】
信号フロー９−３において、ＬＳ−ＧＷは、ＰＤＮ接続のため、およびＰＤＮ接続のデフォルトベアラのためのコンテキスト情報を作成する。ＬＳ−ＧＷは、そのＩＰアドレスがＭＭＥによって提供されたＬＰ−ＧＷに向かって、セッション作成要求メッセージを送信する。ＬＰ−ＧＷは、方針および課金ルール機能（ＰＣＲＦ）に向けた参照点が存在しない限り、ＰＤＮ接続のための方針および課金制御（ＰＣＣ）ルールを適用する。
【０３４５】
信号フロー９−４において、ＬＰ−ＧＷは、ＰＤＮ接続のため、およびそのデフォルトベアラのためのコンテキスト情報を作成し、ＬＳ−ＧＷに向かってセッション作成応答メッセージを送信する。
【０３４６】
信号フロー９−６において、ＬＳ−ＧＷからセッション作成応答メッセージを受信すると、ＭＭＥは、ＵＥのコンテキスト情報の中に、ＵＥに対する二次Ｓ−ＧＷとして、ＬＳ−ＧＷのアドレスおよびトンネリング終点識別子（ＴＥＩＤ）を記録する。
【０３４７】
ＬＩＰＡ／ＳＩＰＴＯ  ＰＤＮ接続を確立した後、ユーザプレーントラフィックが、図１０に示されるように転送される。
【０３４８】
ＬＩＰＡおよびＳＩＰＴＯに対するユーザプレーンデータトラフィックは、コアネットワークを通過しない。トラフィックは、ＵＥ１０１０から、ＬｅＮＢ１０２２、ＬＳ−ＧＷ１０２４、およびＬＰ−ＧＷ１０２６を通過し、それらは、鎖線１０２８で示されるように、ＨｅＮＢ１０２０の中に全て並置されて図示されている。ＵＥが非ＬＩＰＡ、非ＳＩＰＴＯである付加的なＰＤＮ接続を有する場合、トラフィックは、図１０の実線１０４５で示されるように、ＨｅＮＢ−ＧＷ１０４０、Ｓ−ＧＷ１０６０、およびＰ−ＧＷ１０７０を通ってＰＤＮ１０８０まで進む。
【０３４９】
（ローカルＩＰリソースへの遠隔アクセス）
図１１では、ＵＥ１１１０は、２つのＰＤＮ接続を確立しており、一方は実線１１４５で描写される、非ＬＩＰＡ、非ＳＩＰＴＯ  ＰＤＮに向かった接続であり、他方は鎖線１１５５によって表される、ローカルＩＰネットワークに向かった接続である。
【０３５０】
ＵＥが、ＵＥがアクセスしようとするローカルＩＰネットワークに直接アクセスできない、マクロレベルｅＮＢまたはＨｅＮＢにアタッチされている間に、ＵＥは、ＨｅＮＢから直接アクセス可能であるローカルＩＰネットワークにアクセスしようとすることが可能である。これの実施例は、ＵＥが移動中である間に、ＵＥがローカルＩＰネットワーク内に位置するプリンタに印刷ジョブを送信しようとする場合である。そのような状況では、ＵＥは、ＰＤＮ接続要求（ＰＤＮ  ＣＯＮＮＥＣＴＩＯＮ  ＲＥＱＵＥＳＴ）メッセージをＭＭＥに向かって送信する。メッセージの中の指標は、ＵＥがローカルＩＰネットワークに向かったＰＤＮ接続を所望することを示す。ＭＭＥは、ＵＥが要求されたローカルＩＰネットワークにアクセスすることを承認されていることを検証し得、要求されたローカルＩＰネットワークへのアクセスを提供することができるＬＰ−ＧＷのＩＰアドレスを決定する。指標と関連付けられるＬＰ−ＧＷの識別は、ＵＥコンテキストにおいて静的に特定される可能性が高い。ＭＭＥは、ＵＥにサービス提供しているコアネットワーク内のＳ−ＧＷにセッション作成要求（ＣＲＥＡＴＥ  ＳＥＳＳＩＯＮ  ＲＥＱＵＥＳＴ）メッセージを送信する。メッセージは、宛先ＬＰ−ＧＷのＩＰアドレスを含む。
【０３５１】
（ＬＩＰＡ／ＳＩＰＴＯに対するサービ継続を提供する）
ＵＥがＬＩＰＡおよび／またはＳＩＰＴＯに対する１つ以上の能動ＰＤＮ接続を有しながら、ＵＥがＨｅＮＢの受信可能範囲の中／外に移動することが可能である。以下の項は、そのような場合において、サービス継続がどのようにして提供されるかという実施例を説明する。ＵＥがＬＩＰＡおよび／またはＳＩＰＴＯに対する１つ以上の能動ＰＤＮ接続を有しながら、ＨｅＮＢの受信可能範囲の外に移動する能力が、最初に展開されることが仮定される。ＣＳＦＢ（ＣＳファオールバック）呼び出しにより、およびＤＴＭ（二重転送モード）により、該ＨｅＮＢの受信可能範囲からＧＥＲＡＮネットワークへＰＳ  ＨＯが起こった場合、ＰＳ活動が一時停止される。典型的には、ＤＴＭ状態は、ＰＳ  ＨＯがＵＴＲＡＮネットワークに向かう時には起こらない。ＬＩＰＡ継続が有効にされた場合、ＬＩＰＡ接続は、ＰＳ  ＨＯがＵＴＲＡＮに対する場合、引き続き利用可能となる。ＣＳ呼び出しにより、およびＤＴＭにより、ＨＯがＧＥＲＡＮに対する場合、ＬＩＰＡ接続は一時停止され得る。
【０３５２】
（Ｓ−ＧＷ  ＨＯを伴わないＨｅＮＢからマクロｅＮＢへのハンドオーバ（ＨＯ）（Ｓ−ＧＷ合併））
実施例は、ＵＥがＨｅＮＢからマクロレベルｅＮＢまたは別のＨｅＮＢに移動する状況を対象とする。標的システムは、簡単にするために標的ｅＮＢと呼ばれることに留意されたい。これは、標的システムが別のＨｅＮＢになり得る可能性を除外しない。実施例では、ＵＥが、ＬＩＰＡ／ＳＩＰＴＯに対する少なくとも１つのＰＤＮ接続、および非ＬＩＰＡ、非ＳＩＰＴＯであるコアネットワークへの１つのＰＤＮ接続を有すると仮定される。
【０３５３】
図１２は、コアＳ−ＧＷハンドオーバを伴わないＨｅＮＢから標的ｅＮＢへのハンドオーバの手順を示す。上記で説明される解決法に特に関連するステップが詳細に説明される。本明細書で説明される解決法の影響を特に受けず、既知の手順を有し得る、ネットワークアタッチ手順のステップは、詳細に説明しない。
【０３５４】
この実施例では、ハンドオーバがＭＭＥハンドオーバを伴わないことが仮定される。図１２で標的Ｓ−ＧＷとして描写されるＳ−ＧＷは、１つ以上の非ＬＩＰＡ、非ＳＩＰＴＯ接続にサービス提供しているＳ−ＧＷである。コアネットワークソースＳ−ＧＷも、ＵＥに対する標的Ｓ−ＧＷでもあるが、接続がＬＳ−ＧＷによってサービス提供されているため、標的Ｓ−ＧＷは、ＬＩＰＡ／ＳＩＰＴＯトラフィックに対するＰＤＮ接続およびＥＰＳベアラのコンテキスト情報を持たない。したがって、ＬＩＰＡ／ＳＩＰＴＯに対するＰＤＮ接続およびＥＰＳベアラのコンテキスト情報が、作成され、または標的Ｓ−ＧＷに転送されるべきであり、それは信号フロー１２−３および１２−４で行われる。ＬＳ−ＧＷについての既存のコンテキスト情報は、ＬＳ−ＧＷから削除されるべきであり、それは信号フロー１２−１３および１２−１４で行われる。これは、部分Ｓ−ＧＷ  ＨＯまたは複合Ｓ−ＧＷ  ＨＯと呼ぶことができ、それはソースＳ−ＧＷのうちの２つ以上のコンテキスト情報をソースＳ−ＧＷのうちの１つに標的Ｓ−ＧＷとして合併し、それは、ＥＰＳシステムにおける新しい概念である。ＨＯを行った後に、ＵＥは、図１１に示されるように、ローカルＩＰリソースに遠隔でアクセスすることができる。遠隔アクセスは、ＵＥがローカルＩＰリソースへのアクセスを可能にしたＨｅＮＢサブシステムに接続された時に承認および確立された接続要求によって促進される。
【０３５５】
（Ｓ−ＧＷ  ＨＯを伴うＨｅＮＢからマクロｅＮＢへのＨＯ（２から１のＳ−ＧＷ  ＨＯ））
ＵＥがＨｅＮＢから標的ｅＮＢ（ソースＨｅＮＢサブシステムに属さないマクロｅＮＢまたは別のＨｅＮＢ）へ移動する場合に、標的ｅＮＢがソースＳ−ＧＷのサービスエリア外にある場合、コアネットワーク内のＳ−ＧＷが再選択されることが可能であり得る。そのような場合において、コアネットワーク内のソースＬＳ−ＧＷおよびソースＳ−ＧＷの両方からのコンテキスト情報は、合併され、単一の標的Ｓ−ＧＷへハンドオーバされる。
【０３５６】
図１３は、コアＳ−ＧＷハンドオーバを伴うＨｅＮＢから標的ｅＮＢへのハンドオーバの手順を示す。上記で説明される解決法に特に関連するステップが詳細に説明される。本明細書で説明される解決法の影響を特に受けず、既知の手順を有し得る、ネットワークアタッチ手順のステップは、詳細に説明しない。
【０３５７】
標的Ｓ−ＧＷにおけるリソース準備が、信号フロー１３−３および１３−４で行われ、ソースＳ−ＧＷにおいてリソースを解放することが、信号フロー１３−１５から１３−１８で行われる。
【０３５８】
（マクロｅＮＢからＨｅＮＢへのＨＯ（Ｓ−ＧＷ分割））
ＵＥが図１１に示されるようにローカルＩＰリソースに遠隔でアクセスしている場合、ＵＥがＨｅＮＢに向かってＨＯを行う場合、いくつかの実施形態では、ＬＩＰＡに対する接続性が維持される。効率的な方法でサービス継続を保つために、部分Ｓ−ＧＷ  ＨＯは、ソースＳ−ＧＷについてのコンテキスト情報を２つのＳ−ＧＷに分割し、１つはＨｅＮＢサブシステムの中、もう１つはコアネットワークの中にある。ＬＩＰＡまたはＳＩＰＴＯ、あるいは両方に対するコンテキスト情報は、ＬＳ−ＧＷにおいて作成され、コアネットワーク内のＳ−ＧＷから削除される。手順は図１４に描写されている。このＨＯを行った後に、ＵＥは、図１０に提示されるように、ＬＩＰＡ／ＳＩＰＴＯ接続、ならびに非ＬＩＰＡ、非ＳＩＰＴＯ接続にアクセスすることができる。複数のＨｅＮＢが、同じＬＰ  ＧＷおよびＬＳ  ＧＷをサポートし得る。複数のＬＳ  ＧＷが、同じＬＰ  ＧＷをサポートし得る。ＭＭＥは、ＬＩＰＡに対する接続性を現在終了しているＬＰ  ＧＷによってサポートされるＬＳ  ＧＷを選択することができるように、ＵＥが  ＨＯを行うかどうかを決定できなければならない。そのようなＬＳ  ＧＷの選択は、Ｓ−ＧＷ分割を保証し得る。
【０３５９】
（無線間アクセス技術（Ｉ−ＲＡＴ）ＨＯ）
ＨｅＮＢにアタッチされたＵＥは、種々の理由でインターＲＡＴ  ＨＯを行ってもよい。特定の実施例は、ＵＥがＣＳフォールバック（ＣＳＦＢ）に対するインターＲＡＴ  ＨＯを行うものである。そのような実施例では、ＵＥは、ＩＲＡＴ  ＨＯを行う前に１つ以上のＬＩＰＡ／ＳＩＰＴＯ  ＰＤＮ接続を有する。ＵＥは、１つより多くのＳ−ＧＷ、例えば、ＨｅＮＢサブシステムの中のＬＳ−ＧＷ、およびコアネットワーク内のＳ−ＧＷによってサービス提供され得る。ＵＥが２Ｇ／３Ｇネットワークにハンドオーバする場合、ＳＧＳＮ（および随意でＧＧＳＮ）とＳ−ＧＷとの間の参照点Ｓ４が確立されるべきである。１つだけのＳ−ＧＷが、この状況に使用され得るため、上記で詳細に説明されるＳ−ＧＷ合併手順は、ＩＲＡＴ  ＨＯ準備段階中に行われ得る。
【０３６０】
ここで、図１５を参照して詳細な実施例を説明する。上記で説明される解決法に特に関連するステップが詳細に説明される。本明細書で説明される解決法の影響を特に受けず、既知の手順を有し得る、ネットワークアタッチ手順のステップは、詳細に説明しない。これらのステップは、３ＧＰＰ  ＴＳ  ２３．４０１で見出すことができる。
【０３６１】
実施例では、ＵＥは、１つより多くのＳ−ＧＷによってサービス提供され、各Ｓ−ＧＷとの少なくとも１つのＰＤＮ接続を有することが仮定される。加えて、ＵＥは、ＨｅＮＢサブシステムの中のＬＳ−ＧＷおよびコアネットワーク内のＳ−ＧＷといった、２つのＳ−ＧＷによってサービス提供され得る。２Ｇ／３ＧネットワークへのＵＥ  ＨＯにおいて、ＳＧＳＮ（および随意でＧＧＳＮ）とＳ−ＧＷとの間の接続が確立される。
【０３６２】
信号フロー１５−２ａにおいて、ｅＮｏｄｅＢからハンドオーバ要求メッセージを受信すると、ＭＭＥは、ＵＥが１つより多くのＳ−ＧＷによってサービス提供されているかどうかをチェックする。真であれば、ＭＭＥは、メッセージ（例えば、セッション作成要求メッセージ）をコアネットワーク内のソースＳ−ＧＷに送信して、ＰＤＮ接続およびＥＰＳベアラのためにローカルリソースを準備する。メッセージは、ＩＭＳＩ、制御プレーンに対するＭＭＥトンネル終点識別子、制御プレーンに対するＭＭＥアドレス、ユーザプレーンに対するＰＤＮ  ＧＷアドレス、ユーザプレーンに対するＰＤＮ  ＧＷ  ＵＬ  ＴＥＩＤ、制御プレーンに対するＰＤＮ  ＧＷアドレス、および制御プレーンに対するＰＤＮ  ＧＷ  ＴＥＩＤ、およびＳ５／Ｓ８上のプロトコル種類等の情報を含み得る。
【０３６３】
信号フロー１５−２ｂにおいて、ソースＳ−ＧＷは、そのローカルリソースを割り付け、例えば、ユーザプレーンに対するサービングＧＷアドレス、ユーザプレーンに対するサービングＧＷ  ＵＬ  ＴＥＩＤ、制御プレーンに対するサービングＧＷアドレス、制御プレーンに対するサービングＧＷ  ＴＥＩＤを含むメッセージ（例えば、セッション作成要求メッセージ）をソースＭＭＥに返信する。
【０３６４】
信号フロー１５−２ｃにおいて、ソースＭＭＥは、セッションと関連付けられるリソースが削除されることを要求するメッセージ（例えば、原因およびＴＥＩＤを含む、セッション削除要求メッセージ）をソースＬＳ−ＧＷに送信する。原因値は、セッションが合併されるか、または再び割り付けられることを示すように設定され得る。一実施例では、原因値を「ＬＩＰＡコンテキスト再割付」に設定することができる。いくつかの実施形態では、ソースＬＳ−ＧＷは、原因値に基づいて、削除手順をＰＤＮ  ＧＷに向かって示さない。
【０３６５】
信号フロー１５−２ｄにおいて、ソースＬＳ−ＧＷは、リソースを解放し、セッション削除応答メッセージ等のメッセージを返信する。
【０３６６】
ここで、図２８を参照して、複数のサービングゲートウェイの同時使用がサポートされる、ネットワークのモビリティ管理エンティティで使用する方法例を説明する。第１のステップ２８−１は、ハンドオーバ（ＨＯ）の要求を受信することを伴う。第２のステップ２８−２は、セッションコンテキストを作成する要求を標的サービングゲートウェイ（Ｓ−ＧＷ）に送信する。第３のステップ２８−３は、セッションコンテキストの作成を可能にする情報を含む応答を受信する。第４のステップ２８−４は、ローカルサービングゲートウェイ（ＬＳ−ＧＷ）とのローカル接続性のセッションコンテキストを削除する要求を送信する。第５のステップ２８−５は、ローカル接続性のセッションコンテキストが削除されたことを示す応答を受信する。第６のステップ２８−６は、ハンドオーバされる１つ以上のＰＤＰコンテキストまたはＰＤＮ接続の再配置を転送する要求を送信する。
【０３６７】
（ＧＥＲＡＮ／ＵＴＲＡＮに関係する特定の実施例およびメッセージ形式）
（ＰＤＰコンテキスト起動手順）
ＰＤＰコンテキスト起動手順が、Ａ／Ｇｂモードについては図１６に、Ｉｕモードについては図１７に図示されている。上記で説明される解決法に特に関連するステップが詳細に説明される。本明細書で説明される解決法の影響を特に受けず、既知の手順を有し得る、ネットワークアタッチ手順のステップは、詳細に説明しない。
【０３６８】
信号フロー１６−１および１７−１において、ＵＥは、メッセージ、例えば、ＰＤＰコンテキスト起動要求（ＡＣＴＩＶＡＴＥ  ＰＤＰ  ＣＯＮＴＥＸＴ  ＲＥＱＵＥＳＴ）メッセージをＳＧＳＮに送信する。メッセージは、ＮＳＡＰＩ、ＴＩ、ＰＤＰ種類、ＰＤＰアドレス、アクセスポイント名、要求されたＱｏＳ、プロトコル構成オプション、要求種類、および要求された接続性種類等であるが、それらに限定されない情報を含み得る。
【０３６９】
（ＰＤＰコンテキスト起動要求）
ここで、表７を参照して、ＰＤＰコンテキスト起動要求（ＡＣＴＩＶＡＴＥ  ＰＤＰ  ＣＯＮＴＥＸＴ  ＲＥＱＵＥＳＴ）メッセージの実施例を説明する。このメッセージは、ＰＤＰコンテキストの起動を要求するように、ＭＳによってネットワークに送信される。このメッセージは、ＵＥからネットワークへの方向に使用され得る。
【０３７０】
【表７】
2013516932.tif 000013
（要求された接続性種類）
このＩＥは、ＵＥがＰＤＰコンテキストのための特定の種類のＣＳＧ接続性（例えば、ＬＩＰＡ）を要求する場合に、メッセージに含まれ得る。
【０３７１】
（ＳＧＷ／ＰＧＷ／ＧＧＳＮ選択機能（３ＧＰＰアクセス））
いくつかの実施形態では、ＰＤＰコンテキスト起動時に、ＳＧＳＮが、ＧＧＳＮ、またはＳＧＷおよびＰＧＷを選択するために、入力としてＵＥ能力を使用することが可能である。ＳＧＳＮは、ＣＳＧセルが使用される場合にＧＧＳＮアドレスを導出するために、要求された接続性種類指示を使用し得る。
【０３７２】
種類／参照フィールドの中の接続性種類の内容の実施例が以下で提供される。特定の接続性種類に対する特定の値は、本質的に例証的にすぎず、関与する主題の範囲を限定することを目的としていないことを理解されたい。さらに、ビットの数が実施例では３に限定されているが、いくつかの実施形態では、３ビットより多く、または３ビットよりも少なくてもよい。含まれる接続性種類は、必ずしも可能な全ての接続性種類の組み合わせおよび順列の完全なリストではないことも理解されたい。
【０３７３】
接続性種類情報要素の目的は、サポートまたは選択される接続性の種類を識別することである。いくつかの実施形態では、接続性種類情報要素は、図１８および表８に示されるようにコード化される。接続性種類は、１オクテット長を伴う種類１情報要素である。
【０３７４】
【表８】
2013516932.tif 000014
ＭＳは、あるパケットデータネットワークへの参照点を選択するため、および／またはサービスを選択するためにＡＰＮを使用し得る。ＡＰＮは、加入者が接続することを希望するパケットデータネットワークおよび／またはサービスを参照する論理名である。
【０３７５】
ＵＥは、ＰＤＰコンテキストに要求される接続性の種類（例えば、ＬＩＰＡ、ＳＩＰＴＯ等）を示すために、要求された接続性種類指示を含む。
【０３７６】
もう一度図１６および１７を参照すると、信号フロー１６−４および１７−４において、ＳＧＳＮは、ＰＤＰ種類（随意）、ＰＤＰアドレス（随意）、およびＡＰＮ（随意）、ならびにＭＳおよびＰＤＰコンテキスト契約記録によって提供される要求された接続性種類（随意）を使用して、ＰＤＰコンテキスト起動要求を認定する。
【０３７７】
ＳＧＳＮは、要求された接続性種類、およびＵＥが接続されるＣＳＧセルのＣＳＧ  ＩＤも考慮して、ＵＥ要求を認定する。ＳＧＳＮは、ネットワーク設定およびユーザプロファイルに基づいて、ＵＥによって要求される接続性の種類が要求されたＡＰＮおよびＣＳＧ  ＩＤに承認されているかどうかを決定する。
【０３７８】
ＳＧＳＮが、ＵＥによって要求される接続性の種類が容認可能ではないと決定する場合、ＳＧＳＮは、適切なエラー原因を含むＰＤＰコンテキスト起動拒絶（ＰＤＰ  ＣＯＮＴＥＸＴ  ＡＣＴＩＶＡＴＩＯＮ  ＲＥＪＥＣＴ）メッセージを使用して、ＰＤＰコンテキスト起動要求を拒絶する。
【０３７９】
いくつかの実施形態では、ＳＧＳＮは、サポートされるＣＳＧ接続性の種類を示すように、サポートされた接続性種類を含む。
【０３８０】
いくつかの実施形態では、ＳＧＳＮは、要求された接続性種類が現在のＡＰＮに容認可能ではないかどうか、またはどのＡＰＮにそれが容認可能ではないかという指示を含む。
【０３８１】
いくつかの実施形態では、ＳＧＳＮは、要求された接続性種類が同じＣＳＧにおける全てのセルの中で容認可能ではないかどうかの指示を含む。
【０３８２】
ＵＥによって要求される接続性の種類が容認可能ではないとＳＧＳＮが決定する場合、ＳＧＳＮは、現在のＡＰＮおよび現在のＣＳＧ  ＩＤに対するＵＥの容認可能な接続性の種類を選択することができる。
【０３８３】
いくつかの実施形態では、ＳＧＳＮは、ＣＳＧセルが使用される場合にＧＧＳＮアドレスを導出するために接続性種類指示（要求された接続性種類指示または選択された種類の接続性のいずれか一方に設定される）を使用する。
【０３８４】
ＳＧＳＮは、ＰＤＰコンテキスト作成要求（ＣＲＥＡＴＥ  ＰＤＰ  ＣＯＮＴＥＸＴ  ＲＥＱＵＥＳＴ）メッセージを影響されるＧＧＳＮに送信する。コンテキスト作成要求（ＣＲＥＡＴＥ  ＰＤＰ  ＣＯＮＴＥＸＴ  ＲＥＱＵＥＳＴ）メッセージは、ＰＤＰ種類、ＰＤＰアドレス、アクセスポイント名、交渉されたＱｏＳ、ＴＥＩＤ、ＮＳＡＰＩ、ＭＳＩＳＤＮ、選択モード、課金特性、トレース参照、トレース種類、トリガＩｄ、ＯＭＣ識別、プロトコル構成オプション、サービングネットワーク識別、最大ＡＰＮ制限ＩＭＥＩＳＶ、ＣＧＩ／ＳＡＩ、ＲＡＴ種類、Ｓ−ＣＤＲ  ＣＡＭＥＬ情報、ＣＧＩ／ＳＡＩ／ＲＡＩ変更サポート指示、ＮＲＳＮ、デュアルアドレスベアラフラグ、および接続性種類等であるが、それらに限定されない情報を含み得る。
【０３８５】
いくつかの実施形態では、ＳＧＳＮは、ＰＤＰコンテキストに要求される接続性の種類（例えば、ＬＩＰＡ、ＳＩＰＴＯ等）を示すためにＣＳＧセルを使用する場合に、接続性種類を含む。
【０３８６】
次いで、ＧＧＳＮは、ＰＤＰコンテキスト作成応答（ＣＲＥＡＴＥ  ＰＤＰ  ＣＯＮＴＥＸＴ  ＲＥＳＰＯＮＳＥ）メッセージをＳＧＳＮに返信する。ＰＤＰコンテキスト作成応答（ＣＲＥＡＴＥ  ＰＤＰ  ＣＯＮＴＥＸＴ  ＲＥＳＰＯＮＳＥ）メッセージは、ＴＥＩＤ、ＰＤＰ種類、ＰＤＰアドレス、プロトコル構成オプション、交渉されたＱｏＳ、課金Ｉｄ、ペイロード圧縮禁止、ＡＰＮ制限、原因、要求されたＣＧＩ／ＳＡＩ／ＲＡＩ変更報告、選択された接続性種類等であるが、それらに限定されない情報を含み得る。ペイロード圧縮禁止は、ＳＧＳＮがデータ圧縮を交渉するべきではないことを示す。
【０３８７】
いくつかの実施形態では、ＧＧＳＮは、現在のＰＤＰコンテキストのために選択される接続性の種類（例えば、ＬＩＰＡ、ＳＩＰＴＯ等）を示すために、選択された接続性種類の指示を返信する。
【０３８８】
信号フロー１６−９および１７−９において、ＳＧＳＮは、ＰＤＰコンテキスト起動容認（ＡＣＴＩＶＡＴＥ  ＰＤＰ  ＣＯＮＴＥＸＴ  ＡＣＣＥＰＴ）メッセージをＭＳに返信する。ＰＤＰコンテキスト起動容認（ＡＣＴＩＶＡＴＥ  ＰＤＰ  ＣＯＮＴＥＸＴ  ＡＣＣＥＰＴ）メッセージは、ＰＤＰ種類、ＰＤＰアドレス、ＴＩ、交渉されたＱｏＳ、無線優先順位、パケットフローＩｄ、プロトコル構成オプション、サポートされた接続性種類、選択された接続性種類、およびＣＳＧ適用性指示等であるが、それらに限定されない情報を含み得る。
【０３８９】
（移動局によって開始されるＰＤＰコンテキスト起動の成功）
いくつかの実施形態では、ネットワークは、現在のＣＳＧセルによってサポートされる接続性の種類（例えば、ＬＩＰＡ、ＳＩＰＴＯ等）を示すために、ＵＥがＣＳＧセルに接続される場合にサポートされる接続性の種類をＵＥに知らせる。ネットワークは、選択される接続性の種類（例えば、ＬＩＰＡ、ＳＩＰＴＯ等）をＵＥに知らせる。ネットワークは、ＵＥがＣＳＧセルに接続される場合に、サポートされる接続性の種類が現在のＣＳＧセルのみに適用されるか、または現在のＣＳＧ  ＩＤに適用されるかの指示を含む。ネットワークは、ＵＥがＣＳＧセルに接続される場合に、選択された接続性がＵＥによって要求される接続性種類と異なる場合、要求された接続性種類が現在のＡＰＮに容認可能ではないかどうか、またはどのＡＰＮにそれが容認可能ではないかをＵＥに知らせる。
【０３９０】
ＵＥにおいて、サポートされるネットワークによって知らされるような接続性の種類は、上層に提供され得る。
【０３９１】
ＵＥがＣＳＧセルの中にあり、ＰＤＰコンテキスト起動容認（ＡＣＴＩＶＡＴＥ  ＰＤＰ  ＣＯＮＴＥＸＴ  ＡＣＣＥＰＴ）メッセージを受信する場合、ネットワークは、サポートまたは選択される接続性の種類等の特定の特徴のサポートについてＵＥに知らせる。これらのサポートおよび選択される接続性の種類は、上層に提供され得る。
【０３９２】
（ＰＤＰコンテキスト起動容認）
ここで表９を参照して、ＰＤＰコンテキスト起動容認（ＡＣＴＩＶＡＴＥ  ＰＤＰ  ＣＯＮＴＥＸＴ  ＡＣＣＥＰＴ）メッセージを説明する。このメッセージは、ＰＤＰコンテキストの起動を確認するように、ネットワークによってＭＳに送信される。このメッセージは、ネットワークからＵＥへの方向に使用され得る。
【０３９３】
【表９】
2013516932.tif 000015
（サポートされた接続性種類）
ネットワークは、現在のＣＳＧセルによってサポートされる接続性の種類を示すために、ＵＥがＣＳＧセルにアタッチしている場合に、このＩＥを含み得る。
【０３９４】
（選択された接続性種類）
このＩＥは、ネットワークによって選択される接続性種類をＵＥに知らせるために含まれ得る。
【０３９５】
（ＡＰＮ適用性指示）
このＩＥは、ネットワークが、ＵＥによって要求される接続性の種類が、どのＡＰＮに対して容認可能ではないかを示す場合に含まれ得る。ネットワークが、１つ以上のＡＰＮが含まれるという指示を含む場合、これは、ＵＥによって要求される接続性の種類が、提供される全てのＡＰＮに容認可能ではないことを示す。ネットワークが、ＣＳＧ  ＩＤが含まれないという指示を含む場合、これは、サポートされた接続性種類が現在のＡＰＮのみに適用されることを示す。
【０３９６】
（ＣＳＧ適用性指示）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０３９７】
種類／参照フィールドの中の接続性種類の内容の実施例は、表８で説明されるものである。
【０３９８】
ＳＧＳＮは、現在のＣＳＧセルによってサポートされる接続性の種類（例えば、ＬＩＰＡ、ＳＩＰＴＯ等）をＵＥに示すために、ＵＥがＣＳＧセルに接続している場合にサポートされた接続性種類を含む。
【０３９９】
ＳＧＳＮは、現在のＰＤＰコンテンツによってサポートされる接続性の種類（例えば、ＬＩＰＡ、ＳＩＰＴＯ等）を示すために、ＵＥがＣＳＧセルに接続している場合に選択された接続性種類の指示を返信する。
【０４００】
ＳＧＳＮは、選択された接続性種類が要求された接続性種類とは異なる場合に、要求された接続性種類が現在のＡＰＮに容認可能ではないかどうか、またはどのＡＰＮにそれが容認可能ではないかという指示を含む。
【０４０１】
ＳＧＳＮは、選択された接続性種類および／またはサポートされた接続性種類における指示が、現在のＣＳＧセルのみに適用される場合、または現在のＣＳＧ  ＩＤに適用される場合に、ＣＳＧ適用性指示を含む。
【０４０２】
（ＰＤＰコンテキスト起動手順の代替的実施形態）
信号フロー１６−１および１７−１において、ＵＥは、ＰＤＰコンテキスト起動要求（ＡＣＴＩＶＡＴＥ  ＰＤＰ  ＣＯＮＴＥＸＴ  ＲＥＱＵＥＳＴ）メッセージをＳＧＳＮに送信する。ＰＤＰコンテキスト起動要求（ＡＣＴＩＶＡＴＥ  ＰＤＰ  ＣＯＮＴＥＸＴ  ＲＥＱＵＥＳＴ）メッセージは、ＮＳＡＰＩ、ＴＩ、ＰＤＰ種類、ＰＤＰアドレス、アクセスポイント名、要求されたＱｏＳ、プロトコル構成オプション、要求種類、および要求された接続性種類等であるが、それらに限定されない情報を含み得る。
【０４０３】
もう一度図１６および１７を参照すると、信号フロー１６−４および１７−４では、ＳＧＳＮは、ＰＤＰ種類（随意）、ＰＤＰアドレス（随意）、およびＡＰＮ（随意）、ならびにＭＳおよびＰＤＰコンテキスト契約記録によって提供される要求された接続性種類（随意）を使用して、ＰＤＰコンテキスト起動要求を認定する。
【０４０４】
ＳＧＳＮは、要求された接続性種類、およびＵＥが接続されるＣＳＧセルのＣＳＧ  ＩＤも考慮して、ＵＥ要求を認定する。ＳＧＳＮは、ネットワーク設定およびユーザプロファイルに基づいて、ＵＥによって要求される接続性の種類が要求されたＡＰＮおよびＣＳＧ  ＩＤに承認されているかどうかを決定する。
【０４０５】
ＳＧＳＮが、ＵＥによって要求される接続性の種類が容認可能ではないと決定する場合、ＳＧＳＮは、現在のＡＰＮおよび現在のＣＳＧ  ＩＤに対するＵＥの容認可能な種類の接続性を選択する。
【０４０６】
ＳＧＳＮは、ＣＳＧ  セルが使用される場合にＧＧＳＮアドレスを導出するために、要求された接続性種類指示または選択された種類の接続性のいずれかを使用する。
【０４０７】
ＳＧＳＮは、ＰＤＰコンテキスト作成要求（ＣＲＥＡＴＥ  ＰＤＰ  ＣＯＮＴＥＸＴ  ＲＥＱＵＥＳＴ）メッセージを影響されるＧＧＳＮに送信する。コンテキスト作成要求（ＣＲＥＡＴＥ  ＰＤＰ  ＣＯＮＴＥＸＴ  ＲＥＱＵＥＳＴ）メッセージは、ＰＤＰ種類、ＰＤＰアドレス、アクセスポイント名、交渉されたＱｏＳ、ＴＥＩＤ、ＮＳＡＰＩ、ＭＳＩＳＤＮ、選択モード、課金特性、トレース参照、トレース種類、トリガＩｄ、ＯＭＣ識別、プロトコル構成オプション、サービングネットワーク識別、最大ＡＰＮ制限ＩＭＥＩＳＶ、ＣＧＩ／ＳＡＩ、ＲＡＴ種類、Ｓ−ＣＤＲ  ＣＡＭＥＬ情報、ＣＧＩ／ＳＡＩ／ＲＡＩ変更サポート指示、ＮＲＳＮ、デュアルアドレスベアラフラグ、および接続性種類等であるが、それらに限定されない情報を含み得る。
【０４０８】
次いで、ＧＧＳＮは、ＰＤＰコンテキスト作成応答（ＣＲＥＡＴＥ  ＰＤＰ  ＣＯＮＴＥＸＴ  ＲＥＳＰＯＮＳＥ）メッセージをＳＧＳＮに返信する。ＰＤＰコンテキスト作成応答（ＣＲＥＡＴＥ  ＰＤＰ  ＣＯＮＴＥＸＴ  ＲＥＳＰＯＮＳＥ）メッセージは、ＴＥＩＤ、ＰＤＰ種類、ＰＤＰアドレス、プロトコル構成オプション、交渉されたＱｏＳ、課金Ｉｄ、ペイロード圧縮禁止、ＡＰＮ制限、原因、要求されたＣＧＩ／ＳＡＩ／ＲＡＩ変更報告、選択された接続性種類等であるが、それらに限定されない情報を含み得る。
【０４０９】
信号フロー１６−９および１７−９において、ＳＧＳＮは、ＰＤＰコンテキスト起動容認（ＡＣＴＩＶＡＴＥ  ＰＤＰ  ＣＯＮＴＥＸＴ  ＡＣＣＥＰＴ）メッセージをＭＳに返信する。ＰＤＰコンテキスト起動容認（ＡＣＴＩＶＡＴＥ  ＰＤＰ  ＣＯＮＴＥＸＴ  ＡＣＣＥＰＴ）メッセージは、ＰＤＰ種類、ＰＤＰアドレス、ＴＩ、交渉されたＱｏＳ、無線優先順位、パケットフローＩｄ、プロトコル構成オプション、サポートされた接続性種類、選択された接続性種類、およびＣＳＧ適用性指示等であるが、それらに限定されない情報を含み得る。
【０４１０】
（情報記憶）
この項は、ＧＰＲＳに必要とされる情報記憶構造と、データベースの不一致、および損失または無効データベース情報が生じた場合にサービスを維持するために必要とされる回復および復旧手順とを説明する。
【０４１１】
（ＨＬＲ／ＨＳＳ）
表１０は、ＨＬＲ／ＨＳＳに含まれるＧＰＲＳ／ＥＰＳ契約データを示す。
【０４１２】
【表１０】
2013516932.tif 000016
（ＳＧＳＮ）
ＳＧＳＮは、ＵＥに対するＳＧＳＮ  ＭＭコンテキストおよびＰＤＰ／ＥＰＳベアラコンテキスト情報を維持する。表１１は、１つのＵＥに対するコンテキストフィールドを示す。
【０４１３】
【表１１】
2013516932.tif 000017
（ＵＥ）
ＵＥは、以下のコンテキスト情報を維持する。表１２は、コンテキストフィールドを示す。
【０４１４】
【表１２】
2013516932.tif 000018
（Ｅ−ＥＴＲＡＮに関係する特定の実施例およびメッセージ形式）
（ＵＥ要求ＰＤＮ接続性）
Ｅ−ＵＴＲＡＮに対するＵＥ要求ＰＤＮ接続性手順が図１９に描写されている。上記で説明される解決法に特に関連するステップが詳細に説明される。本明細書で説明される解決法の影響を特に受けず、既知の手順を有し得る、ネットワークアタッチ手順のステップは、詳細に説明しない。
【０４１５】
手順は、ＵＥが、デフォルトベアラの割付を含むＰＤＮへの接続性を要求することを可能にする。ＰＤＮ接続性手順は、１つまたは複数の専用ベアラ確立手順をトリガして、そのＵＥに対する専用ＥＰＳベアラを確立し得る。
【０４１６】
信号フロー１９−１では、ＵＥは、ＰＤＮ接続性要求（ＰＤＮ  ＣＯＮＮＥＣＴＩＶＩＴＹ  ＲＥＱＵＥＳＴ）メッセージの伝送によって、ＰＤＮ接続性手順を開始する。ＰＤＮ接続性要求（ＰＤＮ  ＣＯＮＮＥＣＴＩＶＩＴＹ  ＲＥＱＵＥＳＴ）メッセージは、ＡＰＮ、ＰＤＮ種類、プロトコル構成オプション、要求種類、および要求された接続性種類等であるが、それらに限定されない情報を含み得る。
【０４１７】
ＵＥは、ＰＤＰコンテキストに要求される接続性の種類（例えば、ＬＩＰＡ、ＳＩＰＴＯ等）を示すために、ＣＳＧセルを使用する場合に、要求された接続性種類指示を含む。
【０４１８】
（ＰＤＮ接続性要求）
ここで表１３を参照して、ＰＤＮ接続性要求（ＰＤＮ  ＣＯＮＮＥＣＴＩＶＩＴＹ  ＲＥＱＵＥＳＴ）メッセージの実施例を説明する。このメッセージは、ＰＤＮ接続の確立を開始するように、ＵＥによってネットワークに送信される。このメッセージは、ＵＥからネットワークへの方向に使用され得る。
【０４１９】
【表１３】
2013516932.tif 000019
（要求された接続性種類）
このＩＥは、ＵＥがＰＤＰコンテキストのための特定の種類のＣＳＧ接続性（例えば、ＬＩＰＡ）を要求する場合に、メッセージに含まれ得る。
【０４２０】
種類／参照フィールドの中の接続性種類の内容の実施例は、表８で説明されるものである。
【０４２１】
信号フロー１９−２では、ＭＭＥは、要求された接続性種類、およびＵＥが接続されるＣＳＧセルのＣＳＧ  ＩＤも考慮して、ＵＥ要求を認定する。ＭＭＥは、ネットワーク設定および契約データに基づいて、ＵＥによって要求される接続性の種類が要求されたＡＰＮおよびＣＳＧ  ＩＤに承認されているかどうかを決定する。
【０４２２】
ＭＭＥが、ＵＥによって要求される接続性の種類が容認可能ではないと決定する場合、ＭＭＥは、適切なエラー原因を含むアタッチ要求を拒絶することができる。ＭＭＥは、サポートされるＣＳＧ接続性の種類を示すように、サポートされた接続性種類を含む。ＭＭＥは、要求された接続性種類が現在のＡＰＮに容認可能ではないかどうか、またはどのＡＰＮにそれが容認可能ではないかという指示を含む。ＭＭＥは、要求された接続性種類が同じＣＳＧにおける全てのセルの中で容認可能ではないかどうかの指示を含む。
【０４２３】
ＵＥによって要求される接続性の種類が容認可能ではないとＭＭＥが決定する場合、ＭＭＥは、現在のＡＰＮおよび現在のＣＳＧ  ＩＤに対するＵＥの容認可能な接続性の種類を選択することができる。
【０４２４】
要求種類が「初期要求」を示す場合、ＭＭＥは、ＰＤＮ  ＧＷ選択機能（３ＧＰＰアクセス）の項で上記に説明されるように、ＰＤＮ  ＧＷを選択する。
【０４２５】
ＭＭＥは、ＣＳＧセルが使用される場合にＰＤＮ  ＧＷアドレスを導出するために接続性種類指示（要求された接続性種類指示または選択された種類の接続性のいずれかに設定される）を使用し得る。ＭＭＥは、ＰＤＮ  ＧＷ選択機能（３ＧＰＰアクセス）の項で上記に説明されるように、ＰＤＮ  ＧＷを選択し得る。
【０４２６】
ＭＭＥは、ＰＤＮ接続に要求される接続性の種類を示すために、ＣＳＧセルを使用する場合に、接続性種類（要求された接続性種類指示または選択された種類の接続性のいずれか一方に設定される）を含む。
【０４２７】
ＭＭＥは、ベアラＩｄを割り付け、セッション作成要求（ＣＲＥＡＴＥ  ＳＥＳＳＩＯＮ  ＲＥＱＵＥＳＴ）メッセージをＳ−ＧＷに送信する。セッション作成要求（ＣＲＥＡＴＥ  ＳＥＳＳＩＯＮ  ＲＥＱＵＥＳＴ）メッセージは、ＩＭＳＩ、ＭＳＩＳＤＮ、制御プレーンに対するＭＭＥ  ＴＥＩＤ、ＲＡＴ種類、ＰＤＮ  ＧＷアドレス、ＰＤＮアドレス、デフォルトＥＰＳベアラＱｏＳ、ＰＤＮ種類、契約ＡＰＮ−ＡＭＢＲ、ＡＰＮ、ＥＰＳベアラＩｄ、プロトコル構成オプション、ハンドオーバ指示、ＭＥ識別、ユーザ位置情報（ＥＣＧＩ）、ＭＳ情報変更報告サポート指示、選択モード、課金特性、トレース参照、トレース種類、トリガＩｄ、ＯＭＣ識別、最大ＡＰＮ制限、二重アドレスベアラフラグ、および接続性種類等であるが、それらに限定されない情報を含み得る。
【０４２８】
ＭＭＥは、ＰＤＮ接続（例えば、ＬＩＰＡ、ＳＩＰＴＯ等）に要求される接続性の種類を示すために、ＣＳＧセルを使用する場合に、接続性種類を含み得る。
【０４２９】
信号フロー１９−３では、サービングＧＷが、そのＥＰＳベアラ表に新しい入力を作成し、セッション作成要求（ＣＲＥＡＴＥ  ＳＥＳＳＩＯＮ  ＲＥＱＵＥＳＴ）メッセージを、前のステップで受信されたＰＤＮ  ＧＷアドレスにおいて示されるＰＤＮ  ＧＷに送信する。セッション作成要求（ＣＲＥＡＴＥ  ＳＥＳＳＩＯＮ  ＲＥＱＵＥＳＴ）メッセージは、ＩＭＳＩ、ＭＳＩＳＤＮ、ユーザプレーンに対するサービングＧＷアドレス、ユーザプレーンに対するサービングＧＷ  ＴＥＩＤ、制御プレーンに対するサービングＧＷ  ＴＥＩＤ、ＲＡＴ種類、デフォルトＥＰＳベアラＱｏＳ、ＰＤＮアドレス、契約ＡＰＮ−ＡＭＢＲ、ＡＰＮ、ベアラＩｄ、プロトコル構成オプション、ハンドオーバ指示、ＭＥ識別、ユーザ位置情報（ＥＣＧＩ）、ＭＳ情報変更報告サポート指示、選択モード、課金特性、トレース参照、トレース種類、トリガＩｄ、ＯＭＣ識別、最大ＡＰＮ制限、二重アドレスベアラフラグ、および接続性種類等であるが、それらに限定されない情報を含み得る。
【０４３０】
信号フロー１９−５では、ＰＤＮ  ＧＷは、セッション作成応答（ＣＲＥＡＴＥ  ＳＥＳＳＩＯＮ  ＲＥＳＰＯＮＳＥ）メッセージをＳ−ＧＷに返信する。セッション作成応答（ＣＲＥＡＴＥ  ＳＥＳＳＩＯＮ  ＲＥＳＰＯＮＳＥ）メッセージは、ユーザプレーンに対するサービングＰＤＮ  ＧＷアドレス、ユーザプレーンに対するＰＤＮ  ＧＷ  ＴＥＩＤ、制御プレーンに対するＰＤＮ  ＧＷ  ＴＥＩＤ、ＰＤＮ種類、ＰＤＮアドレス、ＥＰＳベアラＩｄ、デフォルトＥＰＳベアラＱｏＳ、プロトコル構成オプション、課金Ｉｄ、ペイロード圧縮禁止、ＡＰＮ制限、原因、ＭＳ情報変更報告動作（開始）（ＰＤＮ  ＧＷがセッション中にＵＥの位置情報を受信することを決定した場合）、ＡＰＮ−ＡＭＢＲ、および選択された接続性種類等であるが、それらに限定されない情報を含み得る。
【０４３１】
ＰＤＮ  ＧＷは、現在のＰＤＮ接続のために選択される接続性の種類（例えば、ＬＩＰＡ、ＳＩＰＴＯ等）を示すために、選択された接続性種類の指示を返信する。
【０４３２】
信号フロー１９−６では、Ｓ−ＧＷは、セッション作成応答（ＣＲＥＡＴＥ  ＳＥＳＳＩＯＮ  ＲＥＳＰＯＮＳＥ）メッセージをＭＭＥに返信する。セッション作成応答（ＣＲＥＡＴＥ  ＳＥＳＳＩＯＮ  ＲＥＳＰＯＮＳＥ）メッセージは、ＰＤＮ種類、ＰＤＮアドレス、ユーザプレーンに対するサービングＧＷアドレス、ユーザプレーンに対するサービングＧＷ  ＴＥＩＤ、制御プレーンに対するサービングＧＷ  ＴＥＩＤ、ＥＰＳベアラＩｄ、ＥＰＳベアラＱｏＳ、プロトコル構成オプション、課金Ｉｄ、ペイロード圧縮禁止、ＡＰＮ制限、原因、ＭＳ情報変更報告動作（開始）、ＡＰＮ−ＡＭＢＲ、および選択された種類等であるが、それらに限定されない情報を含み得る。
【０４３３】
信号フロー１９−７では、ＭＭＥは、ＰＤＮ接続性容認（ＰＤＮ  ＣＯＮＮＥＣＴＩＶＩＴＹ  ＡＣＣＥＰＴ）メッセージをＵＥに送信する。ＰＤＮ接続性容認（ＰＤＮ  ＣＯＮＮＥＣＴＩＶＩＴＹ  ＡＣＣＥＰＴ）メッセージは、ＡＰＮ、ＰＤＮ種類、ＰＤＮアドレス、ＥＰＳベアラＩｄ、セッション管理要求、およびプロトコル構成オプション等であるが、それらに限定されない情報を含み得る。いくつかの実施形態では、メッセージは、ｅＮｏｄｅＢへのＳ１＿ＭＭＥ制御メッセージベアラ設定要求に含まれる。Ｓ１＿ＭＭＥ制御メッセージベアラ設定要求は、ＥＰＳベアラＱｏＳ、ＵＥ−ＡＭＢＲ、ＰＤＮ接続性容認、Ｓ１−ＴＥＩＤ、サポートされた接続性種類、選択された接続性種類、ＡＰＮ適用性、およびＣＳＧ適用性等であるが、それらに限定されない情報を含み得る。
【０４３４】
ＭＭＥは、サポートされる接続性の種類（例えば、ＬＩＰＡ、ＳＩＰＴＯ等）をＵＥに示すために、ＵＥがＣＳＧセルにアタッチしている場合にサポートされた接続性種類の指示を含む。
【０４３５】
ＭＭＥは、現在のＰＤＮ接続のために選択される接続性の種類（例えば、ＬＩＰＡ、ＳＩＰＴＯ等）を示すために、選択された接続性種類の指示を返信する。
【０４３６】
ＭＭＥは、選択された接続性種類が要求された接続性種類とは異なる場合に、要求された接続性種類が現在のＡＰＮに容認可能ではないかどうか、またはどのＡＰＮにそれが容認可能ではないかという指示を含む。
【０４３７】
ＭＭＥは、選択された接続性種類および／またはサポートされた接続性種類における指示が現在のＣＳＧセルのみに適用される場合、または現在のＣＳＧ  ＩＤに適用される場合に、ＣＳＧ適用性指示を含む。
【０４３８】
（情報記憶）
この項は、３ＧＰＰアクセスのみが展開される場合にＥＰＳに要求される情報記憶構造を説明する。
【０４３９】
（ＨＳＳ）
ＩＭＳＩは、ＨＳＳに記憶されるデータへの主要キーである。ＨＳＳで保持されるデータは、以下の表１３で定義される。表１４は、独立型動作のみにおけるＥ−ＵＴＲＡＮに適用可能である。
【０４４０】
【表１４】
2013516932.tif 000020
（ＭＭＥ）
ＭＭＥは、ＥＣＭアイドル（ＥＣＭ−ＩＤＬＥ）、ＥＣＭ接続（ＥＣＭ−ＣＯＮＮＥＣＴＥＤ）、およびＭＭ登録解除（ＭＭ−ＤＥＲＥＧＩＳＴＥＲＥＤ）状態で、ＵＥに対するＭＭコンテキストおよびＥＰＳベアラコンテキスト情報を維持する。
【０４４１】
【表１５】
2013516932.tif 000021
（ＵＥ）
ＵＥは、以下のコンテキスト情報を維持する。表１６は、コンテキストフィールドを示す。
【０４４２】
【表１６】
2013516932.tif 000022
（ＧＥＲＡＮ／ＵＴＲＡＮに関係する付加的な実施例およびメッセージ形式）
（ネットワークによって容認される通常および周期的ルーティング領域更新手順）
ルーティング領域更新要求がネットワークによって容認された場合、ルーティング領域更新容認（ＲＯＵＴＩＮＧ  ＡＲＥＡ  ＵＰＤＡＴＥ  ＡＣＣＥＰＴ）メッセージがＭＳに送信され得る。
【０４４３】
ネットワークは、現在のＣＳＧセルによってサポートされる接続性の種類（例えば、ＬＩＰＡ、ＳＩＰＴＯ等）を示すために、ＵＥがＣＳＧセルにアタッチしている場合にサポートされる接続性の種類をＵＥに知らせる。ネットワークは、サポートされる接続性の種類が現在のＣＳＧセルのみに適用されるか、または現在のＣＳＧ  ＩＤに適用されるかの指示を含む。
【０４４４】
ＵＥにおいて、サポートされる接続性の種類は、上層に提供され得る。
【０４４５】
ＵＥが、ＣＳＧセルの中にあり、ルーティング領域更新容認（ＲＯＵＴＩＮＧ  ＡＲＥＡ  ＵＰＤＡＴＥ  ＡＣＣＥＰＴ）メッセージを受信し、ネットワークが、サポートされる接続性の種類等の特定の特徴のサポートについてＵＥに知らせる場合、サポートされる接続性の種類は、上層に提供され得る。
【０４４６】
（ルーティング領域更新容認）
ここで表１７を参照して、ルーティング領域更新容認（ＲＯＵＴＩＮＧ  ＡＲＥＡ  ＵＰＤＡＴＥ  ＡＣＣＥＰＴ）メッセージの実施例を説明する。このメッセージは、ルーティング領域更新要求（ＲＯＵＴＩＮＧ  ＡＲＥＡ  ＵＰＤＡＴＥ  ＲＥＱＵＥＳＴ）メッセージに応じて、ＧＰＲＳモビリティ管理関連データをＭＳに提供するようにネットワークによってＭＳに送信される。このメッセージは、ネットワークからＵＥへの方向に使用され得る。
【０４４７】
【表１７】
2013516932.tif 000023
（サポートされた接続性種類）
ネットワークは、現在のＣＳＧセルによってサポートされる接続性の種類を示すために、ＵＥがＣＳＧセルにアタッチしている場合に、このＩＥを含み得る。
【０４４８】
（ＣＳＧ  ＩＤ）
ネットワークは、ＵＥがＣＳＧセルにアタッチしている場合、およびネットワークがサポートされた接続性種類を含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４４９】
種類／参照フィールドの中の接続性種類の内容の実施例は、表８で説明されるものである。
【０４５０】
（ネットワークによって要求されるＰＤＰコンテキスト起動の成功）
ＰＤＰコンテキスト起動を要求するために、ネットワークは、ＰＤＰコンテキスト起動要求（ＲＥＱＵＥＳＴ  ＰＤＰ  ＣＯＮＴＥＸＴ  ＡＣＴＩＶＡＴＩＯＮ）メッセージをＵＥに送信し、タイマＴ３３８５を始動させる。メッセージは、提供されたＰＤＰアドレスを含む。利用可能であれば、ＡＰＮが、ＰＤＰコンテキスト起動要求（ＲＥＱＵＥＳＴ  ＰＤＰ  ＣＯＮＴＥＸＴ  ＡＣＴＩＶＡＴＩＯＮ）メッセージに含まれ得る。
【０４５１】
次いで、ＰＤＰコンテキスト起動要求（ＲＥＱＵＥＳＴ  ＰＤＰ  ＣＯＮＴＥＸＴ  ＡＣＴＩＶＡＴＩＯＮ）メッセージの受信時に、ＵＥは、ＰＤＰコンテキスト起動手順を開始するか、またはＰＤＰコンテキスト起動拒絶要求（ＲＥＱＵＥＳＴ  ＰＤＰ  ＣＯＮＴＥＸＴ  ＡＣＴＩＶＡＴＩＯＮ  ＲＥＪＥＣＴ）メッセージを送信することによって起動要求を拒絶し得る。ＰＤＰコンテキスト起動拒絶要求（ＲＥＱＵＥＳＴ  ＰＤＰ  ＣＯＮＴＥＸＴ  ＡＣＴＩＶＡＴＩＯＮ  ＲＥＪＥＣＴ）メッセージの拒絶原因ＩＥの値は、拒絶の理由、例えば、「別のコンテキストを起動するのに不十分なリソース」を示し得る。
【０４５２】
ＰＤＰコンテキスト起動手順を開始するためにＵＥによって送信されるＰＤＰコンテキスト起動要求（ＡＣＴＩＶＡＴＥ  ＰＤＰ  ＣＯＮＴＥＸＴ  ＲＥＱＵＥＳＴ）メッセージは、ＰＤＰコンテキスト起動要求（ＲＥＱＵＥＳＴ  ＰＤＰ  ＣＯＮＴＥＸＴ  ＡＣＴＩＶＡＴＩＯＮ）メッセージの中に、ネットワークによって要求されるＰＤＰアドレス、ＰＤＰ種類、およびＡＰＮを含み得る。
【０４５３】
ＰＤＰコンテキスト起動要求（ＡＣＴＩＶＡＴＥ  ＰＤＰ  ＣＯＮＴＥＸＴ  ＲＥＱＵＥＳＴ）メッセージの受信時に、ネットワークは、タイマＴ３３８５を停止し得る。
【０４５４】
次いで、同じ手順が、ＵＥ開始ＰＤＰコンテキスト起動について上記で説明されるように適用される。
【０４５５】
ネットワークは、現在のＣＳＧセルによってサポートされる接続性の種類（例えば、ＬＩＰＡ、ＳＩＰＴＯ等）を示すために、ＵＥがＣＳＧセルに接続される場合にサポートされる接続性の種類をＵＥに知らせる。ネットワークは、選択される接続性の種類（例えば、ＬＩＰＡ、ＳＩＰＴＯ等）をＵＥに知らせる。ネットワークは、ＵＥがＣＳＧセルに接続される場合に、サポートされる接続性の種類が現在のＣＳＧセルのみに適用されるか、または現在のＣＳＧ  ＩＤに適用されるかの指示を含む。ネットワークは、ＵＥがＣＳＧセルに接続される場合に、選択された接続性がＵＥによって要求される接続性種類と異なる場合、要求された接続性種類が現在のＡＰＮに容認可能ではないかどうか、またはどのＡＰＮにそれが容認可能ではないかをＵＥに知らせる。
【０４５６】
ＵＥでは、サポートされる接続性の種類は、上層に提供され得る。
【０４５７】
ＵＥが、ＣＳＧセルの中にあり、ＰＤＰコンテキスト起動要求（ＲＥＱＵＥＳＴ  ＰＤＰ  ＣＯＮＴＥＸＴ  ＡＣＴＩＶＡＴＩＯＮ）メッセージを受信し、ネットワークが、サポートまたは選択される接続性の種類等の特定の特徴のサポートについてＵＥに知らせる場合、サポートおよび選択される接続性の種類は、上層に提供され得る。
【０４５８】
（付加的なＧＰＲＳセッション管理メッセージ）
（ＰＤＰコンテキスト起動拒絶）
ここで表１８を参照して、ＰＤＰコンテキスト起動拒絶（ＡＣＴＩＶＡＴＥ  ＰＤＰ  ＣＯＮＴＥＸＴ  ＲＥＪＥＣＴ）メッセージの実施例を説明する。このメッセージは、ＰＤＰコンテキストの起動を拒絶するように、ネットワークによってＭＳに送信される。このメッセージは、ネットワークからＵＥへの方向に使用され得る。
【０４５９】
【表１８】
2013516932.tif 000024
（サポートされた接続性種類）
このＩＥは、サポートされる接続性種類をＵＥに示すために、ＵＥが要求したＣＳＧ接続性の種類をＳＧＳＮが拒絶する場合に含まれ得る。
【０４６０】
（ＡＰＮ適用性指示）
このＩＥは、ネットワークが、どのＡＰＮに対して、ＵＥによって要求される接続性の種類が容認可能ではないかを示す場合に含まれ得る。ネットワークが、１つ以上のＡＰＮが含まれるという指示を含む場合、これは、ＵＥによって要求される接続性の種類が、提供される全てのＡＰＮに対して容認可能ではないことを示す。ネットワークが、ＣＳＧ  ＩＤが含まれないという指示を含む場合、これは、サポートされた接続性種類が現在のＡＰＮのみに適用されることを示す。
【０４６１】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４６２】
種類／参照フィールド内の接続性種類の内容の実施例は、表８で説明されるものである。
【０４６３】
（ＰＤＰコンテキスト起動拒絶の代替的実施形態）
ここで表１９を参照して、ＰＤＰコンテキスト起動拒絶（ＡＣＴＩＶＡＴＥ  ＰＤＰ  ＣＯＮＴＥＸＴ  ＲＥＪＥＣＴ）メッセージの別の実施例を説明する。このメッセージは、ＰＤＰコンテキストの起動を拒絶するために、ネットワークによってＭＳに送信される。このメッセージは、ネットワークからＵＥへの方向に使用され得る。
【０４６４】
【表１９】
2013516932.tif 000025
（サポートされた接続性種類）
このＩＥは、サポートされる接続性種類をＵＥに示すために、ＵＥが要求したＣＳＧ接続性の種類をＳＧＳＮが拒絶する場合に含まれ得る。
【０４６５】
（ＡＰＮ指示）
このＩＥは、ＵＥによって要求される接続性の種類が、現在のＡＰＮのみに対して、または全てのＡＰＮに対して容認可能ではないとネットワークが示す場合に、含まれ得る。
【０４６６】
ネットワークが、ＡＰＮが含まれるという指示を含む場合、これは、ＵＥによって要求される接続性の種類が、含まれたＡＰＮに対してのみ容認可能ではないことを示す。ネットワークが、ＡＰＮが含まれないという指示を含む場合、これは、ＵＥによって要求される接続性の種類が、いずれのＡＰＮに対しても容認可能ではないことを示す。
【０４６７】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４６８】
種類／参照フィールドの中の接続性種類の内容の実施例は、表８で説明されるものである。
【０４６９】
（Ｅ−ＵＴＲＡＮに関係する付加的な実施例およびメッセージ形式）
（ネットワークによって容認される通常および周期的追跡領域更新手順）
追跡領域更新要求がネットワークによって容認された場合、ＭＭＥは、追跡領域更新容認（ＴＲＡＣＫＩＮＧ  ＡＲＥＡ  ＵＰＤＡＴＥ  ＡＣＣＥＰＴ）メッセージをＵＥに送信し得る。
【０４７０】
ネットワークは、ＥＰＳネットワーク特徴サポート情報要素において、ＩＭＳボイスオーバーＰＳセッションまたは緊急ベアラサービス等の特定の特徴のサポートについてＵＥに知らせる。ＩＭＳボイスオーバーＰＳ能力を伴うＵＥにおいて、ＩＭＳボイスオーバーＰＳセッション指標および緊急ベアラサービス指標が上層に提供され得る。いくつかの実施形態では、上層は、音声セッションまたは呼び出しのためのアクセスドメインを選択する場合に、ＩＭＳボイスオーバーＰＳセッション指標を考慮する。緊急呼び出しを開始する場合に、上層はまた、アクセスドメイン選択のために緊急ベアラサービス指標も考慮する。
【０４７１】
ネットワークは、現在のＣＳＧセルによってサポートされる接続性の種類（例えば、ＬＩＰＡ、ＳＩＰＴＯ等）を示すために、ＵＥがＣＳＧセルにアタッチしている場合にサポートされる接続性の種類をＵＥに知らせる。ネットワークは、サポートされる接続性の種類が現在のＣＳＧセルのみに適用されるか、または現在のＣＳＧ  ＩＤに適用されるかの指示を含む。
【０４７２】
ＵＥが、ＣＳＧセルの中にあり、追跡領域更新容認（ＴＲＡＣＫＩＮＧ  ＡＲＥＡ  ＵＰＤＡＴＥ  ＡＣＣＥＰＴ）メッセージを受信し、ネットワークが、サポートされる接続性の種類等の特定の特徴のサポートについてＵＥに知らせる場合、サポートされる接続性の種類は、上層に提供され得る。
【０４７３】
（追跡領域更新容認）
ここで表２０を参照して、追跡領域更新容認（ＴＲＡＣＫＩＮＧ  ＡＲＥＡ  ＵＰＤＡＴＥ  ＡＣＣＥＰＴ）メッセージの実施例を説明する。このメッセージは、追跡領域更新要求メッセージに応答して、ＥＰＳモビリティ管理関連データをＵＥに提供するようにネットワークによってＵＥに送信される。メッセージは、ネットワークからＵＥへの方向に使用され得る。
【０４７４】
【表２０】
2013516932.tif 000026
（サポートされた接続性種類）
ネットワークは、現在のＣＳＧセルによってサポートされる接続性の種類を示すために、ＵＥがＣＳＧセルにアタッチしている場合に、このＩＥを含み得る。
【０４７５】
（ＣＳＧ適用性指示）
ネットワークは、ＵＥがＣＳＧセルにアタッチしている場合、およびネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４７６】
種類／参照フィールドの中の接続性種類の内容の実施例は、表８で説明されるものである。
【０４７７】
（ネットワークによって容認されるＵＥ要求ＰＤＮ接続性手順）
ＰＤＮ接続性要求（ＰＤＮ  ＣＯＮＮＥＣＴＩＶＩＴＹ  ＲＥＱＵＥＳＴ）メッセージの受信時に、ＭＭＥは、ＥＳＭ情報転送フラグが含まれるかどうかをチェックする。
【０４７８】
要求されたＰＤＮとの接続性が容認されるが、ＩＰバージョンの制限を伴う場合（すなわち、ＩＰｖ４アドレスおよびＩＰｖ６プレフィックスの両方が要求されるが、１つだけの特定のＩＰバージョン、または単一ＩＰバージョンのベアラのみがネットワークによってサポート／許可される）、それぞれ、ＥＳＭ原因＃５０「ＰＤＮ種類ＩＰｖ４のみが許可されている」、＃５１「ＰＤＮ種類ＩＰｖ６のみが許可されている」、または＃５２「単一アドレスベアラのみが許可されている」が、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージに含まれ得る。
【０４７９】
ネットワークは、現在のＣＳＧセルによってサポートされる接続性の種類（例えば、ＬＩＰＡ、ＳＩＰＴＯ等）を示すために、ＵＥがＣＳＧセルに接続される場合にサポートされる接続性の種類をＵＥに知らせる。ネットワークは、選択される接続性の種類（例えば、ＬＩＰＡ、ＳＩＰＴＯ等）をＵＥに知らせる。ネットワークは、ＵＥがＣＳＧセルに接続される場合に、サポートされる接続性の種類が現在のＣＳＧセルのみに適用されるか、または現在のＣＳＧ  ＩＤに適用されるかの指示を含む。ネットワークは、ＵＥがＣＳＧセルに接続される場合に、選択された接続性がＵＥによって要求される接続性種類と異なる場合、要求された接続性種類が現在のＡＰＮに容認可能ではないかどうか、またはどのＡＰＮにそれが容認可能ではないかをＵＥに知らせる。
【０４８０】
ＵＥにおいて、サポートされる接続性の種類は、上層に提供され得る。
【０４８１】
ＵＥが、ＣＳＧセルの中にあり、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージを受信し、ネットワークが、サポートまたは選択される接続性の種類等の特定の特徴のサポートについてＵＥに知らせる場合、サポートおよび選択される接続性の種類は、上層に提供され得る。
【０４８２】
（デフォルトＥＰＳベアラコンテキスト起動要求）
ここで表２１を参照して、デフォルトＥＰＳベアラコンテキスト起動要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージを説明する。このメッセージは、デフォルトＥＰＳベアラコンテキストの起動を要求するために、ネットワークによってＵＥに送信される。このメッセージは、ネットワークからＵＥへの方向に使用され得る。
【０４８３】
【表２１】
2013516932.tif 000027
（サポートされた接続性種類）
ネットワークは、現在のＣＳＧセルによってサポートされる接続性の種類を示すために、ＵＥがＣＳＧセルにアタッチしている場合に、このＩＥを含み得る。
【０４８４】
（選択された接続性種類）
このＩＥは、ネットワークによって選択される接続性種類をＵＥに知らせるために含まれ得る。
【０４８５】
（ＡＰＮ適用性指示）
このＩＥは、ネットワークが、どのＡＰＮに対して、ＵＥによって要求される接続性の種類が容認可能ではないかを示す場合に含まれ得る。ネットワークが、１つ以上のＡＰＮが含まれるという指示を含む場合、これは、ＵＥによって要求される接続性の種類が、提供される全てのＡＰＮに対して容認可能ではないことを示す。ネットワークが、ＣＳＧ  ＩＤが含まれないという指示を含む場合、これは、サポートされた接続性種類が現在のＡＰＮのみに適用されることを示す。
【０４８６】
（ＣＳＧ適用性指示）
ネットワークは、ＵＥがＣＳＧセルにアタッチしている場合、およびネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４８７】
種類／参照フィールド内の接続性種類の内容の実施例は、表８で説明されるものである。
【０４８８】
（アタッチ拒絶）
ここで表２２を参照して、アタッチ拒絶（ＡＴＴＡＣＨ  ＲＥＪＥＣＴ）メッセージの実施例を説明する。このメッセージは、対応するアタッチ要求が拒絶されたことを示すために、ネットワークによってＵＥに送信される。このメッセージは、ネットワークからＵＥへの方向に使用され得る。
【０４８９】
【表２２】
2013516932.tif 000028
（サポートされた接続性種類）
このＩＥは、サポートされる接続性種類をＵＥに知らせるために、ＵＥが要求したＣＳＧ接続性の種類をＳＧＳＮが拒絶する場合に含まれ得る。
【０４９０】
（ＡＰＮ適用性指示）
このＩＥは、ネットワークが、どのＡＰＮに対して、ＵＥによって要求される接続性の種類が容認可能ではないかを示す場合に含まれ得る。ネットワークが、１つ以上のＡＰＮが含まれるという指示を含む場合、これは、ＵＥによって要求される接続性の種類が、提供される全てのＡＰＮに対して容認可能ではないことを示す。ネットワークが、ＣＳＧ  ＩＤが含まれないという指示を含む場合、これは、サポートされた接続性種類が現在のＡＰＮのみに適用されることを示す。
【０４９１】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４９２】
種類／参照フィールド内の接続性種類の内容の実施例は、表８で説明されるものである。
【０４９３】
（アタッチ拒絶の代替的実施形態）
ここで表２３を参照して、アタッチ拒絶（ＡＴＴＡＣＨ  ＲＥＪＥＣＴ）メッセージの別の実施例を説明する。このメッセージは、対応するアタッチ要求が拒絶されたことを示すために、ネットワークによってＵＥに送信される。このメッセージは、ネットワークからＵＥへの方向に使用され得る。
【０４９４】
【表２３】
2013516932.tif 000029
（ＥＳＭメッセージコンテナ）
このＩＥは、単一のＥＳＭメッセージを運ぶように含まれる。
【０４９５】
（サポートされた接続性種類）
このＩＥは、サポートされる接続性種類をＵＥに知らせるために、ＵＥが要求したＣＳＧ接続性の種類をＳＧＳＮが拒絶する場合に含まれ得る。
【０４９６】
（ＡＰＮ適用性指示）
このＩＥは、ＵＥによって要求される接続性の種類が、現在のＡＰＮのみに対して、または全てのＡＰＮに対して容認可能ではないとネットワークが示す場合に、含まれ得る。
【０４９７】
ネットワークが、ＡＰＮが含まれるという指示を含む場合、これは、ＵＥによって要求される接続性の種類が、含まれたＡＰＮのみに対して容認可能ではないことを示す。ネットワークが、ＡＰＮが含まれないという指示を含む場合、これは、ＵＥによって要求される接続性の種類が、いずれのＡＰＮに対しても容認可能ではないことを示す。
【０４９８】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０４９９】
種類／参照フィールド内の接続性種類の内容の実施例は、表８で説明されるものである。
【０５００】
（ＰＤＮ接続性拒絶）
ここで表２４を参照して、ＰＤＮ接続性拒絶（ＰＤＮ  ＣＯＮＮＥＣＴＩＶＩＴＹ  ＲＥＪＥＣＴ）メッセージの実施例を説明する。このメッセージは、ＰＤＮ接続の確立を拒絶するために、ネットワークによってＵＥに送信される。このメッセージは、ネットワークからＵＥへの方向に使用され得る。
【０５０１】
【表２４】
2013516932.tif 000030
（サポートされた接続性種類）
このＩＥは、サポートされる接続性種類をＵＥに知らせるために、ＵＥが要求したＣＳＧ接続性の種類をＳＧＳＮが拒絶する場合に含まれ得る。
【０５０２】
（ＡＰＮ適用性指示）
このＩＥは、ネットワークが、どのＡＰＮに対して、ＵＥによって要求される接続性の種類が容認可能ではないかを示す場合に含まれ得る。ネットワークが、１つ以上のＡＰＮが含まれるという指示を含む場合、これは、ＵＥによって要求される接続性の種類が、提供される全てのＡＰＮに対して容認可能ではないことを示す。ネットワークが、ＣＳＧ  ＩＤが含まれないという指示を含む場合、これは、サポートされた接続性種類が現在のＡＰＮのみに適用されることを示す。
【０５０３】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０５０４】
種類／参照フィールド内の接続性種類の内容の実施例は、表８で説明されるものである。
【０５０５】
（ＰＤＮ接続性拒絶の代替的実施形態）
ここで表２５を参照して、ＰＤＮ接続性拒絶（ＰＤＮ  ＣＯＮＮＥＣＴＩＶＩＴＹ  ＲＥＪＥＣＴ）メッセージの別の実施例を説明する。このメッセージは、ＰＤＮ接続の確立を拒絶するために、ネットワークによってＵＥに送信される。このメッセージは、ネットワークからＵＥへの方向に使用され得る。
【０５０６】
【表２５】
2013516932.tif 000031
（サポートされた接続性種類）
このＩＥは、サポートされる接続性種類をＵＥに知らせるために、ＵＥが要求したＣＳＧ接続性の種類をＳＧＳＮが拒絶する場合に含まれ得る。
【０５０７】
（ＡＰＮ適用性指示）
このＩＥは、ＵＥによって要求される接続性の種類が、現在のＡＰＮのみに対して、または全てのＡＰＮに対して容認可能ではないとネットワークが示す場合に、含まれ得る。
【０５０８】
ネットワークが、ＡＰＮが含まれるという指示を含む場合、これは、ＵＥによって要求される接続性の種類が、含まれたＡＰＮのみに対して容認可能ではないことを示す。ネットワークが、ＡＰＮが含まれないという指示を含む場合、これは、ＵＥによって要求される接続性の種類が、いずれのＡＰＮに対しても容認可能ではないことを示す。
【０５０９】
（ＣＳＧ  ＩＤ）
ネットワークは、ＵＥがＣＳＧセルにアタッチしている場合、かつ、ネットワークがサポートされた接続性種類ＩＥまたは選択された接続性種類ＩＥを含む場合に、このＩＥを含み得る。ネットワークが、ＣＳＧ  ＩＤが含まれるという指示を含む場合、これは、サポートされた接続性種類がＣＳＧ  ＩＤの同じ値を伴う任意のＣＳＧセルに適用されることを示す。ネットワークが、ＣＳＧ  ＩＤが含まれないという指示を含む場合、これは、サポートされた接続性種類が現在のＣＳＧセルのみに適用されることを示す。
【０５１０】
種類／参照フィールド内の接続性種類の内容の実施例は、表８で説明されるものである。
【０５１１】
（無線デバイス例）
ここで図２０を参照すると、本明細書で説明される無線デバイス方法のうちのいずれかを実装し得る、別の無線デバイス１００のブロック図が示されている。無線デバイス１００は、上記で説明される特徴を実装するための具体的な構成要素をとともに示されている。無線デバイス１００は、例示目的のみで非常に具体的な詳細とともに示されていることを理解されたい。
【０５１２】
処理デバイス（マイクロプロセッサ１２８）が、キーボード１１４とディスプレイ１２６との間に連結されるものとして概略的に示されている。マイクロプロセッサ１２８は、ユーザによるキーボード１１４上のキーの作動に応答して、ディスプレイ１２６の動作、ならびに無線デバイス１００の全体的動作を制御する。
【０５１３】
無線デバイス１００は、垂直に細長いか、または他のサイズおよび形状（二つ折り筐体構造を含む）をとり得る筐体を有する。キーボード１１４は、モード選択キー、またはテキスト入力と電話入力とを切り替えるための他のハードウェアあるいはソフトウェアを含み得る。
【０５１４】
マイクロプロセッサ１２８に加えて、無線デバイス１００の他の部品が概略的に示されている。これらは、通信サブシステム１７０、短距離通信サブシステム１０２、一式のＬＥＤ１０４、一式の補助入出力デバイス１０６、シリアルポート１０８、スピーカ１１１、およびマイクロホン１１２を含む、他の入出力でバイスとともに、キーボード１１４およびディスプレイ１２６、ならびにフラッシュメモリ１１６およびランダムアクセスメモリ（ＲＡＭ）１１８を含むメモリデバイス、および種々の他のデバイスサブシステム１２０を含む。無線デバイス１００は、無線デバイス１００の能動要素に電力提供するようにバッテリ１２１を有し得る。無線デバイス１００は、いくつかの実施形態では、音声およびデータ通信能力を有する双方向無線周波数（ＲＦ）通信デバイスである。加えて、無線デバイス１００は、いくつかの実施形態では、インターネットを介して他のコンピュータシステムと通信する能力を有する。
【０５１５】
マイクロプロセッサ１２８によって実行されるオペレーティングシステムソフトウェアは、いくつかの実施形態では、フラッシュメモリ１１６等の持続的記憶部に記憶されるが、読み出し専用メモリ（ＲＯＭ）または同様の記憶要素等の他の種類のメモリデバイスに記憶され得る。加えて、システムソフトウェア、特定のデバイスアプリケーション、またはそれらの複数部分は、ＲＡＭ１１８等の揮発性記憶部の中へ一時的にロードされ得る。無線デバイス１００によって受信される通信信号もまた、ＲＡＭ１１８に記憶され得る。
【０５１６】
マイクロプロセッサ１２８は、そのオペレーティングシステム機能に加えて、無線デバイス１００上でのソフトウェアアプリケーションの実行を可能にする。音声通信モジュール１３０Ａおよびデータ通信モジュール１３０Ｂ等の基本デバイス動作を制御する、所定の一式のソフトウェアアプリケーションが、製造中に無線デバイス１００にインストールされ得る。加えて、個人情報マネージャ（ＰＩＭ）アプリケーションモジュール１３０Ｃもまた、製造中に無線デバイス１００にインストールされ得る。ＰＩＭアプリケーションは、いくつかの実施形態では、Ｅメール、カレンダーイベント、音声メール、約束、およびタスク項目等のデータ項目を組織化および管理することが可能である。ＰＩＭアプリケーションはまた、いくつかの実施形態では、無線ネットワーク１１０を介してデータ項目を送受信することが可能である。いくつかの実施形態では、ＰＩＭアプリケーションによって管理されるデータ項目は、記憶されたデバイスユーザの対応するデータ項目と無線ネットワーク１１０を介して途切れなく統合、同期化、および更新されるか、またはホストコンピュータシステムと関連付けられる。同様に、別のソフトウェアモジュール１３０Ｎとして図示される、付加的なソフトウェアモジュールが、製造中にインストールされ得る。
【０５１７】
データおよび音声通信を含む通信は、通信サブシステム１７０を通して、およびおそらく短距離通信サブシステム１０２を通して行われる。通信サブシステム１７０は、受信機１５０と、伝送機１５２と、受信アンテナ１５４および伝送アンテナ１５６として図示される、１つ以上のアンテナとを含む。加えて、通信サブシステム１７０はまた、デジタル信号プロセッサ（ＤＳＰ）１５８等の処理モジュール、およびローカル発振器（ＬＯ）１６０を含む。いくつかの実施形態では、通信サブシステム１７０は、各ＲＡＴのための別個のアンテナ配置（アンテナ１５４および１５６と同様である）およびＲＦ処理チップ／ブロック（受信機１５０、ＬＯ１６０、および伝送機１５２と同様である）を含むが、共通ベースバンド信号プロセッサ（ＤＳＰ１５８と同様である）が、複数のＲＡＴのためのベースバンド処理に使用され得る。通信サブシステム１７０の特定の設計および実装は、無線デバイス１００が動作することを目的としている、通信ネットワークに依存している。例えば、無線デバイス１００の通信サブシステム１７０は、Ｍｏｂｉｔｅｘ（登録商標）、ＤａｔａＴＡＣ（登録商標）、または汎用パケット無線サービス（ＧＰＲＳ）移動データ通信ネットワークとともに動作するように設計されるか、また、先進移動電話サービス（ＡＭＰＳ）、時分割多重アクセス（ＴＤＭＡ）、符号分割多重アクセス（ＣＤＭＡ）、パーソナル通信サービス（ＰＣＳ）、グローバルシステムフォーモバイルコミュニケーションズ（ＧＳＭ（登録商標））等の種々の音声通信ネットワークのうちのいずれかとともに設計され得る。ＣＤＭＡの実施例は、１Ｘおよび１ｘ  ＥＶ−ＤＯを含む。通信サブシステム１７０はまた、８０２．１１  Ｗｉ−Ｆｉネットワークおよび／または８０２．１６  ＷｉＭＡＸネットワークとともに動作するように設計され得る。別個および統合型の両方である、他の種類のデータおよび音声ネットワークもまた、無線デバイス１００とともに利用され得る。
【０５１８】
ネットワークアクセスは、通信システムの種類に応じて異なり得る。例えば、Ｍｏｂｉｔｅｘ（登録商標）およびＤａｔａＴＡＣ（登録商標）ネットワークでは、無線デバイスは、各デバイスと関連付けられる一意の個人識別番号（ＰＩＮ）を使用してネットワーク上で登録される。しかしながら、ＧＰＲＳネットワーク内で、ネットワークアクセスは、典型的には、デバイスの加入者またはユーザと関連付けられる。したがって、ＧＰＲＳデバイスは、典型的には、ＧＰＲＳネットワーク上で動作するために、加入者識別モジュール（ＳＩＭ）カードと一般的に呼ばれる、加入者識別モジュールを有する。
【０５１９】
ネットワーク登録または起動手順が完了すると、無線デバイス１００は、通信ネットワーク１１０上で通信信号を送受信し得る。受信アンテナ１５４によって通信ネットワーク１１０から受信される信号は、信号増幅、周波数下方変換、フィルタリング、チャネル選択等を提供し、また、アナログ・デジタル変換を提供し得る、受信機１５０に送られる。受信した信号のアナログ・デジタル変換は、ＤＳＰ１５８が、復調および復号等のより複雑な通信機能を果たすことを可能にする。同様に、ネットワーク１１０に伝送される信号は、ＤＳＰ１５８によって処理（例えば、変調および符号化）され、次いで、デジタル・アナログ変換、周波数上方変換、フィルタリング、増幅、および伝送アンテナ１５６を介した通信ネットワーク１１０（または複数のネットワーク）への通信のために、伝送機１５２に提供される。
【０５２０】
通信信号を処理することに加えて、ＤＳＰ１５８は、受信機１５０および伝送機１５２の制御を提供する。例えば、受信機１５０および伝送機１５２において通信信号に印加される利得は、ＤＳＰ１５８で実装される自動利得制御アルゴリズムを通して適応的に制御され得る。
【０５２１】
データ通信モードでは、テキストメッセージまたはウェブページダウンロード等の受信した信号が、通信サブシステム１７０によって処理され、マイクロプロセッサ１２８に入力される。次いで、受信した信号は、ディスプレイ１２６へ、または代替としていくつかの他の補助入出力デバイス１０６への出力のために、マイクロプロセッサ１２８によってさらに処理される。デバイスユーザはまた、キーボード１１４および／またはタッチパッド、ロッカースイッチ、サムホイール、または何らかの他の種類の入力デバイス等の補助入出力デバイス１０６を使用して、Ｅメールメッセージ等のデータ項目を作成し得る。次いで、作成されたデータ項目は、通信サブシステム１７０を介して通信ネットワーク１１０上で伝送され得る。
【０５２２】
音声通信モードでは、受信した信号がスピーカ１１１に出力され、伝送のための信号がマイクロホン１１２によって生成されることを除いて、デバイスの全体的動作は、データ通信モードと実質的に同様である。音声メッセージ録音サブシステム等の代替的な音声またはオーディオ入出力サブシステムもまた、無線デバイス１００上に実装され得る。加えて、ディスプレイ１２６はまた、例えば、発呼側の識別、音声通話の持続時間、または他の音声通話関連情報を表示するために、音声通信モードで利用され得る。
【０５２３】
短距離通信サブシステム１０２は、無線デバイス１００と、必ずしも同様のデバイスである必要がない、他の近接システムまたはデバイスとの間で通信を可能にする。例えば、短距離通信サブシステムは、同様に使用可能なシステムおよびデバイスとの通信を可能にするように、赤外線通信ならびに関連回路および構成要素、またはＢｌｕｅｔｏｏｔｈ（登録商標）通信モジュールを含み得る。
【０５２４】
本明細書で使用されるように、連結される、接続される、電気的に接続される、信号通信している、および同等物等の用語は、特定の実施形態の全体的な文脈で明白となるように、構成要素間の直接接続、構成要素間の間接接続、または両方を含み得ることを理解されたい。連結されるという用語は、直接電気接続を含むことを目的としているが、それに限定されない。
【０５２５】
本願の多数の修正および変形が、上記の記述を踏まえて可能である。したがって、添付の請求項の範囲内で、本願の実施形態は、本明細書で具体的に説明される以外に実践され得ることを理解されたい。
【０５２６】
本発明はさらに、例えば、以下を提供する。
（項目１）
ユーザ機器（ＵＥ）において使用する方法であって、電気通信セルにおいて利用可能な接続性の種類の指示を受信することを含み、
前記利用可能な接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である、方法。
（項目２）
前記電気通信セルにおいて利用可能な接続性の種類の指示を受信することは、
ＧＥＲＡＮ／ＵＴＲＡＮフェムトセル、
ＧＥＲＡＮ／ＵＴＲＡＮマクロセル、
Ｅ−ＵＴＲＡＮフェムトセル、
Ｅ−ＵＴＲＡＮマクロセル、
ＷＬＡＮセル、および
非３ＧＰＰセル
のうちの任意の１つにおいて利用可能な接続性の種類の指示を受信することを含む、
項目１に記載の方法。
（項目３）
前記指示を受信することは、
特定の種類の接続性が利用可能であるかどうかの指示、および
特定の種類の接続性が利用可能ではないかどうかの指示
のうちの少なくとも１つを受信することを含む、
項目１または２に記載の方法。
（項目４）
前記利用可能性の指示を受信することは、
ＬＩＰＡ接続性がサポートされているという指示、
ＬＩＰＡ接続性がサポートされていないという指示、
ＳＩＰＴＯ接続性がサポートされているという指示、
ＳＩＰＴＯ接続性がサポートされていないという指示、
遠隔接続性がサポートされているという指示、および
遠隔接続性がサポートされていないという指示
のうちの少なくとも１つを受信することを含む、
項目１から３のうちのいずれか１項に記載の方法。
（項目５）
前記利用可能な接続性の種類の指示を受信することは、非アクセス階層（ＮＡＳ）機能層内で起こる、項目１から４のうちのいずれか１項に記載の方法。
（項目６）
前記接続性の種類の指示を受信することは、アタッチ中、付加的なパケットデータプロトコル（ＰＤＰ）コンテキストを要求する場合、パケットデータネットワーク（ＰＤＮ）接続時のうちの１つにおいて起こる、項目５に記載の方法。
（項目７）
ユーザ機器（ＵＥ）において使用する方法であって
電気通信セルにおける接続性の種類を要求することを含み、
前記接続性の種類は、ローカルインターネットプロトコルアクセス（ＬＩＰＡ）接続性、および遠隔接続性のうちの１つ以上を含む、方法。
（項目８）
前記電気通信セルにおける接続性の種類を要求することは、アクセスポイント名（ＡＰＮ）ベースで行われる、項目７に記載の方法。
（項目９）
前記電気通信セルにおける接続性の種類を要求することは、アタッチ中、付加的なパケットデータプロトコル（ＰＤＰ）コンテキストを要求する場合、パケットデータネットワーク（ＰＤＮ）接続時のうちの１つにおいて行われる、項目７または８に記載の方法。
（項目１０）
接続性の種類の要求に応答して、
電気通信セルにおいて利用可能なサポートされた接続性の種類の指示、
電気通信セルにおいて利用可能な要求された接続性の種類の指示、
電気通信セルにおいて利用可能であり、要求されたもの以外の接続性の種類の指示、および
要求された接続性の種類が電気通信セルにおいて利用可能ではないという指示
のうちの１つを受信することをさらに含む、
項目７から９のうちのいずれか１項に記載の方法。
（項目１１）
電気通信セルにおいて利用可能である接続性の種類が、要求されたもの以外であるという指示が受信された場合、または、要求された接続性の種類が利用可能ではないという指示である場合に、前記接続性の種類が要求された特定の接続を切断することをさらに含む、
項目１０に記載の方法。
（項目１２）
ネットワークの第１のノードで使用する方法であって、
前記ネットワーク内の第２のノードから接続性の種類の要求を受信することと、
前記要求と前記第２のノードに関する前記第１のノードに記憶された情報とに基づいて、前記要求を認定することと
を含む、方法。
（項目１３）
ＧＰＲＳが、汎用パケット無線サービス（ＧＰＲＳ）ＧＥＲＡＮ、ＧＰＲＳ  ＵＴＲＡＮ、進化型パケットシステム（ＥＰＳ）ＧＥＲＡＮ、ＥＰＳ  ＵＴＲＡＮ、ＥＰＳ  Ｅ−ＵＴＲＡＮ、ＥＰＳ  ＷＬＡＮ、および他の非３ＧＰＰシステムのうちの１つ以上を含む、項目１２に記載の方法。
（項目１４）
ユーザ機器（ＵＥ）において使用する方法であって、
非アクセス階層（ＮＡＳ）層より上側の機能層内でアプリケーション接続性方針を受信することと、
前記ＮＡＳ層より下側の機能層から前記ＮＡＳ層より上側の機能層内で少なくとも１つのモビリティイベントの指示を受信することと、
前記アプリケーション接続性方針および前記少なくとも１つのモビリティイベントの指示に基づいて、特定の種類の接続性が利用可能であるかどうかを決定することと
を含む、方法。
（項目１５）
前記アプリケーション接続性方針を受信することは、
特定のアクセスが他のアクセスに対してアプリケーションに好ましいかどうかを規定する方針、
特定のアクセスがアプリケーションに禁止されているかどうかを規定する方針、
前記ＵＥが閉鎖加入者グループ（ＣＳＧ）セルに接続された場合に、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上がアプリケーションに好ましいかどうかを規定する方針、
前記ＵＥがＣＳＧセルに接続された場合に、ＬＩＰＡ接続性、ＳＩＰＴＯ接続性、および遠隔接続性のうちの１つ以上がアプリケーションに禁止されているかどうかを規定する方針、
前記ＵＥがＣＳＧセルに接続された場合に、ＬＩＰＡ接続性、ＳＩＰＴＯ接続性、および遠隔接続性のうちの１つ以上が、アプリケーションが使用することができる唯一の種類の接続性であるかどうかを規定する方針、
アプリケーションが特定のＣＳＧセルまたは一式のＣＳＧセルにおいて、一定の種類の接続性を使用することができるかどうかを規定する方針、
ＬＩＰＡ接続性が利用可能である場合に、アプリケーションがＬＩＰＡ接続性と遠隔接続性とを同時に要求するべきかどうかを規定する方針
のうちの１つ以上を受信することを含む、
項目１４に記載の方法。
（項目１６）
少なくとも１つのモビリティイベントの指示を提供することが、閉鎖加入者グループ（ＣＳＧ）セルへの能動ハンドオーバ、ＣＳＧセルからの能動ハンドオーバ、ＣＳＧセルにおける追跡領域更新（ＴＡＵ）／ルーティング領域更新（ＲＡＵ）、異なる無線アクセス技術（ＲＡＴ）への能動ハンドオーバのうちの１つ以上の指示を提供することを含む、項目１５に記載の方法。
（項目１７）
ＣＳＧセルへ、または、ＣＧＳから能動ハンドオーバの指示を提供することを含み、前記提供することは、
前記ＣＳＧセルの閉鎖加入者グループ識別子（ＣＳＧ  ＩＤ）を提供すること、および
前記ＣＳＧセルで利用可能な接続性の種類の指示を提供すること
のうちの少なくとも１つをさらに含む、
項目１６に記載の方法。
（項目１８）
特定の種類の接続性が利用可能であるかどうかを決定することが、前記接続性の種類が、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上であるかどうかを決定することを含む、項目１４から１７のうちのいずれか１項に記載の方法。
（項目１９）
特定の種類の接続性が利用可能であるかどうかを決定することが、
利用可能ではないと決定された接続性の種類を要求する少なくとも１つのアプリケーションの動作を一時停止すること、および
利用可能であると決定された接続性の種類を要求する少なくとも１つのアプリケーションの動作を起動すること
のうちの少なくとも１つをさらに含む、
項目１４から１８のうちのいずれか１項に記載の方法。
（項目２０）
前記少なくとも１つのアプリケーションの動作を一時停止することが、前記少なくとも１つのアプリケーションのうちの１つ以上を、前記１つ以上のアプリケーションが動作中のままであるが、データを交換しない休止状態にすることを含むこと、および
前記少なくとも１つのアプリケーションの動作を起動することが、休止状態である前記少なくとも１つのアプリケーションのうちの１つ以上を再起動することを含むこと
のうちの少なくとも１つをさらに含む、項目１９に記載の方法。
（項目２１）
電気通信セルにおける接続性の種類の指示を提供することを含み、
前記接続性の種類の指示は、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上である、方法。
（項目２２）
前記接続性の種類の指示を提供することは、接続性の種類の要求を受信することに応答して行われる、項目２１に記載の方法。
（項目２３）
前記接続性の種類の指示を提供することは、接続性の要求を受信することに応答して行われる、項目２１に記載の方法。
（項目２４）
前記接続性の種類の要求を受信することは、ローカルインターネットプロトコルアクセス（ＬＩＰＡ）接続性、選択されたインターネットプロトコルトラフィックオフロード（ＳＩＰＴＯ）接続性、および遠隔接続性のうちの１つ以上の要求を受信することを含む、項目２２に記載の方法。
（項目２５）
前記接続性の種類の指示を提供することは、
電気通信セルにおいて利用可能なサポートされた接続性の種類の指示と、
電気通信セルにおいて利用可能であり、要求されたもの以外の接続性の種類の指示と、
要求された接続性の種類が電気通信セルにおいて利用可能ではないという指示と
を提供することを含む、
項目２１から２４のうちのいずれか１項に記載の方法。
（項目２６）
マクロセルにおける接続性の種類の指示を提供することを含み、
前記接続性の種類の指示は、ローカルインターネットプロトコルアクセス（ＬＩＰＡ）接続性および遠隔接続性のうちの１つ以上を含む、方法。
（項目２７）
前記接続性の種類の指示を提供することは、
マクロセルで利用可能な要求された接続性の種類の指示と、
マクロセルで利用可能であり、要求されたもの以外の接続性の種類の指示と、
要求された接続性の種類がマクロセルで利用可能ではないという指示と
を提供することを含む、
項目２６に記載の方法。
【図１】
2013516932.tif 000032
【図２】
2013516932.tif 000033
【図３】
2013516932.tif 000034
【図４】
2013516932.tif 000035
【図５】
2013516932.tif 000036
【図６】
2013516932.tif 000037
【図７Ａ】
2013516932.tif 000038
【図７Ｂ】
2013516932.tif 000039
【図８Ａ】
2013516932.tif 000040
【図８Ｂ】
2013516932.tif 000041
【図９】
2013516932.tif 000042
【図１０】
2013516932.tif 000043
【図１１】
2013516932.tif 000044
【図１２】
2013516932.tif 000045
【図１３】
2013516932.tif 000046
【図１４】
2013516932.tif 000047
【図１５】
2013516932.tif 000048
【図１６】
2013516932.tif 000049
【図１７】
2013516932.tif 000050
【図１８】
2013516932.tif 000051
【図１９】
2013516932.tif 000052
【図２０】
2013516932.tif 000053
【図２１】
2013516932.tif 000054
【図２２】
2013516932.tif 000055
【図２３】
2013516932.tif 000056
【図２４】
2013516932.tif 000057
【図２５】
2013516932.tif 000058
【図２６】
2013516932.tif 000059
【図２７】
2013516932.tif 000060
【図２８】
2013516932.tif 000061
【図２９】
2013516932.tif 000062
【国際調査報告】
2013516932.tif 000063
2013516932.tif 000064
2013516932.tif 000065
2013516932.tif 000066
2013516932.tif 000067